(57)【要約】【課題】構成が簡略でコンパクトに構成することが可能な動作手段を備える遊技機を提供すること。【解決手段】駆動手段（中央モータ、第１ギア４０４Ｇ）と、互いに異なる第１動作（集散動作）および第２動作（回転動作）を行い得る動作手段（回転板４２７、スリット部材４１５、スライド部材、萼片、花弁）と、第１動作が行われている間は第２動作を制動し、第１動作が終了すると第２動作を許可する制動手段（オイルダンパ）と、を有し、動作手段が、内部に可動体（スライドピン４２５）を移動可能に保持した状態で移動することによって駆動手段の動力を可動体に伝達する駆動溝（ガイドレール４２９）と、可動体の移動方向を所定の方向（長さ方向Ｄ２）に規制する規制溝（中央スリット４２１）とを備える構成とする。【選択図】      図５７
2014221166.tif 000002
【特許請求の範囲】
【請求項１】
所定条件に基づいて動力を発生させる駆動手段と、
前記駆動手段の動力により互いに異なる第１動作および第２動作を行い得る動作手段と、
前記第１動作および第２動作のうちの一方の動作が行われている間は他方の動作を制動し、一方の動作が終了すると他方の動作を許可する制動手段と、を有する遊技機であって、
前記動作手段が、内部に可動体を移動可能に保持した状態で移動することによって前記駆動手段の動力を前記可動体に伝達する駆動溝と、前記可動体の移動方向を所定の方向に規制する規制溝とを備えることを特徴とする遊技機。
【発明の詳細な説明】
【技術分野】
【０００１】
本発明は、パチンコ機やスロットマシンに代表される遊技機に関するものである。
【背景技術】
【０００２】
パチンコ機やスロットマシンなどの遊技機には、例えば下記特許文献１に開示されているように、演出用の可動手段としての揺動装飾装置１０を配置し、これにより装飾効果を高めるようにしたものがある。
【先行技術文献】
【特許文献】
【０００３】
【特許文献１】特開２００８−１６１４３４号公報
【発明の概要】
【発明が解決しようとする課題】
【０００４】
上記特許文献１に記載の揺動装飾装置１０は、駆動装置１４により駆動される最下端揺動板１３ａ、該最下端揺動板１３ａに連動する可撓板１２および複数の揺動板１３を備え、駆動装置１４により最下端揺動板１３ａを揺動させることにより、上記各部材が一斉に連動して揺動する構成となっている。
【０００５】
上記特許文献１に記載の遊技機における演出効果をさらに高めるようにするには、例えば揺動板に複雑な動作をさせたり、複数の揺動板を別々に動作させる構成とすることも考えられるが、このような動作を実現しようとすると、駆動機構を複雑化することが必要となり、結果的に揺動装飾装置の部品点数の増大や大型化を招いたりするといった種々の問題が生じる虞がある。
【０００６】
本発明は、かかる問題点に鑑みて案出されたものであり、構成が簡略でコンパクトに構成することが可能な動作手段を備える遊技機を提供することを目的とする。
【課題を解決するための手段】
【０００７】
本発明にかかる遊技機は、上記目的を達成するために、
所定条件に基づいて動力を発生させる駆動手段と、
前記駆動手段の動力により互いに異なる第１動作および第２動作を行い得る動作手段と、
前記第１動作および第２動作のうちの一方の動作が行われている間は他方の動作を制動し、一方の動作が終了すると他方の動作を許可する制動手段と、を有する遊技機であって、
前記動作手段が、内部に可動体を移動可能に保持した状態で移動することによって前記駆動手段の動力を前記可動体に伝達する駆動溝と、前記可動体の移動方向を所定の方向に規制する規制溝とを備えることを特徴とする。
【発明の効果】
【０００８】
本発明によれば、構成が簡略でコンパクトに構成することが可能な動作手段とすることができる。
【図面の簡単な説明】
【０００９】
【図１】パチンコ機の一例を示す正面図。
【図２】図１のパチンコ機の正面側の斜視図。
【図３】図１のパチンコ機の前面枠の斜視図。
【図４】遊技盤の一例を示す正面図。
【図５】図１のパチンコ機の背面の構成を示す分解斜視図。
【図６】図４の遊技盤の背面側の斜視図。
【図７】図４の遊技盤の背面図。
【図８】パチンコ機の電気的構成の一例を示すブロック図。
【図９】演出動作ユニットを示す分解斜視図。
【図１０】演出動作ユニットを正面側からみた分解斜視図。
【図１１】演出動作ユニットを背面側からみた分解斜視図。
【図１２】花弁動作装置の正面図。
【図１３】図１２のＩ−Ｉ線部矢視断面図。
【図１４】花弁動作装置を正面側からみた分解斜視図。
【図１５】花弁動作装置を背面側からみた分解斜視図。
【図１６】萼片を正面側からみた斜視図。
【図１７】萼片を背面側からみた斜視図。
【図１８】スリット部材の正面図。
【図１９】スリット部材を背面側からみた斜視図。
【図２０】スライド部材を背面側からみた斜視図。
【図２１】回転板および中央モータを正面側からみた斜視図。
【図２２】回転板および中央モータを背面側からみた斜視図。
【図２３】回転板および中央モータの背面図。
【図２４】中央軸部材およびＬＥＤ基板を正面側からみた斜視図。
【図２５】中央軸部材およびＬＥＤ基板を背面側からみた斜視図。
【図２６】花弁動作装置を背面側からみた斜視図。
【図２７】側方基板を正面側からみた斜視図。
【図２８】側方基板を背面側からみた斜視図。
【図２９】背面板を正面側からみた斜視図。
【図３０】第１クランクアームおよび回転位置検知センサを正面側からみた斜視図。
【図３１】連接棒、第２クランクアームおよびレバーを正面側からみた斜視図。
【図３２】花弁動作装置およびシャッタを初期位置とした状態にある演出動作ユニットの正面図。
【図３３】花弁動作装置およびシャッタを初期位置とした状態にある演出動作ユニットの内部状況（背面板を取り外した状況）を示す背面図。
【図３４】花弁動作装置が降下を開始した状態にある演出動作ユニットの正面図。
【図３５】花弁動作装置が降下を開始した状態にある演出動作ユニットの内部状況（背面板を取り外した状況）を示す背面図。
【図３６】花弁動作装置を最下位置として降下を終了するとともに、シャッタを閉鎖位置として閉鎖を終了した状態にある演出動作ユニットの正面図。
【図３７】花弁動作装置を最下位置として降下を終了するとともに、シャッタを閉鎖位置として閉鎖を終了した状態にある演出動作ユニットの内部状況（背面板を取り外した状況）を示す背面図。
【図３８】花弁動作装置およびシャッタを初期位置とした状態にある演出動作ユニットの状況（基板カバーを取り外した状況）を示す正面図。
【図３９】花弁動作装置およびシャッタを初期位置とした状態にある演出動作ユニットの状況（基板カバーおよびシャッタを取り外した状況）を示す正面図。
【図４０】花弁動作装置が降下を開始した状態にある演出動作ユニットの状況（基板カバーを取り外した状況）を示す正面図。
【図４１】花弁動作装置が降下を開始した状態にある演出動作ユニットの状況（基板カバーおよびシャッタを取り外した状況）を示す正面図。
【図４２】花弁動作装置を最下位置として降下を終了するとともに、シャッタを閉鎖位置として閉鎖を終了した状態にある演出動作ユニットの状況（基板カバーを取り外した状況）を示す正面図。
【図４３】花弁動作装置を最下位置として降下を終了するとともに、シャッタを閉鎖位置として閉鎖を終了した状態にある演出動作ユニットの状況（基板カバーおよびシャッタを取り外した状況）を示す正面図。
【図４４】初期位置（集結位置）にある花弁動作装置の斜視図。
【図４５】初期位置（集結位置）にある花弁動作装置の正面図。
【図４６】初期位置（集結位置）にある花弁動作装置の背面図。
【図４７】初期位置（集結位置）にある萼片の背面図。
【図４８】拡開中位置にある花弁動作装置の斜視図。
【図４９】拡開中位置にある花弁動作装置の正面図。
【図５０】拡開中位置にある花弁動作装置の背面図。
【図５１】拡開中位置にある萼片の背面図。
【図５２】全開位置にある花弁動作装置の斜視図。
【図５３】全開位置にある花弁動作装置の正面図。
【図５４】全開位置にある花弁動作装置の背面図。
【図５５】全開位置にある萼片の背面図。
【図５６】初期位置（集結位置）にある花弁動作装置の各部材の位置関係を示す正面図。
【図５７】初期位置（集結位置）にあるスリット部材、回転板およびスライドピンの位置関係を示す正面図。
【図５８】初期位置（集結位置）にある回転板およびスライドピンの位置関係を示す正面図。
【図５９】拡開中位置にある花弁動作装置の各部材の位置関係を示す正面図。
【図６０】拡開中位置にあるスリット部材、回転板およびスライドピンの位置関係を示す正面図。
【図６１】拡開中位置にある回転板およびスライドピンの位置関係を示す正面図。
【図６２】全開位置にある花弁動作装置の各部材の位置関係を示す正面図。
【図６３】全開位置にあるスリット部材、回転板およびスライドピンの位置関係を示す正面図。
【図６４】全開位置にある回転板およびスライドピンの位置関係を示す正面図。
【図６５】初期位置（集結位置）にある花弁動作装置における発光動作の状況を示す模式縦断面図。
【図６６】全開位置にある花弁動作装置における発光動作の状況を示す模式縦断面図。
【図６７】変更態様に係るガイドレールを形成した回転板の正面図。
【図６８】変更態様に係るガイドレールを形成した回転板の正面図。
【発明を実施するための形態】
【００１０】
以下、本発明の最良の形態を、図面に基づいて詳細に説明する。ここでは、遊技機としてパチンコ遊技機（以下、単に「パチンコ機」という）を挙げる。
【００１１】
（パチンコ機正面側の構成）
図１はパチンコ機１０の正面図、図２はパチンコ機１０の斜視図、図３はパチンコ機１０の前面枠の斜視図である。図１および図２に示すように、パチンコ機１０は、当該パチンコ機１０の外殻を形成する外枠１１と、この外枠１１の一側部に開閉可能に支持された内枠１２とを備えている。以下に、外枠１１と内枠１２との構成を個別に説明する。
【００１２】
上記外枠１１は、木製の板材により全体として矩形状に構成され、小ネジ等の離脱可能な締結具により各板材が組み付けられている。なお、外枠１１は樹脂やアルミニウム等の軽金属により構成されていてもよい。このように構成することにより、パチンコ機の軽量化を図ることができるからである。
【００１３】
一方、上記内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。このような構成とするのは、内枠１２の開閉軸線がハンドル設置箇所側（図１のパチンコ機１０の右側）で上下方向にあるとすると、内枠１２を開放する際に遊技球発射ハンドル１８の頭部等が隣なりのパチンコ機やカードユニット（球貸しユニット）に干渉することになり、内枠１２を十分に開放できないからである。また、内枠１２は合成樹脂、具体的にはＡＢＳ(アクリロニトリル−ブタジエン−スチレン）樹脂から成る。こうすることで、粘性が高く衝撃に強くでき、低コストで製造できるという利点が発揮される。
【００１４】
また、内枠１２は、その最下部に下皿ユニット１３を有し、内枠１２の左側の上下方向の開閉軸線を軸心にして開閉自在に取り付けられた前面枠セット１４と、樹脂ベース２５（図５参照）と、この樹脂ベース２５の後側に取り付けられる後述の遊技盤３０とを備えている。これらの各構成を以下に詳細に説明する。
【００１５】
上記下皿ユニット１３は、前面枠セット１４の一部として前面枠ベース部材に固定されている。この下皿ユニット１３の前面側には、下皿１５と球抜きレバー１７と遊技球発射ハンドル１８と演出ボタン７９が設けられている。球受皿としての下皿１５は、下皿ユニット１３のほぼ中央部に設けられており、後述の上皿が満タンになった場合等に排出口１６より排出される遊技球を停留する役割がある。上記球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。上記遊技球発射ハンドル１８は、下皿１５よりも右方で手前側に突出するように配設されている。遊技者による遊技球発射ハンドル１８の操作に応じて、発射ソレノイドを備えた遊技球発射装置によって遊技球が後述する遊技盤３０の方へ打ち込まれるようになっている。前面枠セット１４の上部には、スピーカからの音を出力するための音出力口２４が設けられている。
【００１６】
一方、前面枠セット１４の下部（上述の下皿１５の上方位置）には、遊技球の受皿としての上皿１９が前面枠セット１４と一体的に設けられている。この上皿１９は、遊技球を一旦貯留し、一列に整列させながら遊技球発射装置３８の方へ導出するための球受皿である。また、上皿１９の左下方には、装飾図柄表示装置４２の背景を変える等の操作を遊技者が行なうための演出ボタン７９が設けられている。
【００１７】
加えて、前面枠セット１４にはその周囲（例えばコーナー部分）に各種ランプ等の発光手段が設けられている。これら発光手段は、大当たり遊技状態時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、大当たり遊技状態時に点灯や点滅を行うことにより、大当たり遊技状態中であることを報知する構成である。
【００１８】
また、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。度数表示部はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００１９】
次に、図４を用いて遊技盤３０の構成を説明する。図４は遊技盤３０の構成を示す正面図である。遊技盤３０は、一般入賞口を備える一般入賞装置、可変入賞装置３２、上始動口３３ａと下始動口３３ｂ（作動チャッカ３３ｂで構成）と一対の開閉羽根６０とを備える始動入賞装置３３、通過口を備える作動入賞装置３４（スルーゲートで構成）、主表示ユニット３７１、装飾図柄表示装置４２を備える可変表示装置ユニット３５等が設けられている。これらの一般入賞装置、可変入賞装置３２、始動入賞装置３３、作動入賞装置３４、可変表示装置ユニット３５等は、遊技盤３０における、ルータ加工によって形成された各貫通穴にそれぞれに配設され、遊技盤３０前面側から木ネジ等により取り付けられている。また、下始動口３３ｂの入口には、一対の開閉羽根６０が設けられており、遊技球を案内する開放位置と、下始動口３３ｂ内に遊技球が入りにくくなる（入らない）閉塞位置を採りうる。開閉羽根６０は、遊技盤３０の裏面側に配設されたソレノイドＳＬ１によって駆動される。また、上始動口３３ａの下方には、大入賞口（収容部の入口）６１が配置されている。大入賞口６１については、後に言及する。大入賞口６１内には、入球検出スイッチＳＷ１が設けられている。
【００２０】
前述の一般入賞装置、可変入賞装置３２および始動入賞装置３３に遊技球が入球し、当該入球が後述する検出スイッチ（入賞口スイッチ、カウントスイッチ、作動口スイッチ等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、各種部材（役物）が配設されている。
【００２１】
主表示ユニット３７１は、後述する主制御装置２６１が直接的に制御する表示装置ユニットであり、右側辺が上下に直線状に延び、該右側辺の下端から左側辺が遊技領域の右上部に沿って弧状に内側へ湾曲しながら左上へ延びて、全体としてやや上下に長い概略三角形の正面形状を有し、前後に遊技球の直径よりやや大きい程度の厚みを有する立体状の外形を有する部品となっている。主表示ユニット３７１は、遊技盤３０の前面における右上部にネジ固定されている。主表示ユニット３７１における左上の上面部は左下方へやや下傾するように形成され、その中央部は、遊技球の最大飛翔部分に対応する外レール５２の先端部に近接し、この部位の上に、ゴム板よりなる返しゴム３７１Ｒが取り付けられている。この返しゴム３７１Ｒにより、所定以上の勢いで発射された遊技球が当たって跳ね返されるようになっている。主表示ユニット３７１の前面部には、左上端近傍から下端部の近傍まで左側辺に沿って弧状に延びる正面形状を有して内奥側へ段状に凹入する表示部３７１Ｍが形成されている。
【００２２】
上記表示部３７１Ｍには、第１特別図柄表示装置、第２特別図柄表示装置、第１特別図柄保留表示装置、第２特別図柄保留表示装置、普通図柄表示装置、普通図柄保留表示装置および状態報知用表示装置が配置されている。第１特別図柄表示装置は、上始動口３３aへの遊技球の入賞を契機に変動表示される第１特別図柄を表示するものであり、第２特別図柄表示装置は、下始動口３３bへの遊技球の入賞を契機に変動表示される第２特別図柄を表示するものである。なお、各特別図柄は、上記第１特別図柄表示装置および第２特別図柄表示装置において同時に変動表示されることがなく入賞順に従って順次行われるため、装飾図柄表示装置４２においては共通の装飾図柄によって特別図柄に対応する表示が行われるようになっている。第１特別図柄保留表示装置は、第１特別図柄の保留数を表示するものであり、第２特別図柄保留表示装置は、第２特別図柄の保留数を表示するものである。これら第１特別図柄保留表示装置および第２特別図柄保留表示装置はそれぞれ、複数個のＬＥＤで構成され、このうちの一部あるいは全部を点灯又は点滅させることにより最大で４個までの保留数を表示するようになっている。なお、センターフレーム４３の下部には、２色の発光が可能な合計４個のランプよりなる保留ランプ８００ａが装飾図柄表示装置４２の下辺に沿って配列されており、この保留ランプ８００ａによって表示される装飾図柄の保留数は、遊技状態（後述するサポート状態か否か）に応じて、上記第１特別図柄保留表示装置および第２特別図柄保留表示装置のうち何れかが表示する保留数と対応するようになっている。普通図柄表示装置は、作動入賞装置３４における通過口への遊技球の入賞を契機に変動表示される普通図柄を表示するものであり、２個のＬＥＤで構成され、一方のＬＥＤのみを点灯させることで外れを表示し、両方を点灯させることで当りを表示するようになっている。普通図柄保留表示装置は、普通図柄の保留数を表示するものであり、複数個のＬＥＤで構成され、このうちの一部あるいは全部を点灯又は点滅させることにより最大で４個までの保留数を表示するようになっている。状態報知用表示装置は、遊技状態の種別を表示するものであり、複数個のＬＥＤで構成されている。これらのＬＥＤがそれぞれ消灯、点灯、点滅の何れかに変化し、全消灯を除く多数通りの組み合わせによって、１．通常遊技状態（大当たり乱数カウンタＣ１の抽選が低確率であり、サポート状態ではない）、２．時短状態（大当たり乱数カウンタＣ１の抽選が低確率であり、サポート状態）、３．潜伏高確率状態（大当たり乱数カウンタＣ１の抽選が高確率であり、サポート状態ではない）、４．高確率状態（大当たり乱数カウンタＣ１の抽選が高確率であり、サポート状態）、及び５．大当たり状態の何れかを表示するようになっており、大当たり状態を表示するのに際してはその大当たりの最大ラウンド数によって異なる表示が行われる。
【００２３】
上記装飾図柄表示装置４２は液晶表示装置として構成されており、後述する表示制御装置により表示内容が制御される。装飾図柄表示装置４２には、例えば上、中、及び下の３箇所に識別情報としての図柄（装飾図柄）が表示される。これら図柄がスクロールされて装飾図柄表示装置４２に可変表示されるようになっている。なお本形態では、装飾図柄表示装置４２（液晶表示装置）は例えば１０インチ或いは１２インチサイズの大型の液晶ディスプレイを備えている。遊技球が始動入賞装置３３を通過した回数は最大４回まで保留され、その保留回数が保留ランプ８００ａにて点灯表示されるようになっているが、この保留ランプ８００ａが表示する保留回数は、装飾図柄表示装置４２の一部（具体的には右下部）にも表示される。この保留表示は、保留数に対応する数のキャラクタ画像が並列的に表示されるものである。
【００２４】
上記可変入賞装置３２は、通常は遊技球が入賞できない又は入賞し難い閉状態になっており、大当たりの際に遊技球が入賞しやすい開状態と通常の閉状態とに繰り返し作動されるようになっているが、その具体的な構成については後述する。簡略に触れれば、特別図柄表示装置が特定の表示態様となった場合（装飾図柄表示装置４２の停止後の確定図柄が予め設定した特定の図柄の組み合せとなった場合）に特別遊技状態が発生する。そして、可変入賞装置３２が受球状態となり、遊技球の入賞を許す。具体的には、所定時間（例えば３０秒）の経過又は所定個数（例えば１０個）の入賞を１ラウンドとして、可変入賞装置３２の受球状態が所定回数繰り返し開放される。
【００２５】
また、図４に示すように、遊技盤３０には、遊技球発射装置から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす金属板にて構成されており、内外二重に一体形成された内レール５１と外レール５２とを有する。内レール５１および外レール５２の後側端縁（遊技盤３０に対向する端縁）には、所定間隔をおいて複数個所に鋲５６が設けられており、内レール５１および外レール５２は該鋲５６を打ちつけるようにして遊技盤３０に取り付けられている。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００２６】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。
【００２７】
尚、遊技領域は、レールユニット５０の内周部（内外レール）と主表示ユニット３７１の斜辺とにより略円形状に区画形成されており、特に本形態では、遊技盤３０の盤面上に区画される遊技領城が従来よりもはるかに大きく構成されている。
【００２８】
さらに、遊技盤３０の右側縁部には、側端レール５０Ｓが配設されている。側端レール５０Ｓは、内レール５１および外レール５２とは別体として構成され、また内レール５１および外レール５２からは間隔を置いて独立に配置されているが、外レール５２とおおよそ同一の円周上に位置して遊技領域の右端部を区画しており、即ちレールユニット５０の一部（右端部）を構成している。この側端レール５０Ｓの構成および取付構造については後述する。
【００２９】
（パチンコ機の背面構成）
次に、パチンコ機１０の背面の構成を説明する。図５はパチンコ機１０の背面の構成を示す分解斜視図である。
【００３０】
先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の裏カバー（保護カバー）等が取り付けられている。本形態では、各種制御基板を３つの取付台に分けて搭載して３つの制御基板ユニットを構成し、それら制御基板ユニットを個別に内枠１２または遊技盤３０の裏面に装着するようにしている。この場合、主制御基板、電源監視基板、これら基板を収容する基板ボックスおよび該基板ボックスを封印する封印ユニットから構成される主制御装置２６１を一つにユニット化し、表示制御基板、該表示制御基板を収容する基板ボックスおよび装飾図柄表示装置４２から構成される表示制御装置４５とサブ制御基板および該サブ制御基板を収容する基板ボックスから構成されるサブ制御装置２６２とを後述する外包部材８２に搭載してユニット化し、さらに払出制御基板、該払出制御基板を収容する基板ボックス（払出制御基板ケース）および該基板ボックスを封印する封印ユニットから構成される払出制御装置３１１と電源基板、発射制御基板およびこれら基板を収容する基板ボックス（電源・発射制御基板ケース２０３Ａ）から構成される電源・発射制御装置とを１つの取付台に搭載してユニット化している。ここでは便宜上、各ユニットを上記の順に「第１制御基板ユニット２０１」、「第２制御基板ユニット２０２」および「第３制御基板ユニット２０３」と称することとする。
【００３１】
また、払出機構および裏カバー（保護カバー）も上記第３制御基板ユニット２０３に一体化されており、一般に樹脂部分を裏パックと称することもあるため、ここでは第３制御基板ユニット２０３を「裏パックユニット２０３」とも称する。各ユニット２０１〜２０３の詳細な構成については後述する。
【００３２】
第１制御基板ユニット２０１は、後述するように、取り外す場合には工具で封止状態を解除する必要があるが取付はネジ等の締結具も工具も何ら要することなく行い得るよう構成されており、第２制御基板ユニット２０２および裏パックユニット２０３は、ユニット単位で何ら工具等を用いずに着脱できるよう構成されている。更に、これに加え、各ユニット２０１〜２０３は、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００３３】
上述した第１制御基板ユニット２０１は、その遊技の進行を統括する主制御基板及び電源の監視を司る電源監視基板を有する。上記主制御基板と電源監視基板とは透明樹脂材料等よりなる基板ボックスに収容されて構成されている。この基板ボックスは、略直方体形状のボックスベースと該ボックスベースの開口部を覆うボックスカバーとを備えており、これらボックスベースとボックスカバーとは封印ユニットによって開封不能に連結されることにより、基板ボックスが封印される。
【００３４】
尚、封印ユニットはボックスベースとボックスカバーとを開封不能に連結する構成であれば任意の構成が適用でき、また、封印ユニットによる封印処理は、その封印後の不正な開封を防止し、また万一不正開封が行われてもそのような事態を早期にかつ容易に発見可能とするものである。
【００３５】
第２制御基板ユニット２０２は、主制御基板からの指示に従い前記装飾図柄表示装置４２の表示制御を司る表示制御装置４５と主制御基板からの指示に従い音声ランプ制御を司るサブ制御基板とを有する。上記表示制御装置４５は、装飾図柄表示装置４２および表示制御基板がユニットとして構成され、透明樹脂材料等よりなる基板ボックスに収容されて後述する外包部材８２の背面側に取り付けられている。上記サブ制御基板は透明樹脂材料等よりなる基板ボックスに収容され、上記表示制御装置４５の背面側に取り付けられている。
【００３６】
次に、前記第３制御基板ユニット（裏パックユニット）２０３は、払出制御基板、電源基板、発射制御基板及びカードユニット接続基板を有している。上記払出制御基板により賞品球や貸出球の払出が制御され、上記電源基板および発射制御基板により各種制御装置等で要する所定の電源電圧が生成され出力されるとともに遊技者による遊技球発射ハンドル１８の操作に従い発射ソレノイドの制御が行われる。また、上記カードユニット接続基板は、パチンコ機前面の貸球操作部１２０（図１参照）および図示しないカードユニットに電気的に接続され、遊技者による球貸し操作の指令を取り込んでそれを払出制御基板に出力するものである。なお、カードユニットを介さずに球貸し装置等から上皿に遊技球が直接貸し出される現金機では、カードユニット接続基板は不要である。
【００３７】
上記払出制御基板は、透明樹脂材料等よりなる払出制御基板ケース（図示せず）内に収納されており、上記電源基板および発射制御基板は、透明樹脂材料等よりなる電源・発射制御基板ケース２０３Ａ内に収納されている。また、上記カードユニット接続基板は透明樹脂材料等よりなるカードユニット接続基板ケース（図示せず）内に収納されている。特に、払出制御基板では、前述した主制御基板と同様、基板ケース（被包手段）を構成するボックスベースとボックスカバーとが封印ユニット（封印手段）によって開封不能に連結されることにより、基板ボックスが封印される。
【００３８】
上記払出制御基板は状態復帰スイッチと電気的に接続されており、例えば、払出モータ部の球詰まり等、払出エラーの発生時において状態復帰スイッチが押下されると、払出モータがゆっくりと正回転され、球詰まりの解消（正常状態への復帰）が図られるようになっている。
【００３９】
裏パックユニット２０３は、樹脂成形された裏パック３５１と遊技球の払出機構部３５２とを一体化したものである。
【００４０】
裏パック３５１は例えばＡＢＳ樹脂により成型されており、略平坦状のベース部３５３と、パチンコ機後方に突出し横長の略直方体形状をなす裏カバー部（保護カバー部）３５４とを有する。裏カバー部３５４は左右側面および上面が閉鎖されかつ下面のみが開放された形状をなし、少なくとも電動役物表示制御装置４５を囲むのに十分な大きさを有する（但し本形態では、前述のサブ制御装置２６２も合わせて囲む構成となっている）。裏カバー部３５４の背面には多数の通気孔が設けられている。この通気孔は各々が長孔状をなし、それぞれの通気孔が比較的近い位置で隣り合うよう設けられている。従って、隣り合う通気孔間にある樹脂部分を切断することにより、裏パック３５１の背面を容易に開口させることができる。つまり、通気孔間の樹脂部分を切断してその内部の表示制御装置等を露出させることで、所定の検定等を容易に実施することができる。
【００４１】
また、ベース部３５３には、裏カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図示しない払出通路等を通じて前記上皿１９に供給される。
【００４２】
タンクレール３５６と、当該タンクレール３５６に振動を付加するためのバイブレータ３５９とが一体化するようにユニット化されており、仮にタンクレール３５６付近で球詰まりが生じた際、バイブレータ３５９が駆動されることで球詰まりが解消されるようになっている。
【００４３】
上記払出機構部３５２には、前記払出制御基板から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチの切替操作により電源ＯＮまたは電源ＯＦＦとされるようになっている。
【００４４】
なお、内枠１２の右上側には、内枠１２が外枠１１に対して開かれたことを検出する内枠開検出スイッチ（図示せず）が設けられており、内枠１２が開かれると、内枠開検出スイッチからホール内（パチンコ店内）用コンピュータヘ出力されるようになっている。また、上記内枠開検出スイッチの左方には、前面枠開検出スイッチ（図示せず）が設けられており、前面枠セット１４が開かれると、前面枠開検出スイッチからホール内（パチンコ店内）用コンピュータヘ出力されるようになっている。
【００４５】
（パチンコ機の電気的構成及び各種制御処理）
次に、図８を参照して、本パチンコ機１０の電気的構成について説明する。パチンコ機１０は、電源装置３１３と、電源監視装置５４０と、主制御装置２６１と、サブ制御装置２６２と、払出制御装置３１１と、表示制御装置４５等を備えている。以下に、これらの装置を個別に詳細に説明する。尚、電源監視装置５４０と主制御装置２６１とは、上記したように封印ユニットで封印されている。
【００４６】
次いで、主制御装置２６１の構成について説明する。主制御装置２６１には、演算装置である１チップマイコンとしてのＭＰＵ５０１が搭載されている。ＭＰＵ５０１には、該ＭＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、そのほか、割込回路やタイマ回路、データ送受信回路などの各種回路が内蔵されている。
【００４７】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのエリアが備えられている。
【００４８】
なお、ＭＰＵ５０１のＮＭＩ端子（ノンマスカブル割込端子）には、停電等の発生による電源遮断時に、停電監視回路５４２からの停電信号ＳＧ１が入力されるように構成されており、その停電信号ＳＧ１がＭＰＵ５０１へ入力されると、停電時処理としてのＮＭＩ割込処理が即座に実行される。
【００４９】
主制御装置２６１のＭＰＵ５０１には、アドレスバス及びデータバスで構成されるバスライン５０４を介して入出力ポート５０５が接続されている。入出力ポート５０５には、電源監視装置５４０内のＲＡＭ消去スイッチ回路５４３、払出制御装置３１１、発射制御装置３１２、サブ制御装置２６２、主表示ユニット３７１（第１特別図柄保留表示装置、第１特別図柄表示装置、第２特別図柄保留表示装置、第２特別図柄表示装置、普通図柄表示装置、普通図柄保留表示装置、状態報知用表示装置）や、その他図示しない入賞検知スイッチ群や不正検知スイッチ群などが接続されている。なお、装飾図柄保留表示装置８００（保留ランプ８００ａ）は、サブ制御装置２６２に従属する表示制御装置４５に接続されている。
【００５０】
払出制御装置３１１は、払出モータ３５８ａにより賞球や貸し球の払出制御を行うものである。演算装置であるＭＰＵ５１１は、そのＭＰＵ５１１により実行される制御プログラムや固定値データ等を記憶したＲＯＭ５１２と、ワークメモリ等として使用されるＲＡＭ５１３とを備えている。
【００５１】
払出制御装置３１１のＲＡＭ５１３は、主制御装置２６１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのエリアが備えられている。
【００５２】
なお、主制御装置２６１のＭＰＵ５０１と同様、ＭＰＵ５１１のＮＭＩ端子にも、停電時の発生による電源遮断時に停電監視回路５４２から停電信号ＳＧ１が入力されるように構成されており、その停電信号ＳＧ１がＭＰＵ５１１へ入力されると、停電時処理としてのＮＭＩ割込処理が即座に実行される。
【００５３】
払出制御装置３１１のＭＰＵ５１１には、アドレスバス及びデータバスで構成されるバスライン５１４を介して入出力ポート５１５が接続されている。入出力ポート５１５には、主制御装置２６１、払出モータ３５８ａがそれぞれ接続されている。
【００５４】
発射制御装置３１２は、発射ソレノイドによる遊技球の発射を許可又は禁止するものであり、発射ソレノイドは、所定条件が整っている場合に駆動が許可される。具体的には、払出制御装置３１１からカードユニットとの接続状態であることを示す接続信号が出力されていること、遊技者が遊技球発射ハンドル１８に触れていることをセンサ信号により検出していること、発射を停止させるための発射停止スイッチが操作されていないことを条件に、発射制御装置３１２は発射許可信号を主制御装置２６１に出力する。発射許可信号を入力した主制御装置２６１は、発射ソレノイド制御信号を発射制御装置３１２に出力する。これにより発射制御装置３１２は発射ソレノイド制御信号に応じて発射ソレノイドを駆動し、その結果、遊技球発射ハンドルの操作量に応じた強さで遊技球が発射される。
【００５５】
サブ制御装置２６２は、主制御装置２６１からのコマンドに基づいて装飾図柄の変動表示に応じた演出用スピーカ８１０等の鳴動制御及び演出用ランプ８１１の点灯（点滅）制御、並びに、主制御装置２６１からのコマンドに基づいて表示制御装置４５へのコマンドを編集して表示制御装置４５に送信する機能を果たすものである。サブ制御装置２６２のＭＰＵ５５０には、そのＭＰＵ５５０により実行される制御プログラムや固定値データ等を記憶したＲＯＭ５５１と、ワークメモリ等として使用されるＲＡＭ５５２とを備えている。ＭＰＵ５５０には、アドレスバス及びデータバスで構成されるバスライン５５３を介して入出力ポート５５４が接続されている。入出力ポート５５４には、スピーカ、ランプ、装飾図柄表示装置４２における変動表示中において所定の表示演出を実行させるための演出用ボタン７９、及び主制御装置２６１がそれぞれ接続されている。演出用ボタン７９としては、例えば所定のキャラクタが順次出現する態様によって大当たり状態の可能性が大きいことを予告するステップアップ予告等の表示演出用ボタン等が挙げられる。なお、演出用ボタン７９が押されると、所定の演出実行のための演出指定コマンドが生成されて、装飾図柄表示装置４２に送信されようになっている。
【００５６】
表示制御装置４５は、装飾図柄表示装置４２における装飾図柄の変動表示を制御するものである。表示制御装置４５は、ワークＲＡＭ等として使用されるＲＡＭ５２３を有するＭＰＵ５２１と、ＲＯＭ（プログラムＲＯＭ）５２２と、ビデオＲＡＭ５２４と、キャラクタＲＯＭ５２５と、画像コントローラ５２６と、入力ポート５２７と、出力ポート５２９とを備えている。
【００５７】
ＭＰＵ５２１は、サブ制御装置２６２から送信されてくる図柄表示コマンド（停止図柄コマンド、変動パターンコマンド、確定コマンド等）を入力ポート５２７を介して受信するとともに、受信コマンドを解析し、又は受信コマンドに基づき所定の演算処理を行って画像コントローラ５２６の制御（具体的には画像コントローラ５２６に対する内部コマンドの生成）を実施する。プログラムＲＯＭ５２２は、ＭＰＵ５２１により実行される各種の制御プログラムや固定値を記憶するためのメモリであり、背景画像用のＪＰＥＧ形式画像データも併せて記憶保持されている。ＲＡＭ５２３は、ＭＰＵ５２１による各種プログラムの実行時に使用されるワークデータやフラグ等を一時的に記憶するためのメモリである。
【００５８】
画像コントローラ５２６は、ＶＤＰ（ビデオディスプレイプロセッサ）で構成されている。ＶＤＰは、装飾図柄表示装置４２に組み込まれたＬＣＤドライバ（液晶駆動回路）を直接操作する一種の描画回路であり、ＩＣチップ化されているため、「描画チップ」とも呼ばれ、その実体は描画処理専用のソフトウェアを内蔵したマイコンチップとでも言うべきものである。画像コントローラ５２６は、ＭＰＵ５２１、ビデオＲＡＭ５２４等のそれぞれのタイミングを調整してデータの読み書きに介在するとともに、ビデオＲＡＭ５２４に記憶される表示データを、キャラクタＲＯＭ５２５から所定のタイミングで読み出して、出力ポート５２９を介して装飾図柄表示装置４２に出力して表示させる。
【００５９】
ビデオＲＡＭ５２４は、装飾図柄表示装置４２に表示される表示データを記憶するためのメモリであり、ビデオＲＡＭ５２４の内容を書き換えることにより装飾図柄表示装置４２の表示内容が変更される。キャラクタＲＯＭ５２５は装飾図柄表示装置４２に表示される図柄などのキャラクタデータを記憶するための画像データライブラリとしての役割を担うものである。このキャラクタＲＯＭ５２５には、各種の表示図柄のビットマップ形式画像データ、ビットマップ画像の各ドットでの表現色を決定する際に参照する色パレットテーブル等が保持されている。特に、ビットマップ形式の図柄画像データにはそれぞれ図柄コード（図柄番号）が付与されており、コマンドレベルでは各図柄画像を図柄コードだけで管理可能としている。なお、キャラクタＲＯＭ５２５を複数設け、各キャラクタＲＯＭ５２５に分担して画像データ等を記憶させておくことも可能である。また、プログラムＲＯＭ５２２に記憶した背景画像用のＪＰＥＧ形式画像データをキャラクタＲＯＭ５２５に記憶する構成とすることも可能である。
【００６０】
電源装置３１３は、パチンコ機１０の各部に電源を供給するための電源部５４１を備えている。この電源部５４１は、電源経路を通じて、主制御装置２６１や払出制御装置３１１等に対して各々に必要な動作電圧を供給する。その概要としては、電源部５４１は、外部より供給される交流２４ボルトの電圧を取り込み、各種スイッチやモータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を、電源監視装置５４０、サブ制御装置２６２、払出制御装置３１１、表示制御装置４５等に対して供給する。なお、主制御装置２６１に対しては、電源監視装置５４０を介して動作電圧（１２ボルト及び５ボルトの電圧）が供給される。また、発射制御装置３１２に対しては、主制御装置２６１を介して動作電圧（１２ボルト及び５ボルトの電圧）が供給される。
【００６１】
電源監視装置５４０は、停電等による電源遮断を監視する停電監視回路５４２と、リセット信号を出力するリセット回路５４４と、を備えている。
停電監視回路５４２は、停電等の発生による電源遮断時に、主制御装置２６１のＭＰＵ５０１及び払出制御装置３１１のＭＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２６１及び払出制御装置３１１へ出力する。停電信号ＳＧ１の出力によって、主制御装置２６１及び払出制御装置３１１は、停電の発生を認識し、ＮＭＩ割込処理を実行する。なお、電源部５４１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置２６１及び払出制御装置３１１は、ＮＭＩ割込処理を正常に実行し完了することができる。
【００６２】
ＲＡＭ消去スイッチ回路５４３は、ＲＡＭ消去スイッチが押下された場合に、主制御装置２６１及び払出制御装置３１１へ、バックアップデータをクリアするためのＲＡＭ消去信号ＳＧ２を出力する回路である。なお、払出制御装置３１１への信号の送信は、主制御装置２６１を介して行われる。
主制御装置２６１及び払出制御装置３１１は、パチンコ機１０の電源投入時に、ＲＡＭ消去信号ＳＧ２を入力した場合に、それぞれのバックアップデータをクリアする。
【００６３】
リセット回路５４４は、主制御装置２６１、払出制御装置３１１、サブ制御装置２６２、及び表示制御装置４５を初期化するため、リセット信号を出力する回路である。なお、リセット回路５４４からのリセット信号は、主制御装置２６１に対しては直接与えられるが、払出制御装置３１１、サブ制御装置２６２、及び表示制御装置４５に対しては、電源装置３１３を介して与えられるようになっている。
【００６４】
ここで、特別図柄表示装置、普通図柄表示装置、及び装飾図柄表示装置４２の表示内容について説明する。なお、本実施形態のパチンコ機１０においては、大当たりの発生を遊技者に示すための図柄として２個の特別図柄表示装置で表示される特別図柄と、単一の装飾図柄表示装置４２で表示される装飾図柄との２種類が設けられている。装飾図柄は、特別図柄と同期して変動が行われる図柄であり、特別図柄の変動開始と同時に（又はほぼ同時期に）変動を開始し、また特別図柄の変動停止と同時に（またはほぼ同時期に）変動を停止するものである。この装飾図柄は、遊技者に多種多様な表示演出を行って飽きにくい遊技性を備えるために設けられている。
【００６５】
先ず、第１特別図柄表示装置及び第２特別図柄表示装置で行われる特別図柄の表示内容について説明する。特別図柄の変動表示は、８個のＬＥＤセグメントの点灯パターンの変化によりそれぞれ表現される。この特別図柄の変動表示は遊技球の始動入賞装置３３への入賞を契機としてその入賞順に基づいて第１特別図柄表示装置及び第２特別図柄表示装置の何れかで開始され、所定時間後に停止する。具体的には、対応する側の特別図柄表示装置の点灯状態を中止する全消灯処理を行った後、所定の順番で各ＬＥＤセグメントを順次点灯させる切替処理を実行することで変動を開始させ、後述する停止パターン選択カウンタＣ３の値によって決定された変動表示時間が経過すると上述の切替処理を中断して全消灯処理を行い、後述する大当たり乱数カウンタＣ１及び大当たり図柄カウンタＣ２の値に基づいて決定された態様によって各ＬＥＤセグメントを点灯させるようになっており、大当たり抽選における外れ結果を表示する場合にはドット状の１個のＬＥＤセグメントのみを点灯表示させる一方、大当たり結果を表示する場合には、大当たり後に高確率遊技状態を発生させる当選であるか否かによって異なる数字を「８」の字状に並ぶ７個のＬＥＤセグメントを用いて点灯表示する。なお、一方の特別図柄表示装置が変動表示状態である期間において他方の特別図柄表示装置は変動表示を行わず、最後に変動表示された際に停止表示した図柄の点灯表示を継続した状態とされる。遊技球が始動入賞装置３３の上始動口３３ａ及び下始動口３３ｂに入賞した回数はそれぞれ最大４回まで保留され、それらの保留回数は、上始動口３３ａへの入賞に対応する保留数については第１特別図柄保留表示装置及び装飾図柄表示装置４２の所定領域にてそれぞれ表示され、下始動口３３ｂへの入賞に対応する保留数については第２特別図柄保留表示装置及び装飾図柄表示装置４２の所定領域にて表示されるようになっており、加えて、装飾図柄保留表示装置８００の保留ランプ８００ａにて、遊技状態に応じて、上始動口３３ａへの入賞に対応する保留回数又は下始動口３３ｂへの入賞に対応する保留回数が点灯表示されるようになっている。
【００６６】
次いで、装飾図柄表示装置４２の表示内容について説明する。装飾図柄表示装置４２の表示画面には、例えば、上段・中段・下段に区分けされた３つの表示領域に３つの装飾図柄列Ｚ１〜Ｚ３が表示される。これら装飾図柄列Ｚ１〜Ｚ３は、右から左にスクロール表示される。装飾図柄は、例えば「１」〜「９」の数字からなる主図柄と、主図柄より小さい副図柄とにより構成され、これら各主図柄および副図柄によって装飾図柄の図柄列が形成される。装飾図柄で形成される各図柄列では、数字の昇順又は降順に主図柄が配列されると共に各主図柄の間にそれぞれ副図柄が配列されている。始動入賞装置３３への入賞すなわち始動入賞が発生すると、装飾図柄の変動表示が行われ、変動パターンに応じた一定時間の経過後に変動表示が停止し、装飾図柄表示装置４２には縦３×横３の９個の装飾図柄が表示結果として表示される。大当たり抽選に当選した変動表示においては、９個の装飾図柄のうち垂直あるいは斜めの一直線上に同一の主図柄が３つ揃って停止するように表示制御装置４５により制御が行われ、遊技者に大当たりの発生が示される。一方、大当たり抽選に外れた変動表示においては、９個の装飾図柄のうち垂直あるいは斜めのいずれにも同一の主図柄が３つ揃って停止しないように表示制御装置４５により制御が行われ、遊技者に外れの発生が示される。なお、遊技状態がサポート状態（一対の開閉羽根６０が通常より開放し易く且つ開放時間が通常よりも長い状態）を含まない状態である場合においては装飾図柄保留表示装置８００の保留ランプ８００ａにて上始動口３３ａへの入賞に対応する保留回数が赤色の発光で点灯表示される一方、遊技状態がサポート状態を含む状態である場合においては装飾図柄表示装置８００の保留ランプ８００ａにて下始動口３３ｂへの入賞に対応する保留回数が点灯表示されるようになっている。
【００６７】
次いで、普通図柄表示装置において行われる普通図柄の表示内容について説明する。普通図柄の変動表示は、上述した２個のＬＥＤを交互に点灯させることにより表現される。この普通図柄の変動表示は遊技球が作動入賞装置３４の通過口を通過することを条件として開始され、所定時間後に普通図柄の変動表示が停止する。そして、両方のＬＥＤを点灯状態で停止させた場合に始動入賞装置３３が所定時間だけ作動状態となる（一対の開閉羽根６０が開放される）よう構成されている。遊技球が作動入賞装置３４の通過口を通過した回数は最大４回まで保留され、その保留回数が普通図柄保留表示装置にて点灯表示されるようになっている。
【００６８】
（電源投入時）
パチンコ機１０の電源立ち上げ時には、動作確認および電源投入報知として、スピーカ、装飾図柄表示装置４２の液晶画面、枠に配置された各種ＬＥＤ、遊技盤３０に配置された各種ＬＥＤ等の各部が所定時間（本実施形態では３０秒間）に亘って予め定められた動作をするように設定されている。このため、これら各部が正常に機能するか否かを目視確認できる。このとき、パチンコ機１０に不正な改変が加えられたりしていないか否かも併せて確認できる。
【００６９】
次に、上記の如く構成されたパチンコ機１０の動作について説明する。本形態では、主制御装置２６１内のＭＰＵ５０１は、遊技に際し各種カウンタ情報を用いて、大当たり抽選や特別図柄表示装置の図柄表示の設定などを行うこととしている。具体的には、特別図柄に関連するカウンタ群と、普通図柄に関連するカウンタ群とを備えている。先ず、特別図柄に関連するカウンタ群について説明する。特別図柄に関連するカウンタ群としては、大当たりの抽選に使用する大当たり乱数カウンタＣ１と、特別図柄表示装置の大当たり図柄の選択に使用する大当たり図柄カウンタＣ２と、特別図柄表示装置が外れ変動する際の停止パターンの選択（装飾図柄の変動においてはリーチとするか完全外れとするかのリーチ抽選に相当する）に使用する停止パターン選択カウンタＣ３と、大当たり乱数カウンタＣ１の初期値設定に使用する初期値乱数カウンタＣＩＮＩ１と、変動パターン選択に使用する種別を決定する変動種別カウンタＣＳ１〜ＣＳ３とを備えている。
【００７０】
ここで、変動パターンとは、変動表示の特徴が共通するものを区分した場合における各パターン（形態）を意味している。
【００７１】
上記カウンタＣ１〜Ｃ３，ＣＩＮＩ１，ＣＳ１〜ＣＳ３、は、その更新の都度前回値に１が加算され、最大値に達した後０に戻るループカウンタとなっている。各カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア０が設けられており、これらの各エリアには、始動入賞装置３３への遊技球の入賞タイミングに合わせて、大当たり乱数カウンタＣ１、大当たり図柄カウンタＣ２及び停止パターン選択カウンタＣ３の各値がそれぞれ格納される。
【００７２】
次いで、各カウンタの具体的な内容について詳述する。
大当たり乱数カウンタＣ１は、例えば０〜７３８の範囲内で順に１ずつ加算され、最大値（つまり７３８）に達した後０に戻る構成となっている。特に大当たり乱数カウンタＣ１が１周した場合、その時点の乱数初期値カウンタＣＩＮＩ１の値が当該大当たり乱数カウンタＣ１の初期値として読み込まれる。なお、乱数初期値カウンタＣＩＮＩ１は、大当たり乱数カウンタＣ１と同一範囲で更新されるループカウンタとして構成され（値＝０〜７３８）、タイマ割込毎に１回更新されると共に通常処理の残余時間内で繰り返し更新される。大当たり乱数カウンタＣ１は定期的に（本形態ではタイマ割込毎に１回）更新され、遊技球が始動入賞装置３３に入賞したタイミングでＲＡＭ５０３の保留球格納エリア０に格納される。大当たりとなる乱数の値の数は、低確率時と高確率時とで２種類設定されており、低確率時に大当たりとなる乱数の値の数は２で、その値は「３７３，７２７」であり、高確率時に大当たりとなる乱数の値の数は１４で、その値は「５９，１０９，１６３，２１１，２６３，３１７，３６７，４２１，４７９，５２３，５７７，６３１，６８３，７３３」である。なお、高確率時とは、特別図柄の組み合せが予め定められた確率変動図柄である特定図柄の組み合せによって大当たりになり付加価値としてその後の大当たり確率がアップした状態、いわゆる確変の時をいい、通常時（低確率時）とはそのような確変状態でない場合をいう。
【００７３】
大当たり図柄カウンタＣ２は、大当たりの際、特別図柄表示装置における特別図柄の変動停止時の図柄を決定するものであり、例えば０〜４の範囲内で順に１ずつ加算され、最大値（つまり４）に達した後０に戻る構成となっている。例えば、大当たり図柄カウンタＣ２の値が「０」、「１」の場合の停止図柄は、９個のＬＥＤセグメントが特定の点灯パターンで停止し、この場合の停止図柄の組み合せは非特定図柄（通常の大当たり図柄）を意味する。
【００７４】
大当たり図柄カウンタＣ２の値が「２」、「３」、「４」の場合の停止図柄は、９個のＬＥＤセグメントが上記とは別の特定の点灯パターンで停止し、この場合の停止図柄の組み合せは特定図柄（確率変動図柄）を意味する。
【００７５】
大当たり図柄カウンタＣ２は定期的に（本形態ではタイマ割込毎に１回）更新され、遊技球が始動入賞装置３３に入賞したタイミングでＲＡＭ５０３の保留球格納エリア０に格納される。
【００７６】
停止パターン選択カウンタＣ３は、例えば０〜２３８の範囲内で順に１ずつ加算され、最大値（つまり２３８）に達した後０に戻る構成となっている。本形態では、特別図柄の変動表示は、９つのＬＥＤセグメントで表現するように構成されているので、特別図柄の場合にはリーチという概念はなく、リーチに相当する停止パターンを停止パターン選択カウンタＣ３によって、決定することとしている。一方、装飾図柄の場合は、３つの装飾図柄が停止するので、リーチが存在する。従って、装飾図柄の場合は、リーチ抽選を、停止パターン選択カウンタＣ３によって決定している。即ち、装飾図柄の場合では、リーチ発生した後に最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしている。例えば、停止パターン選択カウンタＣ３＝０〜２０１が完全外れに該当し、停止パターン選択カウンタＣ３＝２０２〜２０８が前後外れリーチに該当し、停止パターン選択カウンタＣ３＝２０９〜２３８が前後外れ以外リーチに該当する。
【００７７】
ここで、リーチとは、装飾図柄表示装置４２の表示画面に表示される装飾図柄が変動表示を開始した後、先に停留する図柄の組み合せが同一図柄（複数の有効ラインがある装飾図柄においてはいずれかの有効ライン上で同一図柄）であって大当たりの条件を満たしており、変動表示が続いている図柄の表示結果如何によっては大当たりとなることを遊技者に示唆して大当たりの図柄の組み合せを遊技者に期待させる表示であり、興趣演出の１種である。興趣演出とは、変動表示の途中で装飾図柄表示装置４２の表示画面にリーチに代表される所定の図柄を現出させたり、スピーカから特定の音声を出力したり、或いは、振動用のモータによって遊技球発射ハンドル１８を振動させる等、通常とは異なる態様を変動表示に伴わせて変動表示後の表示結果が大当たりとなることを遊技者に期待させる演出である。
【００７８】
なお、停止パターン選択カウンタＣ３は定期的に（本形態ではタイマ割込毎に１回）更新され、遊技球が始動入賞装置３３に入賞したタイミングでＲＡＭ５０３の保留球格納エリア０に格納される。
【００７９】
変動種別カウンタＣＳ１は、例えば０〜１９８の範囲内で順に１ずつ加算され、最大値（つまり１９８）に達した後０に戻る構成となっている。変動種別カウンタＣＳ２は、例えば０〜２４０の範囲内で順に１ずつ加算され、最大値（つまり２４０）に達した後０に戻る構成となっている。変動種別カウンタＣＳ３は、例えば０〜１６２の範囲内で順に１ずつ加算され、最大値（つまり１６２）に達した後０に戻る構成となっている。
変動種別カウンタＣＳ１によって、ノーマルリーチ、スーパーリーチ、スペシャルリーチ、プレミアムリーチ等のリーチの種別のような大まかな図柄変動態様が決定され、変動種別カウンタＣＳ２によって、例えばノーマルリーチＡ、ノーマルリーチＢ等のようにさらに細かな図柄変動態様が決定され、変動種別カウンタＣＳ２によって、例えばすべり停止変動の場合の変動時間の加減算が決定される。従って、これらの変動種別カウンタＣＳ１〜ＣＳ３を組み合わせることで、変動パターンの多種多様性を容易に実現できる。
【００８０】
カウンタＣＳ１〜ＣＳ３は、後述する通常処理が１回実行される毎に１回更新され、当該通常処理内の残余時間内でも繰り返し更新される。そして、特別図柄表示装置による特別図柄及び装飾図柄表示装置４２による装飾図柄の変動開始時における変動パターン決定に際してカウンタＣＳ１〜ＣＳ３のバッファ値が取得される。
【００８１】
次いで、普通図柄に関連するカウンタ群について説明する。普通図柄に関連するカウンタ群としては、当たりの抽選に使用する当たり乱数カウンタＣ４と、当たり乱数カウンタＣ４の初期値設定に使用する初期値乱数カウンタＣＩＮＩ２とを備えている。
【００８２】
上記当たり乱数カウンタＣ４は、その更新の都度前回値に１が加算され、最大値に達した後０に戻るループカウンタとなっている。カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア１が設けられており、これらの各エリアには、作動入賞装置３４への遊技球の通過に合わせて、当たり乱数カウンタＣ４の値が格納される。
【００８３】
次いで、上記当たり乱数カウンタＣ４，初期値乱数ＣＩＮＩ２の具体的な内容について詳述する。当たり乱数カウンタＣ４は、例えば０〜２５０の範囲内で順に１ずつ加算され、最大値（つまり２５０）に達した後０に戻る構成となっている。そして、当たり乱数カウンタＣ４が１周した場合、その時点の当たり初期値乱数カウンタＣＩＮＩ２の値が当たり乱数カウンタＣ４の初期値として読み込まれる。なお、初期値乱数カウンタＣＩＮＩ２は、当たり乱数カンタＣ４と同一範囲で更新されるループカウンタとして構成され（値＝０〜２５０）、タイマ割込毎に１回更新されると共に通常処理の残余時間内で繰り返し更新される。当たり乱数カウンタＣ４は定期的に（本形態ではタイマ割込毎に１回）更新され、遊技球が作動入賞装置３４を通過したタイミングでＲＡＭ５０３の保留球格納エリア１に格納される。当たり乱数カウンタＣ４の当たりとなる乱数の値の数は１４９で、その値は「５〜１５３」である。
【００８４】
なお、各カウンタの大きさや範囲は一例にすぎず任意に変更できる。但し、不規則性を重視すれば、大当たり乱数カウンタＣ１、停止パターン選択カウンタＣ３、当たり乱数カウンタＣ４、変動種別カウンタＣＳ１〜ＣＳ３の大きさは何れも異なる素数とし、いかなる場合にも同期しない数値としておくのが望ましい。
【００８５】
尚、主制御装置２６１内のＭＰＵ５０１により実行される各制御処理の詳細については、ここでは詳細説明を省く。
しかし、要約すれば、上述のように、始動入賞装置３３への入賞により、主制御装置２６１において所定の確率の当否抽選がなされ、当たりに際しては、特別遊技状態に移行するのであり、これに伴って可変入賞装置３２が入賞球の受球状態となるものである。
【００８６】
（可変入賞装置と捕集部）
この実施例においては、上記の可変入賞装置３２は、次のように構成されている。
この可変入賞装置３２の基本構成は、遊技盤３０の横方向に複数の遊技球を通過させることのできる幅を持つ大入賞口６１からの入球を収容部（図示せず）に収容し、該収容部に設けた排出部から検出センサ（図示せず）に至って検出するように構成されている。
【００８７】
そして、前記遊技盤３０の遊技領域に、窓部１０１と遊技盤３０との間の流下空間を流下する遊技球を入球させる始動入賞装置３３（３３ａ及び３３ｂ：図４参照）が設けられ、前記始動入賞装置３３への入球により、主制御装置２６１によって、所定の確率の当否抽選が行われ、該当たり抽選によって遊技状態が特別遊技状態に移行し、該特別遊技状態において、少なくとも１回、前記可変入賞装置３２が、非受球状態から受球状態に切り替わり、前記受球状態において、前記大入賞口６１から収容部に収容された規定数の入賞球を、前記検出センサにより検出することによって規定数の賞球を払い出すように構成してある。
【００８８】
（特徴構成）
本実施形態のパチンコ機１０においては、図４に示すように、可変表示装置ユニット３５に花弁動作装置４０Ｆが設けられている。可変表示装置ユニット３５は、同図に示すように、遊技領域の中央部に配置され、電動役物ユニットあるいはセンター役物とも称されるものであり、装飾図柄表示装置４２を中央に備え、該装飾図柄表示装置４２の上辺部、下辺部、左辺部および右辺部をセンターフレーム４３で包囲するようにして構成され、遊技領域内の大きな面積を占める大型の役物となっている。センターフレーム４３は、装飾を施した上枠部４３Ｔ、下枠部４３Ｂ、左枠部４３Ｌおよび右枠部４３Ｒよりなる。センターフレーム４３の外周にはネジ孔を有するフランジ４３Ｆが設けられており、木ネジ等により遊技盤３０上に固定されるようになっている。
【００８９】
センターフレーム４３の上枠部４３Ｔは、両端から中央へかけて次第に上方へ幅広となるように、全体としてやや緩やかに山状に隆起する正面形状を有し、上端縁には、遊技盤３０の盤面から前方へ遊技球１球の直径よりやや大きい幅だけ延出する上端面が形成されている。
【００９０】
上枠部４３Ｔの右端および左端からはそれぞれ、右枠部４３Ｒおよび左枠部４３Ｌが下方へ延びている。右枠部４３Ｒおよび左枠部４３Ｌは上枠部４３Ｔと一体的に連続するように成形され、また、上枠部４３Ｔ、右枠部４３Ｒおよび左枠部４３Ｌには全体的に一体的に連続する装飾が施されている。
【００９１】
右枠部４３Ｒの内部には、作動入賞装置３４のすぐ下の高さ位置から下端近傍まで延びるワープルート（球誘導路）が形成されており、該ワープルートにおける上端部は、右方へ向けて開放された入球口４３１Ｒに連通し、該ワープルートにおける下端部は、左方へ向けて開放された袖開口（図示せず）に連通している。左枠部４３Ｌには、上記右枠部４３Ｒとほぼ対称となるように、入球口４３１Ｌを含む同様の構成を有するワープルートが形成されている。
【００９２】
右枠部４３Ｒおよび左枠部４３Ｌの下端からは、下枠部４３Ｂが中央へ向けて緩やかに下傾しながら延びて、全体として谷状の正面形状をなすように形成されている。下枠部４３Ｂの上面には、全体的に下方に凹むように正面視概略谷状に屈曲するステージ４３２が形成されている。該ステージ４３２の中央部すなわち下端部は上方に若干隆起し、その隆起部の内奥側には、上面から下方へ陥入する陥入口（図示せず）が形成されている。また、上記ステージ４３２における中央の下部には、前方へ向けて開口する排出口４３６が設けられ、上記陥入口と排出口４３６とは下枠部４３Ｂの内部で連通している。
【００９３】
前記したようにレールユニット５０を通じて遊技領域の上部に案内された遊技球のうち、ごく一部はセンターフレーム４３の上方を通過して直接的にセンターフレーム４３の右側へと流下していくが、大部分は、センターフレーム４３における上枠部４３Ｔの上端面に当ってこの上を転動し、その右端または左端から、センターフレーム４３の右側または左側へと流下していく。上述のようにセンターフレーム４３に案内されてまたは案内されずにセンターフレーム４３の右側または左側を流下する遊技球のうち、一部はその途上で入球口４３１Ｒ、４３１Ｌに入球し、それ以外の遊技球はセンターフレーム４３の右下方または左下方へ離脱して遊技領域をさらに流下していく。
【００９４】
上記上枠部４３Ｔの入球口４３１Ｒ、４３１Ｌに入球した遊技球は、ワープルートを流下し、上記袖開口からステージ４３２へ案内される。こうしてステージ４３２の両側（両袖）から出てきた遊技球は、ステージ４３２上を転動して左右に往復し、多くはその途上で前面側へ転落し、一部は中央部でうまく陥入口に入って排出口４３６から前面側へ排出され、直下に位置する第１の始動口３３に高確率で入球することとなる。
【００９５】
上記センターフレーム４３の上枠部４３Ｔには、図９ないし図１１に示す演出動作ユニット４０が配設されている。演出動作ユニット４０は、同図に示すように、花弁動作装置４０Ｆ、側方基板４０Ｓ、基板カバー４０Ｃ、シャッタ４０Ｅ、背面板４０Ｒ等を有して構成されている。
【００９６】
花弁動作装置４０Ｆは、図１０ないし図１３に示すように、支持基材４０１に、花弁４０２、萼片４０３等の部材が支持されて構成されている。支持基材４０１は、図２６にも示すように、花弁４０２、萼片４０３等の後側に配置され、全体形状は他の部材に隠れて図に表れていないが、上下にやや長く延びる平板状であって上端縁（図示せず）が水平に延びる直線状の中央本体部を有し、該中央本体部の上端縁における中央の小幅部を除く右側の大部分および左側の大部分が、それぞれ上方へ矩形状に延出してから右方および左方へ矩形状に延出して、これにより中央部から鉤形状をなして左右両側へ拡がる両側延出部４０１Ｅを形成し、これら中央本体部および延出部４０１Ｅが全体として、正面視概略Ｔ字形状をなして立板状に拡がる外形となるように成形された樹脂製の部材となっている。支持基材４０１全体の外周縁から前方へは周壁が延出している。支持基材４０１の中央本体部における上端部中央の位置には中央モータ４０４が後側から固定され、該中央モータ４０４の駆動軸が、支持基材４０１における上記両側延出部４０１Ｅの間に形成される小幅の間隙部を通して前側に突出し、その先端に後述の第１ギア４０４Ｇ（図２６では図示せず）が固定されている。支持基材４０１の中央本体部における中央モータ４０４のやや下方の位置には円状開口４０１Ｐが穿設され、該円状開口４０１Ｐの左右両側にそれぞれ内接するように、後方へ円筒状に延出し、内部に挿入穴を有し、先端部に螺子挿通孔を有する螺子挿通部４０１Ｓが一体的に形成されている。円状開口４０１Ｐの下端部には、正面視略Ｕ字状に下方へ延びる位置決め切欠（図示せず）が形成されている。
【００９７】
支持基材４０１の中央本体部における下端部中央には、オイルダンパ４０５が前側から固定されている。支持基材４０１の両延出部４０１Ｅにおける左右両延出端面にはそれぞれ、支持軸４０６、４０６が右方および左方へ延出するように固定されている。支持基材４０１の前側には、中央部の縦長の概略長円状の領域を開放しつつその周縁領域を前方から覆うように、装飾部材４０７が配置固定されている。該装飾部材４０７は、上端部領域を構成する横長の上側部と、該上側部以下の領域を構成する概略Ｕ字形状の下側部とから分割構成されている。
【００９８】
上述の通り、支持基材４０１は全体として上下にやや長く延びる形状となっているが、花弁動作装置４０Ｆが後述するように上下に移動可能に配設されるものであるため、支持基材４０１が左右に長い形状に成形されるよりも上下に長い形状に成形されるほうが、動作スペースを少なくできる。このとき、中央モータ４０４およびオイルダンパ４０５はそれぞれ、後述するように円状開口４０１Ｐの位置に重ねるように同心に配置される第２ギア４２７Ｇおよび第３ギア４３０Ｇに連動連結（リンク）されるため、それぞれ第２ギア４２７Ｇおよび第３ギア４３０Ｇの外周であって互いに干渉しない位置であれば任意の位置に配置することができるが、上述のように第２ギア４２７Ｇおよび第３ギア４３０Ｇを介して上下に、即ち上下に対向する位置に配置されていることにより、支持基材４０１が上下に長い形状となっている。
【００９９】
花弁４０２は、図１４および図１５に示すように、全体として開花状態のハイビスカスの花を構成する、互いに分離した５枚の花弁のうちの１枚の形状をそれぞれ模して成形された樹脂製の部材となっている。花弁４０２のそれぞれは、配置状態で中心から外周側へ概略三角形状に拡がる正面形状を有し、中心から外周へかけて、前方へ緩やかに膨出するように湾曲する形状となっている。花弁４０２の表面には多数の皺を含む不規則な凹凸が形成され（図示省略）、周縁も正面視不定形に凹凸する形状となっている。各花弁４０２の後側面における外周近傍には、周方向に距離をおいて隣接する２箇所にそれぞれ、後方へ円筒状に延出し内部に螺子穴を有する螺入部４０８が一体的に形成されている。５枚の花弁４０２は互いに厳密には同一形状とはなっておらず、凹凸等に僅かな相違があるが、おおよそ同様の形状に成形されている。花弁４０２の大部分は、特定色（赤色）を有するがほぼ透明に近く、外周縁部は、内側領域との間に特に境界を形成することなく、上記特定色（赤色）が濃くなるように着色がなされている。各花弁４０２の一方側端縁部は一方に隣接する花弁４０２の側端縁部の前側に重ねられ、他方側端縁部は他方に隣接する花弁４０２の側端縁部の後側に重ねられ、こうして５枚の花弁４０２が先端を同一中心にむけて集結するように配置されている。
【０１００】
萼片４０３は、図１６および図１７に示すように、上記５枚の花弁４０２にそれぞれ対応する、互いに分離した５個の萼片のうちの１個の形状をそれぞれ模して成形された樹脂製の部材となっている。萼片４０３のそれぞれは、配置状態で中心から外周側へ概略扇形状に拡がる正面形状を有し、さらにその外周縁部が前方へ延出する形状となっている。さらに、図５５に示すように、萼片４０３の外周側部は周方向に両側へやや幅広に拡がり、そのぶん外周側部よりも内側（中心側）は幅狭となるように形成されており、これにより、図４７に示すように、５個の萼片４０３が最も中心側へ集結した状態（即ち後述する集結位置にある状態）でも、隣り合う萼片４０３の間に間隙４０３Ｓが形成されるようになっている。５個の萼片４０３は、配置状態で全体として、中心部に円状の開口部４０９を有する円板形状（ドーナツ形状）の後側面を有し、前側面は、図１６および図１７に示すように、中心部から、前方へ延出する外周縁部へと、凹面状に湾曲する内面を形成しながら次第に前方へ厚みが増大していく概略王冠状の形状となるように成形されている。このため、萼片４０３は外周側ほど前後方向の厚みが大となっているが、内部は中空状とされて後側面が開放され、この内部空間を仕切る複数のリブが一体的に形成されている。なお、図４７に示すように、各萼片４０３における中心側から外周側への延出方向Ｄ１１は、厳密には開口部４０９の中心から延びる径方向Ｄ１２には一致しておらず、正面視反時計回りにある程度（角度θ１）傾斜する方向となっている。この傾斜は、後述するスリット部材４１５における中央スリット４２１の傾斜に一致するものである。
【０１０１】
また、配置状態にある萼片４０３の後側面における開口部４０９の近傍には、後方へ円筒状にやや延出するピン挿入部４１０が一体的に形成され、該ピン挿入部４１０の両側にはそれぞれ、後方へ円筒状に延出し内部に螺子穴を有する螺入部４１１が一体的に形成されている。螺入部４１１は、各萼片４０３の両側壁にそれぞれほぼ内接するように形成され、さらに、この内接部分に、ピン挿入部４１０の両側に位置する２個の螺入部４１１を結ぶ直線に対し垂直であって萼片４０３の後側面よりも後方へ矩形状に延出するスライドリブ４１２が、螺入部４１１の周面に外接する面方向に沿って両側へ延出するように、螺入部４１１の周壁と一体的に形成されている。図１６に示すように、各萼片４０３の前側面には、上記花弁４０２の螺入部４０８に対応する２箇所にそれぞれ、前方へ円筒状に延出し、内部に螺子挿通孔を有し、先端部に花弁４０２の螺入部４０８を前方から入れ子状に受容する挿入穴を有する螺子挿通部４１３が一体的に形成されている。萼片４０３の外周側面には、やや稠密な紋様による装飾が施されている。萼片４０３の表面には全体的にメッキ（本パチンコ機１０では赤色）が施され、これにより前側面（内側面）が鏡面状となっている。
【０１０２】
各萼片４０３の螺子挿通部４１３にはそれぞれ、対応する花弁４０２の螺入部４０８が前方から挿入されて図１４および図１５に示すように後側からネジ４１４が螺入され、これにより各萼片４０３が対応する花弁４０２にそれぞれ固定される。
【０１０３】
萼片４０３の後側には、図１４および図１５に示すように、スリット部材４１５が配置される。スリット部材４１５は、図１８にも示すように、同様の５つの形状部分が円環状に連続する正面形状を有する樹脂製の板状部材となっており、中央部には円状開口４１６が穿設され、図１９に示すように該円状開口４１６の周縁から後方に概略円筒状の周壁部４１７が延出している。周壁部４１７には、周方向に等間隔をおいた５箇所にそれぞれ、前後に円筒状に延び内部に螺子穴を有する螺入部４１８が一体的に形成されており、該螺入部４１８により周壁部４１７がこれら５箇所で局部的に内外に膨出するようになっている。また、周壁部４１７の先端縁におけるほぼ径方向に対向する２箇所から、位置決めボス４１９が延出している。図１４に示すように、スリット部材４１５の前側面における外周近傍には、周方向に沿って等間隔をおいた５箇所にそれぞれ、前方へ円筒状に延出し、内部に螺子挿通孔を有し、先端部に挿入穴を有する螺子挿通部４２０が一体的に形成されている。
【０１０４】
スリット部材４１５の５つの螺子挿通部４２０の間にはそれぞれ、図１８に示すように、中央スリット４２１および両側スリット４２２が形成されている。中央スリット４２１はそれぞれ、円状開口４１６よりやや外側の位置からさらに外側へ直線状に延びるように形成されている。ただし、円状開口４１６の中心から外側へ向かう方向すなわち円状開口４１６の径方向Ｄ１に対し、中央スリット４２１は正面視反時計回り方向に角度θ１（本パチンコ機１０では約２３°）だけ傾斜した方向Ｄ２に沿って延びている。両側スリット４２２は、中央スリット４２１の両側に若干の間隔をおいて平行に延びるように形成されている。このように中央スリット４２１およびその両側の両側スリット４２２の３本のスリットよりなる組が、同様にして他の螺子挿通部４２０の間の４箇所にもそれぞれ形成されている。なお、中央スリット４２１および両側スリット４２２の各端部は基本的に正面視丸状（半円状）に形成されているが、これら３本のスリットよりなる組において最外側に位置する両側スリット４２２の外側縁の両端、即ち３本のスリットにおける４隅部は、該両側スリット４２２の延長方向に概ね矩形状をなしてやや延出する形状となっている。この矩形状の延出部は、前記萼片４０３におけるスライドリブ４１２を嵌入させるためのものである。
【０１０５】
スリット部材４１５は、螺子挿通部４２０、中央スリット４２１および両側スリット４２２の最も外周側の形状より若干外側を、当該形状に追従しながら延びるような外形に成形されている。換言すれば、螺子挿通部４２０、中央スリット４２１および両側スリット４２２の構造部分を確実に（十分な強度を確保しながら）内包する範囲内で、極力外側へ拡がることがなく、不要な領域が可及的に削減された外形となっている。
【０１０６】
また、上述の通り、図１８に示すように中央スリット４２１および両側スリット４２２よりなる組がそれぞれ円状開口４１６の径方向Ｄ１に対して傾斜した方向Ｄ２に沿って延びているので、そのぶん、５組の中央スリット４２１および両側スリット４２２が内側へ寄り合うようにして、より密に配置形成されており、これによってもスリット部材４１５の外形がコンパクト化されている。換言すれば、仮に５組の中央スリット４２１および両側スリット４２２が円状開口４１６の径方向Ｄ１に対して傾斜せずにこの径方向Ｄ１に沿って放射状に延びるように配置形成されたとした場合よりも、上述の通り傾斜した方向Ｄ２に沿って延びるように配置形成された場合のほうが、５組の中央スリット４２１および両側スリット４２２をより密にレイアウトすることができてそのぶんスリット部材４１５の外周形状をより小さくすることができる。
【０１０７】
中央スリット４２１および両側スリット４２２には、図１４および図１５に示すように、スリット部材４１５の後側から、スライド部材４２３が配置される。スライド部材４２３は、図２０に示すように、中央で僅かに屈曲し、中央から概略へ字状をなして両側へ直線状に延びる正面形状と、中央部における矩形の断面形状とを有する樹脂製の部材となっている。スライド部材４２３の両端部には、後側から陥入するように厚みが小となった延出部が形成されている。この延出部の肉厚は、スライド部材４２３の中央部における肉厚の半分より若干小さい程度となっている。換言すれば、スライド部材４２３は、両端の延出部よりも、その間の中央部が、後方へ厚さが２倍余り大きくなるように段状に膨出した形状となっている。両端の延出部は、先端部が正面視半円形状に成形され、内側には螺子挿通孔４２４が穿設されている。スライド部材４２３の中央には、前方および後方へ突出するように、スライドピン４２５が前後に貫通させるようにして固定されている。
【０１０８】
スライド部材４２３は、図１４および図１５に示すように、屈曲により鈍角的に突出する山側を中心のほうに向けるようにして、スリット部材４１５における中央スリット４２１および両側スリット４２２の３本のスリットに渡るように配置される。一方、スリット部材４１５における中央スリット４２１および両側スリット４２２には、萼片４０３のピン挿入部４１０および螺入部４１１が前側から嵌入される。十分に嵌入した状態では、萼片４０３のピン挿入部４１０および螺入部４１１はスリット部材４１５の後側面よりもごく僅かに後方へ突出する。この状態で、スライド部材４２３の両側の螺子挿通孔４２４にそれぞれ前側から座金付ネジ（ワッシャヘッドネジ）４２６が挿通され、萼片４０３の螺入部４１１に螺入されて固定される。これにより、スライド部材４２３が、間にスリット部材４１５を介在させて萼片４０３の後側に固定される。このとき、スライド部材４２３のスライドピン４２５が萼片４０３のピン挿入部４１０に挿入され、また、萼片４０３のスライドリブ４１２が、スリット部材４１５における両側スリット４２２の対応する外側縁に沿って殆ど隙間なく挿入される。これにより、萼片４０３がスリット部材４１５における中央スリット４２１および両側スリット４２２にスライド自在に保持され、このとき、萼片４０３が、ピン挿入部４１０を中心に回ることなく一定の外側方向を向いた体勢でスライド移動するように、スライドリブ４１２により規制される。
【０１０９】
このように、スライド部材４２３が、スリット部材４１５における中央スリット４２１および両側スリット４２２に対して横断するように配置固定され、中央スリット４２１および両側スリット４２２の長さ方向すなわちスライド方向に対して回動することなく直交する体勢を維持しながらスライド自在に保持される構成となっているので、そのぶんスライド部材４２３がスライド方向に占有するスペースも小さくなっている。例えば仮に、中央スリット４２１に対してその長さ方向に沿ってある程度の幅を有するスライド片を挿入してスライド自在に保持する構成とすることによっても、回ることなく一定の外側方向を向いた体勢でスライド移動させることが可能となり、両側スリットおよびその取付構造も不要となる。しかしながら、これによれば、スライド片の幅のぶんだけ、スライド方向に占有するスペースが大となる。
【０１１０】
また、５個の萼片４０３がこのようにスリット部材４１５に取り付けられた後、最も中心側へ集結した状態（即ち後述する集結位置にある状態）において、萼片４０３の間の間隙４０３Ｓを通してスリット部材４１５の螺子挿通部４２０がそれぞれ前方へ突出するようになっている。換言すれば、５個の萼片４０３は間隙４０３Ｓによってスリット部材４１５の螺子挿通部４２０を避けるようにして配置され、各萼片４０３が中央スリット４２１および両側スリット４２２に沿ってスライド移動する途上でも、それぞれスリット部材４１５の螺子挿通部４２０に抵触しないようになっている。
【０１１１】
上述のように萼片４０３がスライド自在に取り付けられたスリット部材４１５には、さらに後側から回転板４２７が配置される。回転板４２７は、図２１ないし図２３に示すように、中央に円状の枢支開口４２８を有する樹脂製の円板となっている。回転板４２７の前側面においては、図２１に示すように、枢支開口４２８の周縁から周壁が前方へ延出し、さらに、該周壁の周りにガイドレール４２９が形成されている。ガイドレール４２９は、回転板４２７の前側面から周壁が前方へ延出し、この周壁が、回転板４２７の面方向に沿って、正面視細長のループ状に閉じるように延びる形状となるように、回転板４２７に一体的に形成されている。ガイドレール４２９の周壁の延出高さは枢支開口４２８の周縁における周壁の延出高さと同一となっている。ガイドレール４２９の内側の幅は、遊び程度の僅かな隙間をもって前記スライドピン４２５を挿入し得る程度となっている。ガイドレール４２９の周壁の延出端における稜角部は角落ちするように形成されている。
【０１１２】
ガイドレール４２９は、図５８に示すように、枢支開口４２８の周縁における周壁の外側に接する位置から、枢支開口４２８の接線の方向に沿って正面視反時計回り方向側へ延び出し、この後、この接線方向よりも、さらに正面視反時計回り方向側へ向けて弧状に湾曲しながら、回転板４２７の外周近傍の位置まで延びている。ガイドレール４２９における枢支開口４２８側端部すなわち中心側端部において枢支開口４２８の周縁部に外接する部分の周壁は、枢支開口４２８の周縁における周壁と一体的に連続するように形成されている。枢支開口４２８の周縁における周壁の周りには、上述と同様にしてあと４本のガイドレール４２９が形成され、全体として５本のガイドレール４２９が、等間隔をおいて、枢支開口４２８の周りから外側へ渦巻き状に拡がるように延びている。
【０１１３】
回転板４２７の後側面においては、図２２に示すように、枢支開口４２８の周縁から周壁状に後方へ延出し、その外周に歯を有する第２ギア４２７Ｇが一体的に形成されている。第２ギア４２７Ｇは、前記第１ギア４０４Ｇに噛み合うように配置され、中央モータ４０４により回転駆動される。回転板４２７は、図１３にも示すように枢支開口４２８をスリット部材４１５の周壁部４１７に外嵌するようにして取り付けられ、このとき、前記スライド部材４２３から後方へ突出している５本のスライドピン４２５の後端部を、図５８に示すようにそれぞれ５本のガイドレール４２９に挿入するようにする。スリット部材４１５における周壁部４１７の外周面は前述の通り５箇所で螺入部４１８により局部的に膨出しているので、回転板４２７の枢支開口４２８の内周面に対して面的にではなく線的に接触し、これにより回転板４２７の枢支開口４２８がスリット部材４１５の周壁部４１７に摩擦抵抗の少ない状態で外嵌されて回転板４２７がスムーズに回転自在に枢支される。
【０１１４】
第２ギア４２７Ｇの後側にはさらに、図２２に示すように、第２ギア４２７Ｇよりやや小径で枢支開口４２８より大径の第３ギア４３０Ｇが同心となるように配置固定され、前記オイルダンパ４０５のギア４０５Ｇに噛み合うように配置される。第３ギア４３０Ｇの中央には、円状の枢支開口４４０が穿設され、該枢支開口４４０の周囲には、前記スリット部材４１５の周壁部４１７における５箇所の螺入部４１８のうちの３箇所に対応する位置に螺子挿通孔４４１が、前記２箇所の位置決めボス４１９に対応する位置に位置決め孔４４２が、それぞれが穿設されている。第３ギア４３０Ｇは、前記スリット部材４１５の周壁部４１７に外嵌された第２ギア４２７Ｇの後側に重ねるようにして配置され、スリット部材４１５の周壁部４１７に対し、位置決めボス４１９を位置決め孔４４２に挿入することにより位置決めし、螺子挿通孔４４１を通して螺子４４３（図１５参照）を螺入部４１８に螺入することにより固定される。これにより、スリット部材４１５が第３ギア４３０Ｇを介してオイルダンパ４０５のギア４０５Ｇに連動連結（リンク）されて該オイルダンパ４０５により制動されるとともに、第３ギア４３０Ｇが抜け止めとなって回転板４２７がスリット部材４１５の周壁部４１７に離脱しないように保持される。
【０１１５】
図１４および図１５に示すように、スリット部材４１５の前側からは、中央軸部材４４４が配置される。中央軸部材４４４は、図２４および図２５に示すように、円筒状の軸部４４５の前側端に、拡径するように円板状のフランジ４４６が一体的に形成された構成となっている。フランジ４４６の中央部は軸部４４５の内部と連通して円状に開口し、これにより軸部４４５の内部を前後に貫通する内腔部４４７が形成されている。フランジ４４６の前側面における内腔部４４７の周囲には、正面視三角形の頂点をなす３箇所に、円筒状に前方へやや短く延出し内部に螺子穴を有する２つの前側螺入部４４８と、円柱状に前方へやや短く延出する１つの支持突起４４９とがそれぞれ一体的に形成されている。２つの前側螺入部４４８にはそれぞれ、周面から径方向に壁状に延出し、その延出端で円柱状に前後に延びる円柱状部が一体的に形成され、該円柱状部の先端から前側位置決めボス４５０が突出するように形成されている。前側螺入部４４８から円柱状部まで延びる延出部分と、支持突起４４９とは同一の延出高さを有している。内腔部４４７の内周面には、対向する２箇所に並行するように軸部４４５の軸方向に沿って円柱状に延び、軸部４４５の後側端よりさらに後方まで延出し、内部に螺子穴を有する後側螺入部４５１が一体的に形成されている。軸部４４５の周壁の後側端において両後側螺入部４５１から等距離にある位置には、後側位置決めボス４５２が後方へ突出するように一体的に形成されている。
【０１１６】
図１４および図１５に示すように、中央軸部材４４４の前側には、ＬＥＤ基板４５３が配置される。ＬＥＤ基板４５３は、図２４および図２５に示すように、中央軸部材４４４のフランジ４４６より若干大径の略円板状の基板となっている。ＬＥＤ基板４５３には、前記中央軸部材４４４の前側螺入部４４８および前側位置決めボス４５０に対応する位置に、螺子挿通孔４５４および位置決め孔４５５がそれぞれ形成されている。中央軸部材４４４の前側位置決めボス４５０をＬＥＤ基板４５３の位置決め孔４５５に挿入して位置決めし、ＬＥＤ基板４５３の螺子挿通孔４５４を通して螺子４５６を中央軸部材４４４の螺子挿通孔４５４に螺入することにより、中央軸部材４４４のフランジ４４６の前側を覆うようにＬＥＤ基板４５３が固定される。
【０１１７】
ＬＥＤ基板４５３の前側面には、図２４に示すように、中央の１箇所と、この１箇所の周囲に多重（２重）に拡がる同心円上に等間隔をおいて並ぶ多数箇所とに、前向ＬＥＤ４５７がそれぞれ配置固定され、前方へ向けて発光するようになっている。ＬＥＤ基板４５３の前側面における外周縁近傍には、周方向に等間隔をおいて並ぶ多数箇所に、第１横向きＬＥＤ４５８が配置固定され、ＬＥＤ基板４５３の径方向に沿って外側へ向けて発光するようになっている。
【０１１８】
図２５に示すように、ＬＥＤ基板４５３の後側面における外周縁近傍には、周方向に等間隔をおいて並ぶ多数箇所に、第２横向きＬＥＤ４５９が配置固定され、ＬＥＤ基板４５３の径方向に沿って外側へ向けて発光するようになっている。ＬＥＤ基板４５３の後側面における中央部には、コネクタ接続部４６０が後方へ向けて配置固定されている。
【０１１９】
ＬＥＤ基板４５３が配置固定された中央軸部材４４４の軸部４４５は、スリット部材４１５の円状開口４１６に前側から挿入される。中央軸部材４４４の軸部４４５が十分に挿入されると、その後端が第３ギア４３０Ｇの枢支開口４４０から僅かに後方へ突出する。軸部４４５の後端からさらに後方へ突出する後側位置決めボス４５２を前記支持基材４０１における位置決め切欠（図示せず）に挿入して位置決めし、同じく軸部４４５の後端からさらに後方へ突出する後側螺入部４５１を前記支持基材４０１における螺子挿通部４０１Ｓの挿入穴に挿入してネジ固定することにより、中央軸部材４４４が支持基材４０１に固定される。このとき、ＬＥＤ基板４５３のコネクタ接続部４６０には配線が接続され、該配線は中央軸部材４４４の内腔部４４７および支持基材４０１の円状開口４０１Ｐを通して後方へ導出される（図示せず）。以上の取付構造により、中央軸部材４４４の軸部４４５が支持基材４０１に対し前方へ突出するように固定され、図１３にも示すように該軸部４４５にスリット部材４１５の周壁部４１７が外嵌するようにして取り付けられる。このとき、スリット部材４１５の周壁部４１７の内周面は前述の通り５箇所で螺入部４１８により局部的に膨出しているので、中央軸部材４４４の軸部４４５の外周面に対して面的にではなく線的に接触し、これによりスリット部材４１５の周壁部４１７が中央軸部材４４４の軸部４４５に摩擦抵抗の少ない状態で外嵌されてスリット部材４１５がスムーズに回転自在に枢支される。
【０１２０】
図１４および図１５では、明確化のため、ＬＥＤ基板４５３および中央軸部材４４４が萼片４０３よりも後方に示されているが、実際には、ＬＥＤ基板４５３および中央軸部材４４４は萼片４０３の前方から取り付けられる。即ち、中央軸部材４４４の軸部４４５が、萼片４０３の開口部４０９に前方から挿通されるようにして取り付けられる。あるいは、ＬＥＤ基板４５３および中央軸部材４４４を前述のようにスリット部材４１５の円状開口４１６に挿通した後、中央軸部材４４４とスリット部材４１５との間に周囲から萼片４０３を挿入するようにして配置してもよい。いずれにせよ、組立後には萼片４０３が中央軸部材４４４とスリット部材４１５との間に周囲から出入し得るように配置される。
【０１２１】
萼片４０３の前側には、図１４および図１５に示すように、花床４６１が配置される。花床４６１は、中心から外周へかけて、前方へ緩やかに錘面状に迫り出すように僅かに湾曲しながら拡がる正面視概略円環状の透明樹脂よりなる板状体となっており、正面視における寸法（面積）は集結した状態の５枚の花弁４０２よりもやや小さいものとなっている。花床４６１は、外周がやや不規則な波形状をなして延び、表面には多数の皺を含む不規則な凹凸が形成されている。花床４６１の中心には螺子挿通孔４６２が穿設されている。花床４６１の後側面における外周縁部には、前記スリット部材４１５の螺子挿通部４２０に対応する５箇所にそれぞれ、後方へ円筒状に延出し内部に螺子穴を有する螺入部４６３が一体的に形成されている。花床４６１の中心には、前後に延び、後端部には内部に螺子穴を有する透明樹脂製の雌しべ４６４が前側から配置され、螺子挿通孔４６２の後側から螺子４６５が螺入されて固定されている。花床４６１は、ＬＥＤ基板４５３を前側から覆うようにして、螺入部４６３をスリット部材４１５の螺子挿通部４２０に挿入し螺子を螺入することにより固定される。これにより、花床４６１は、花弁４０２とＬＥＤ基板４５３との間に配置され、スリット部材４１５と一体化されている。換言すれば、前側から花床４６１、ＬＥＤ基板４５３および中央軸部材４４４がこの順に配置固定され、これら３部材を前後から挟み込むような体勢で、花弁４０２および萼片４０３が一体となって、正面視において雌しべ４６４にむけて集結または離散するように、スリット部材４１５におおむね径方向にスライド自在に保持された構成となっている。
【０１２２】
以上のようにして、ＬＥＤ基板４５３が配置固定された中央軸部材４４４が支持基材４０１に固定され、中央軸部材４４４に後側からスリット部材４１５が回転可能に外嵌され、スリット部材４１５に後側から回転板４２７が回転可能に外嵌され、スリット部材４１５に前側から花弁４０２および萼片４０３がスライド自在に保持されている。この構成においては、図４５および図４６に示すように、後述する集結位置にあるとき、５個の萼片４０３が中央に寄り合うように集結し、その外周よりも内側（中心側）に他の部材がおおむね納まるように構成されている。即ち、図４６に示すように、回転板４２７、中央軸部材４４４（図４６では図示せず）等の外周は集結位置にある萼片４０３の外周よりも小さく内側に納まっており、一方、萼片４０３以外の花弁４０２、スリット部材４１５および第１ギア４０４Ｇは、集結位置にある萼片４０３の外周より僅かにはみ出す部分があるものの、おおむね内側に納まっている。特に、スリット部材４１５は前述の通り、極力外側へ拡がることがなく不要領域が可及的に削減された外形に成形されているので、組立状態においてもこのように集結位置にある萼片４０３の外周よりも極力外側へはみ出さないようになっている。
【０１２３】
図２６に示すように、支持基材４０１の後側には、中継基板４６６が配置されている。中継基板４６６は、支持基材４０１における中央本体部の上端よりやや下方の高さ位置（概ね中央モータ４０４の中心あたりの高さ位置）から下方であって、両延出部４０１Ｅの左右両延出端間の距離にほぼ等しい横幅を有する矩形状の領域全体を後側からほぼ覆うように立て板状に配置された正面視概略矩形状の基板となっている。中継基板４６６の中央部には、上端から中心部まで正面視概略Ｕ字形状をなして凹入する中央切欠４６７が形成されており、該中央切欠４６７を通して、中央モータ４０４と、支持基材４０１の円状開口４０１Ｐと、オイルダンパ４０５の上端部とが後方へ露出している。中継基板４６６は、支持基材４０１の後側面に重ねるようにしてネジ固定されている。中継基板４６６には、中央モータ４０４およびＬＥＤ基板４５３が接続されている。
【０１２４】
支持基材４０１の上端部には、図２６に示すように、懸架部材４６８が固定されている。懸架部材４６８は、支持基材４０１における両延出部４０１Ｅの左右の延出方向に沿って、該両延出部４０１Ｅの左右両延出端間の距離とほぼ等しい長さで横長に延びる樹脂製の部材となっている。懸架部材４６８の中央部には、支持基材４０１における両延出部４０１Ｅに跨る概ね直方体状の外形を有して該両延出部４０１Ｅに後方から重ね合わせてネジ固定される本体部４６８Ｂが形成され、該本体部４６８Ｂの両側面からは、軸挿通孔を有する矩形状の軸挿通片４６８Ｔが延出している。
【０１２５】
懸架部材４６８の本体部４６８Ｂの両端すなわち本体部４６８Ｂと螺子挿通片４６８Ｔとの境界部の前側にはそれぞれ、スライド部４６８Ｓが一体的に形成されている。スライド部４６８Ｓは、中空の概略直方体状であって、上壁および下壁には軸挿通孔が穿設された形状となっている。両スライド部４６８Ｓはそれぞれ、背面板４０Ｒに上下に架設するように固定されるスライド軸４６９に外嵌され、これにより懸架部材４６８がスライド軸４６９に上下にスライド自在に保持される。
【０１２６】
懸架部材４６８の本体部４６８Ｂにおける両スライド部４６８Ｓの間には、中央モータ４０４を間隔をおいて上方から覆うように、正面視円弧状をなして後方へ延出する庇部４６８Ｅが一体的に形成されている。
【０１２７】
花弁動作装置４０Ｆの両側において、後述する側方基板４０Ｓおよび基板カバー４０Ｃには、開閉機構が装架される。開閉機構は、後述する昇降機構と連動してシャッタ（遮蔽板）４０Ｅを開閉する機構であり、図１０および図１１に示すスライダ４７０、開閉駆動アーム４７１、シャッタ４０Ｅ等を有して構成されている。
【０１２８】
スライダ４７０は、図２６に示すように、支持基材４０１の両支持軸４０６の先端に配置されている。スライダ４７０は、上下に四角柱状に延びる本体部を有し、図３９に示すように、該本体部には、前側面と内側面（支持基材４０１に対向する側面）とで構成される角部を切り欠くようにして上下に長い直方体状に延びる係合切欠４７０Ｇが形成され、該係合切欠４７０Ｇに側方から支持軸４０６の先端部が進入して係合するようになっている。図２６に示すように、該本体部の後側面における上下２箇所には、後方へ円柱状に突起するスライド突起４７０Ｐが一体的に形成されている。該本体部における外側面（支持基材４０１に対向する側面と反対側の側面）からは立て板状の片状部が側方へ延出し、該片状部の下端部には左右方向に長く延びる長孔４７０Ｌが前後に貫通するように穿設されている。
【０１２９】
開閉駆動アーム４７１は、スライダ４７０の外側（支持基材４０１に対向する側と反対側）に配置されている。開閉駆動アーム４７１は、ほぼ直角に近い角度（本パチンコ機１０では約９５°程度）で屈曲する概略Ｖ字形の正面形状を有し、中央の屈曲部には前後に円筒状に延びる軸支部４７１Ｇが一体的に形成されている。開閉駆動アーム４７１における花弁動作装置４０Ｆ側（支持基材４０１寄りの側）の端部には、後方へ円柱状に延出する第１嵌合突起４７１Ｅが一体的に形成され、スライダ４７０の長孔４７０Ｌに前側から挿入され、該長孔４７０Ｌに左右に遊動し得るように嵌合している。開閉駆動アーム４７１における第１嵌合突起４７１Ｅ形成側と反対側の端部には、前方へ円柱状に延出する第２嵌合突起４７１Ｆが一体的に形成されている。開閉駆動アーム４７１における軸支部４７１Ｇと第２嵌合突起４７１Ｆとの間の中間部には、後方へ円柱状に延出し、その延出端から上方へ片状部が延出する係止部４７１Ｐが一体的に形成されている。さらに、係止部４７１Ｐと第２嵌合突起４７１Ｆとの間には、下方へ正面視概略Ｕ字形状をなして延出するＵ字突起部が一体的に形成され、該Ｕ字突起部の後側面における延出端部に半球状の摺動突起４７１Ｃが後方へ突出するよう一体的に形成されている。
【０１３０】
支持基材４０１の両支持軸４０６にはそれぞれ、上述の構造により、スライダ４７０および開閉駆動アーム４７１が左右対称となるように連結されている。
【０１３１】
花弁動作装置４０Ｆの両側には、図９ないし図１１に示すように、側方基板４０Ｓがそれぞれ配置されている。側方基板４０Ｓは、図２７および図２８に示すように、やや横長の概略矩形の立て板状に成形された樹脂製の部材となっている。側方基板４０Ｓには、内側縁（花弁動作装置４０Ｆに隣接する側縁）の近傍に、上端近傍から下端近傍まで上下に直線状に延びるガイドレール４７２が形成されている。側方基板４０Ｓの内側上端の隅部には、前方へ円筒状に延出し内部に螺子穴を有する螺入部４７３Ｔが一体的に形成され、該螺入部４７３Ｔよりも外側方（花弁動作装置４０Ｆから離隔する側方）であってやや下方の高さ位置には、同様の構成を有する螺入部４７３Ｎが一体的に形成されている。これら上側で左右に配置形成された螺入部４７３Ｔ、４７３Ｎは、間にガイドレール４７２を挟むように位置している。外側方の螺入部４７３Ｎの上には、螺子挿通孔４８９が穿設されている。
【０１３２】
側方基板４０Ｓの下端縁における内側部には、前後に水平に拡がるフランジ部４７４が一体的に形成されている。フランジ部４７４の内側縁はさらに内側下方へ斜めにやや湾曲しながら延出し、該延出部の後側縁がさらに立壁状に内側方へ延出し、この立壁状部に螺子挿通孔４７５が穿設されている。該延出部の前側縁は立壁状に外側方へ延び、この前側の立壁状部に、上記上側の螺入部４７３Ｔ、４７３Ｎと基本的に同様の構成を有する螺入部４７３Ｂが一体的に形成されている。フランジ部４７４は、図２８に示すように、側方基板４０Ｓの後側では平面視概略矩形状に後方へ延出し、内側端より外側方の位置で段状に一段高くなり、さらにその外側方の位置で、段状にさらに一段高くなるとともに後側縁が前方へ引き込むようにして一段小幅となり、さらにその外側方の位置で、後側縁が前方へ引き込むようにしてさらに一段小幅となって外側方へ延びている。フランジ部４７４の外側端は上方へ直角に折れ曲がって延び、その途上で正面視弧状に湾曲しながらさらに外側方へ延びた後、再び上方へ折れ曲がって延び、上端で直角に折れ曲がって、内側方へ延びる上側壁を形成している。
【０１３３】
図２７および図２８に示すように、側方基板４０Ｓの内側上端の隅部には、平面視概略矩形状をなして内側後方へ延出するとともに内側へむけて緩く上傾し、この延出部の後側縁部からさらに後下方へ直方体状に延出した形状を有する張出部４７６が一体的に形成されている。張出部４７６よりも外側方へ螺入部４７３Ｔをおいて離隔した位置には、平面視矩形状に後方へ延出する延出片４７７が一体的に形成されている。
【０１３４】
側方基板４０Ｓの立て板状に拡がる壁は、中央部よりやや内側の位置であって、前記フランジ部４７４の後側において段状に高くなっている２箇所のうちの外側寄りの箇所に一致する左右位置で上下に延びる直線を境界線として、この境界線より外側方が一段後方へ（内奥へ）後退して後退領域４７Ｒが形成され、これにともないこの後退領域４７Ｒより内側が、一段前方に突出する突出領域４７Ｆを形成している。後退領域４７Ｒと突出領域４７Ｆとの間の境界部における下端近傍には、前方へ延出する支軸４７８が設けられ、突出領域４７Ｆはこの支軸４７８を回避するように、当該隅部を切欠いた形状に形成されている。支軸４７８の内側下方には、前方へ円柱状に延出する係止突起４９０が一体的に形成されている。支軸４７８の外側方には、後方へ円筒状に延出し、内部に前側から延びる螺子穴を有する螺入部４７３Ｍが一体的に形成され、該螺入部４７３Ｍの内側には位置決めボス４７３Ｐが一体的に形成されている。支軸４７８の上方には、突出領域４７Ｆから外側方へ、正面視において支軸４７８を中心とする円弧状をなして延びる突条４７９が一体的に形成されている。該突条４７９の前側面は、突出領域４７Ｆと面一となるように形成されている。さらに、該突条４７９の上方には、突出領域４７Ｆと後退領域４７Ｒとに跨るように、支軸４７８を中心とする円弧状をなして延びる突壁４８０が一体的に形成されている。該突壁４８０は全体として、突出領域４７Ｆの表面よりも前方まで延出している。該突壁４８０において、突出領域４７Ｆより外側方へ延びる部分は、先端の一部を除き、後退領域４７Ｒよりも後方まで延出し、この延出部分と後退領域４７Ｒの上端縁との間の、矩形の一隅部を弧状に切欠いた正面形状を有する領域が、この延出部分とともに皿状に後方へ凹入して凹入部４７Ｎが形成されている。
【０１３５】
凹入部４７Ｎの外側方であって側方基板４０Ｓの外側端上部の隅部近傍には、円形のモータ露出孔４８１が穿設されている。該モータ露出孔４８１の周縁部における対向する２箇所には、位置決め突起４８２がそれぞれ前側へ突設されている。両位置決め突起４８２の近傍には、螺子挿通孔４８３がそれぞれ穿設されている。両螺子挿通孔４８３の間には、露出孔４８１より大径の円弧状をなして延びる案内突条４８４が形成されている。案内突条４８４の外側方と、モータ露出孔４８１の下方であって側方基板４０Ｓの外側端下部の隅部近傍とには、螺子挿通孔４８５、４８６がそれぞれ穿設されている。各螺子挿通孔４８５、４８６にはそれぞれ下方および上方に位置決め孔４８５Ｐ、４８６Ｐが穿設されている。下側の螺子挿通孔４８６の内側には、前方へ円筒状に延出し内部に螺子穴を有する螺入部４８７が一体的に形成されている。螺入部４８７の内側には、円状に穿設された孔の周縁から後方へ周壁が延出する構成を有する軸支周壁４８８が一体的に形成されている。側方基板４０Ｓの下面における外側端よりやや内側には、下方へ２つの平行な垂直片が延出しその延出端が水平片により連続して正面視溝形をなし、当該水平片の中央部に、前後に円筒状に延びて内部に螺子穴を有する螺入部４９１が一体的に形成されている。該螺入部４９１よりやや内側には、側方基板４０Ｓの下面から下方へ垂直片が延出しその延出端が内側へ延出して正面視鉤状をなす鉤状片４７３Ｅが一体的に形成されている。
【０１３６】
図２８に示すように、フランジ部４７４の下方には、下側装飾板４９２が配置されている。下側装飾板４９２は、フランジ部４７４にほぼ平行に拡がる概略板状に成形され、下面には装飾が施されている。下側装飾板４９２の外側端後部の隅部には、外側方へ矩形の水平片状に延出し、その後側端が垂直に下方へ延出してその中央に螺子挿通孔が穿設されるとともに延出端縁部が中央で逆Ｕ字形状に上方へ凹入するように成形された取付部４９２Ｆが一体的に形成されている。
【０１３７】
図２７および図２８に示すように、モータ露出孔４８１には側方モータ４９３が前側から配置され、位置決め突起４８２および案内突条４８４で位置決めして螺子挿通孔４８３でネジ固定される。側方モータ４９３の駆動軸はモータ露出孔４８１を通して後側に突出し、その先端に第４ギア４９４Ｇが固定されている。第４ギア４９４Ｇには第５ギア４９５Ｇが噛み合い、軸支周壁４８８の後端に回転自在に嵌合される。第５ギア４９５Ｇには後方へ延出し先端部が断面Ｄ字形状に成形されたクランク駆動軸４９５Ｐが固定されている。
【０１３８】
側方基板４０Ｓは、図１０および図１１に示すように、ほぼ左右対称となるように２個構成され、花弁動作装置４０Ｆの両側にそれぞれ配置される。両側方基板４０Ｓは、張出部４７６が左側の側方基板４０Ｓにのみ形成されていて右側の側方基板４０Ｓには形成されていない点などを除いては、基本的に左右対称の構成となっている。
【０１３９】
側方基板４０Ｓの後側には、背面板４０Ｒが配置される。背面板４０Ｒは、図２９に示すように、右側の側方基板４０Ｓの外形にほぼ対応する外形を有する右側部４６Ｒと、左側の側方基板４０Ｓの外形にほぼ対応する外形を有する左側部４６Ｌと、右側部４６Ｒと左側部４６Ｌとの間に架設された中央部４６Ｍとから構成され、全体として、配置状態の花弁動作装置４０Ｆおよび両側方基板４０Ｓを後方からほぼ覆う横長の立て板状の樹脂製の部材となっている。
【０１４０】
中央部４６Ｍは、上面部と前面部と後面部の左下部とが開放された概略直方体状に形成され、該中央部４６Ｍの右前側端縁および左前側端縁が、右側部４６Ｒの左側端縁および左側部４６Ｌの右側端縁にそれぞれ連なるようにして配設されている。換言すれば、間にやや間隔をおいて両側に配置された右側部４６Ｒと左側部４６Ｌとの間に介在しかつ右側部４６Ｒおよび左側部４６Ｌから後方へ突出するようにして中央部４６Ｍが配設され、これにより右側部４６Ｒ、中央部４６Ｍおよび左側部４６Ｌがこの順に連続して配設されて全体として背面板４０Ｒが構成されている。
【０１４１】
右側部４６Ｒおよび左側部４６Ｌの内側端（中央部４６Ｍ側端）における上下の隅部にはそれぞれ、前方へ直方体状に延出し、その前面から溝状に後方へ凹入する軸受凹部と、該軸受凹部の両側で前後に円筒状に延出し内部に螺子穴を有する螺入部とから構成される軸支持部４９６が一体的に形成されている。右側部４６Ｒおよび左側部４６Ｌの内側端よりやや外側（中央部４６Ｍ側と反対側）であって高さ方向中央よりやや上方の位置にはそれぞれ、正面視円盤状で前方へ段状に突出し、前面中央から後方へ円柱状に延出する軸支突起部４９７が一体的に形成されている。軸支突起部４９７より外側方の上端部には、前方へ円筒状に延出し内部に螺子穴を有する螺入部４９８が一体的に形成されている。軸支突起部４９７より内側上方に隣接する位置、螺入部４９８より外側方に隣接する位置ならびに螺入部４９８より下方の位置にはそれぞれ、螺子挿通孔６０１、６０２、６０３が穿設されている。軸支突起部４９７の上方であって右側部４６Ｒおよび左側部４６Ｌにおける内側上方の隅部近傍には、後方へ円筒状に延出し、内部に前側から延びる螺子穴を有する螺入部４９７Ｍが一体的に形成され、該螺入部４９８Ｍの外側方に隣接する位置には位置決めボス４９７Ｐが一体的に形成されている。軸支突起部４９７の下方であって右側部４６Ｒおよび左側部４６Ｌにおける内側下方の隅部近傍には、後方へ円筒状に延出し、内部に前側から延びる螺子穴を有する螺入部４９８Ｍが一体的に形成されている。
【０１４２】
右側部４６Ｒおよび左側部４６Ｌの外側端部には、やや厚みを有して前方へ段状に膨出する膨出部６０４が形成されている。膨出部６０４の内側縁部における上端近傍部は、先端が正面視半円状となるように内側へやや長く延出し、この延出部の前面には左右に延びる長孔状の軸挿通スリット６０５が穿設されている。膨出部６０４の内側縁部における軸挿通スリット６０５の下方の位置には、軸挿通孔の周縁が膨出部６０４の前面から前方へやや周壁状に延出した構成を有する軸挿通部６０６が一体的に形成されている。軸挿通部６０６の周囲には、軸挿通部６０６とやや間隔をおいて同心となるように、正面視内側上部が欠損した概略部分円状の溝部６０７が形成されている。膨出部６０４における前面壁の内側縁は、溝部６０７に沿って内側へ円弧状に突出する形状となっているが、この突出部の後側に位置する膨出部６０４の内側面は開放されている。また、図１１に示すように、右側部４６Ｒおよび左側部４６Ｌにおける膨出部６０４の後側面は開放されており、右側部４６Ｒおよび左側部４６Ｌにおける膨出部６０４形成位置より内側の壁の外側縁は、溝部６０７より大径で溝部６０７と同心の円弧状をなして内側へ凹入する形状となっている。図２９に示すように、溝部６０７の外側上部に隣接する位置には、膨出部６０４の前面から前方へやや突出し、正面視円環状に延びる軸支突条６０８が一体的に形成されている。
【０１４３】
膨出部６０４の外側端上部の隅部は内側へ切欠いた形状に成形され、この切欠部の内奥端部には、該内奥端部を壁状に閉塞し前後に貫通する螺子挿通孔を有する上側螺子挿通部６０９が一体的に形成されている。膨出部６０４の外側端下部の隅部には、下方へ正面視Ｕ字形状に延出し前後に貫通する螺子挿通孔を有する下側螺子挿通部６１０が一体的に形成されている。膨出部６０４の外側端部における上側螺子挿通部６０９形成位置の下方の位置ならびに溝部６０７の外側方でやや下寄りの位置にはそれぞれ、膨出部６０４の前面から円筒状に前方へやや長く延出し内部に螺子穴を有する上側螺入部６１１および下側螺入部６１２が一体的に形成されている。上側螺入部６１１および下側螺入部６１２にはそれぞれ、周面から径方向に沿って下方および上方へ壁状に延出し、その延出端で円柱状に前後に延びる円柱状部が一体的に形成され、各円柱状部の先端から上側位置決めボス６１１Ｐおよび下側位置決めボス６１２Ｐがそれぞれ突出するように形成されている。
【０１４４】
側方基板４０Ｓの前側には、図１０および図１１に示すように、被覆板４０Ｐが配置される。被覆板４０Ｐは、前記開閉駆動アーム４７１における花弁動作装置４０Ｆ側部（概ね軸支部４７１Ｇから第１嵌合突起４７１Ｅ形成側端までの部分）と、スライダ４７０との可動領域を覆うとともに、開閉駆動アーム４７１における花弁動作装置４０Ｆ側と反対側部（概ね軸支部４７１Ｇから第２嵌合突起４７１Ｆ形成側端までの部分）の可動領域を覆わないように、一箇所から上方および外側方へ延出する概略Ｌ字形の正面形状を有する立て板状の樹脂製の部材となっている。
【０１４５】
被覆板４０Ｐの内側端部は、正面視上下にやや長く延びる概略短冊状に拡がり、この短冊状部の後側面には、上端部から下端部まで間隔をおいて平行に延びる複数条（３条）の突条６１３が一体的に形成されている。短冊状部の上端部には、被覆板４０Ｐの前側面から後側面まで厚さ方向に延び、内部に挿入穴および螺子挿通孔を有する螺子挿通部６１４が一体的に形成されている。短冊状部の内側縁における上端部からは内側へ矩形の片状部が延出し、該片状部の前側面には前方へ円柱状に突出する第１摺動突起６１５が一体的に形成されている。短冊状部の外側縁における上端部よりやや下方の位置には、側方へ片状に延出し、外周から後側へ周壁が延出するとともに、先端部が正面視半円状で中央に螺子挿通孔を有する螺子挿通片６１６が一体的に形成されている。短冊状部の下端縁には、後方へ平面視矩形状に延出してその延出端で下方へ折れ曲がるようにして正面視Ｕ字形に延出し、その先端部に挿通孔を有する支持片６１７が一体的に形成されている。短冊状部の下端部からは、外側方へやや細長の下辺部が延出し、これら短冊状部と下辺部とが、被覆板４０Ｐの概略Ｌ字形の主要部を構成している。下辺部の外側端よりやや内側の位置には、前方へ円筒状に延出し内部に螺子穴を有する第２摺動突起６１８が一体的に形成されている。下辺部の外側端から第２摺動突起６１８より若干内側寄りの位置までの部位には、下面および後面が開放された概略直方体状をなして後方へ延出する延出部６１９が一体的に形成され、該延出部６１９の後上端縁からは上方へ延出片が延出し、該延出片に、螺子挿通孔６１９Ｍおよびその内側に隣接する位置決め孔６１９Ｐが一体的に形成されている。短冊状部のほぼ下半部は外側方へ延出し、該延出部の上端縁は弧形状をなして湾曲しながら下方へ延び、その途上で逆向きの弧形状をなして湾曲しながら延びて、下辺部の上端縁に一体的に連続している。これにより、短冊状部と下辺部とにより形成される入隅部内に、正面視概略Ｓ字状に蛇行しながら延びる外縁形状を有して該入隅部を閉塞する壁部が一体的に形成されている。短冊状部における内側端縁の上端部から、短冊状部の上端縁および外側端縁を経て、下辺部の下端縁まで延びる外縁部には、前記螺子挿通片６１６の周壁を含むように、後方へやや延出する周壁が連続して形成されている。
【０１４６】
被覆板４０Ｐは、左右対称となるように２個構成され、左右のスライダ４７０および開閉駆動アーム４７１の前側にそれぞれ配置される。
【０１４７】
被覆板４０Ｐの前側には、図１０および図１１に示すように、基板カバー４０Ｃが配置される。基板カバー４０Ｃは、側方基板４０Ｓに対応する正面形状を有して該側方基板４０Ｓの前側を覆うように配置される立て板状の樹脂製の部材となっている。基板カバー４０Ｃは、正面視概略矩形で下端縁における外側端部が下方へ台形状に先細に延出する形状を有する本体部６２０Ｂを有している。該本体部６２０Ｂにおける上端縁部の内側半部は上方にやや延出し、さらに該延出部が内側へやや長く延出しており、これにより本体部６２０Ｂにおける上端縁部のほぼ中央部から内側へ横長の短冊状に延びる上側延出部６２０Ｔが形成されている。上側延出部６２０Ｔは、内部の大部分が本体部６２０Ｂよりも後方へ凹入し、これにより外周に周壁部が形成された皿状となるように成形されている。上側延出部６２０Ｔには、本体部６２０Ｂの内側端にほぼ隣接する位置から内側の延出端部まで横方向にスリット状に延びる上レール６２１が形成されている。上レール６２１の中央よりやや外側方寄りの位置における上側延出部６２０Ｔの上端部には、上側延出部６２０Ｔの厚さ方向に延び、内部に挿入穴および螺子挿通孔を有する螺子挿通部６２２が一体的に形成されている。本体部６２０Ｂの外側端縁における下端よりやや上方には、側方へ横長の矩形状に延出し、該延出部の上端縁が後方へ延出しその延出端で上方へ延出して垂直片が一体的に形成され、該垂直片に、厚さ方向に延び内部に挿入穴および螺子挿通孔を有する螺子挿通部６２３が一体的に形成されている。本体部６２０Ｂの下端縁における内側端よりやや側方には、下方へ矩形状に延出し、該延出部の下端縁が後方へ湾曲しながらやや延出してその延出端がさらに、後方かつ下方かつ内側寄りの方向へ斜めに延出し、該延出部の延出端が下方へ正面視Ｕ字形状に延出して、該延出部に、厚さ方向に延び内部に挿入穴および螺子挿通孔を有する螺子挿通部６２４が一体的に形成されている。本体部６２０Ｂの後側面における中央よりやや外側方上寄りの位置には、円筒状に前方へやや短く延出し内部に螺子穴を有する螺入部６２５が一体的に形成されている。該螺入部６２５には、周面から径方向に内側へ延出し、その延出端で円柱状に前後に延びる円柱状部が一体的に形成され、該円柱状部の先端から位置決めボス６２６が突出するように形成されている。本体部６２０Ｂの後側面における下端縁部の内側端よりやや外側方には、円柱状部が後方へ突出し、該円柱状部の先端から位置決めボス６２７が突出するように形成されている。本体部６２０Ｂにおける外周縁の大部分には、後方へやや延出する周壁が形成されている。
【０１４８】
基板カバー４０Ｃは、ほぼ左右対称となるように２個構成され、上側延出部６２０Ｔの先端同士をつき合わせるようにして配置される。左側の基板カバー４０Ｃにおける上側延出部６２０Ｔの先端上側の出隅部には、上方および内側へ矩形状に延出し、上部および内側部にそれぞれ螺子挿通孔を有する螺子挿通片６２８が一体的に形成され、内側部の螺子挿通孔で右側の基板カバー４０Ｃにおける上側延出部６２０Ｔの先端部にネジ固定されるようになっている。また、右側の基板カバー４０Ｃにおける上側延出部６２０Ｔでは、上レール６２１の中央よりやや側方寄りの位置に、螺子挿通部６２２が上端部を上側延出部６２０Ｔから上方へ突出させるようにして形成されているが、これに対し、左側の基板カバー４０Ｃにおける上側延出部６２０Ｔでは、上レール６２１のほぼ側方端の位置に、螺子挿通部６２２が上側延出部６２０Ｔから上方へ突出しないように、上側延出部６２０Ｔの上端縁に内接するようにして形成されている。
【０１４９】
シャッタ４０Ｅは、基板カバー４０Ｃの後側に配置される。シャッタ４０Ｅは、基板カバー４０Ｃを上下左右が反転するように１８０°回転させたものにおおむね相当する外形を有する立て板状の樹脂製の部材となっている。シャッタ４０Ｅには、下端縁部の中央部よりやや外側方の位置から外側方へ横長の短冊状に延びる下側延出部６２９Ｂが形成されている。下側延出部６２９Ｂには、内側端部から延出端部よりやや内側の位置まで横方向にスリット状に延びる下レール６３０が形成されている。シャッタ４０Ｅの上端縁における内側端から外側端よりやや内側の位置までの部位は上方へ横長の短冊状に延出して上側延出部６２９Ｔが形成されている。上側延出部６２９Ｔの前側面における内側端部には、前方へ円柱状に突出する第３摺動突起６３１が一体的に形成されている。上側延出部６２９Ｔの後側面には、後側レール６３２が形成されている。後側レール６３２は、上側延出部６２９Ｔの後側面から周壁が後方へ延出し、この周壁が、上側延出部６２９Ｔの面方向に沿って、正面視横長に延びるループ状に閉じる形状となるように、上側延出部６２９Ｔに一体的に形成されている。シャッタ４０Ｅの外側縁における上端部からは、縦長の延出片が側方へ延出し、該延出片に、縦長の長孔状のカム溝６３３が穿設されている。該カム溝６３３の周縁からは周壁が後方へ延出している。
【０１５０】
シャッタ４０Ｅは、ほぼ左右対称となるように２個構成されているが、右側のシャッタ４０Ｅの内側端縁における上端部および中央近傍にはそれぞれ嵌合ボス６３４Ｂが一体的に形成され、左側のシャッタ４０Ｅの内側端縁における上記嵌合ボス６３４Ｂに対応する位置にはそれぞれ嵌合孔６３４Ｐが形成されて、後述するように中央に寄り合うように閉じる際に嵌合ボス６３４Ｂが嵌合孔６３４Ｐにそれぞれ嵌合するようになっている。また、右側および左側のシャッタ４０Ｅの前面にはそれぞれ、上記のように閉じた状態で全体として一連の図案を構成する装飾の右側部および左側部が形成されている。
【０１５１】
側方基板４０Ｓおよび背面板４０Ｒには、昇降機構が装架される。昇降機構は、前記側方モータ４９３を駆動源としてこの側方モータ４９３の動力を伝動して花弁動作装置４０Ｆを昇降させる機構であり、図１０および図１１に示す第１クランクアーム６３５、連接棒６３６、第２クランクアーム６３７、レバー（梃子）６３８等を有して構成されている。
【０１５２】
第１クランクアーム６３５は、図３０に示すように、両端が半円形で全体として長円状にやや延び、両面の外周縁からはそれぞれリブ状に周壁がやや突出した外形を有し、初期位置では同図に示すように長手方向を左右に、厚さ方向を前後にそれぞれ向けるように立てて配置される平板状の樹脂製の部材となっている。第１クランクアーム６３５における外側端（図３０では左端）および内側端（図３０では右端）の半円形の中心にはそれぞれ、前方へやや長く、後方へやや短く（周壁と同程度に）突出するように円柱状に延びる第１クランクピン６３５Ｐおよびクランク軸部６３５Ｓが一体的に形成されている。クランク軸部６３５Ｓには、断面略Ｄ字形状の回転軸挿通孔が軸方向に貫通するように穿設され、前記第５ギア４９５Ｇのクランク駆動軸４９５Ｐが挿通されて固定されるようになっている。第１クランクアーム６３５における外周面の外側端上側（図３０では左上側）からは、正面視やや先細の四辺形となるように外側上方（図３０では左上方）へ延出する遮光片６３５Ｂが一体的に形成されている。
【０１５３】
第１クランクアーム６３５の外側上方（図３０では左上方）には、回転位置検知センサ６３９が配置されている。回転位置検知センサ６３９は、間隔をおいて平行に延出する２本の角柱状体よりなるゲート部６３９Ｇを備え、該ゲート部６３９Ｇの両角柱状体における一対の対向面のうち一方に発光素子が、他方に受光素子がそれぞれ配置された構成となっている。回転位置検知センサ６３９の前側部には、両端に螺子挿通孔を有する螺子挿通片６３９Ｆが一体的に形成されている。図３０に示すように、回転位置検知センサ６３９は、初期位置における第１クランクアーム６３５の遮光片６３５Ｂの先端部をゲート部６３９Ｇで前後から挟む体勢となるようにして前記背面板４０Ｒにおける膨出部６０４の内部に配置され、該膨出部６０４の前側壁の後側面（内面）における外側上方の隅部近傍に、螺子挿通片６３９Ｆでネジ固定される。図１１に示すように、背面板４０Ｒの膨出部６０４における前側壁の後側面には、螺子挿通片６３９Ｆに対応する螺入部６０４Ｆが一体的に形成されている。図３０に示すように第１クランクアーム６３５が初期位置にあると、回転位置検知センサ６３９のゲート部６３９Ｇにおいて発光素子からの光が遮光片６３５Ｂに遮られ、第１クランクアーム６３５が初期位置から回転すると、遮光片６３５Ｂがゲート部６３９Ｇから離れて発光素子からの光が受光素子に受容され、これにより、第１クランクアーム６３５の回転位置が検知されて昇降機構の動作状況が把握されるようになっている。
【０１５４】
連接棒６３６は、図３１に示すように、正面視概略帯状に左右に長く延び、幅方向を上下に向けて立てて配置される平板状の樹脂製の部材となっている。連接棒６３６の内側端部（図３１では左端部）には、前方へ円柱状に突出する支軸６３６Ｐが一体的に形成されている。連接棒６３６の内側端部から外側端部（図３１では右端部）よりやや内側寄りの位置までは正面視概略帯状に延びており、その先端部で下方へ直角に屈曲しやや延出して鉤形状をなしており、この鉤形状の延出部までの内側部全体における前後両面の外縁からはそれぞれリブ状に周壁がやや突出している。上記鉤形状の延出部における外側後方端縁（図３１では右後側端縁）からは側方へ横長の片状部が延出し、該片状部の外周縁からは、上記鉤形状の延出部における周壁の前端とほぼ同一の前後位置まで周壁が突出している。上記横長の片状部における外側端部には上方へ正面視逆Ｕ字形状に延出する延出片が一体的に形成され、該延出片には前方へ円筒状に突出し前後に貫通する孔を有するピン挿通部６３６Ｓが一体的に形成されている。
【０１５５】
第２クランクアーム６３７は、図３１に示すように、おおむね外側方（図３１では右方）へ延出する出力側片６３７Ｅと、該出力側片６３７Ｅよりやや短くおおむね下方へ延出する入力側片６３７Ｒとを有し、全体としてやや直角に近い角度（本パチンコ機１０では約８０°程度）で屈曲する概略Ｖ字形の正面形状を有する平板状の樹脂製の部材となっている。第２クランクアーム６３７全体の後側面における外周縁からは後方へ周壁が突出している。第２クランクアーム６３７における中央の屈曲部には、後方へ円筒状に突出し前後に貫通する孔を有するピン挿通部が一体的に形成され（図３１では図示せず）、該ピン挿通部には後方へやや長く突出するようにアーム軸６３７Ｓが挿通され、第２クランクアーム６３７の前側で先端部にＥ型止め輪が嵌着されている。出力側片６３７Ｅの先端部には、前方へ円柱状に突出する第２クランクピン６３７Ｐが一体的に形成されている。入力側片６３７Ｒの先端部には軸挿通孔が穿設され、該軸挿通孔が前記連接棒６３６の支軸６３６Ｐに外嵌されて回動自在に軸支されている。
【０１５６】
レバー６３８は、図３１に示すように、ほぼ中央部において緩い角度で正面視概略Ｓ字状に蛇行するように段階的に屈曲して左右に長く延び、幅方向を上下に向けて立てて配置される平板状の樹脂製の部材となっている。この屈曲部の中央部には、後方へ円筒状に突出し前後に貫通する孔を有するピン挿通部６３８Ｅが一体的に形成されている。屈曲部から外側方（図３１では右方）へは正面視若干先細となるようにやや長く延び、正面視半円状の先端部には、後方へ円筒状に突出し後端から内部に延びる螺子穴を有する支軸６３８Ｆが一体的に形成されている。屈曲部から内側（図３１では左側）へは正面視横長の矩形状にやや短く延びている。上記支軸６３８Ｆ形成側端（側方端）からこの矩形状部までの部分の後側面における外周縁からは後方へ周壁が突出している。ピン挿通部６３８Ｅの周囲には同心となるように正面視円形の周壁が後方へ突出するよう形成され、この円形の周壁が、上記外周縁の周壁に同一の突出高さを有して内接するように一体的に形成されている。上記ピン挿通部６３８Ｅはこれら周壁よりもさらに後方へ突出し、上記支軸６３８Ｆは上記ピン挿通部６３８Ｅよりもさらに後方へ突出している。上記矩形状部の内側端部は、厚さ方向に沿って前方へ膨出し、その前側端部からさらに内側へ延びて、これにより厚さ方向に一段前方へ迫り出すようにして内側へ延びる内側先端片６３８Ｎが一体的に形成され、該内側先端片６３８Ｎは上記矩形状部から平面視概略Ｓ字状に直角に屈曲しながら連続して延びている。内側先端片６３８Ｎの先端部には、左右にやや長く延びる長孔状の軸挿通部６３８Ｌが穿設されている。内側先端片６３８Ｎの後側面における外周縁および軸挿通部６３８Ｌの外周縁からは、両者が一体的に連続するように後方へ周壁が突出している。
【０１５７】
第１クランクアーム６３５は、前述の通り、回転位置検知センサ６３９のゲート部６３９Ｇに遮光片６３５Ｂを挟まれるようにして、立てた初期位置の体勢で、背面板４０Ｒにおける膨出部６０４の内部に配置される。一方、前記第５ギア４９５Ｇが、背面板４０Ｒにおける膨出部６０４の前側に配置され、膨出部６０４の軸挿通部６０６に後側からクランク駆動軸４９５Ｐが挿通されて第５ギア４９５Ｇに固定される。クランク駆動軸４９５Ｐの先端部は、第１クランクアーム６３５のクランク軸部６３５Ｓに挿入され固定される。
【０１５８】
連接棒６３６は、図１０および図１１に示すように背面板４０Ｒの前側に配置され、外側端部が背面板４０Ｒの膨出部６０４に内側から差し入れられ、ピン挿通部６３６Ｓが第１クランクアーム６３５の第１クランクピン６３５Ｐに前側から外嵌される。連接棒６３６の支軸６３６Ｐには、前述の通り、第２クランクアーム６３７の入力側片６３７Ｒにおける先端部の軸挿通孔が軸支されており、第２クランクアーム６３７のアーム軸６３７Ｓは、背面板４０Ｒの軸支突起部４９７に前側から挿入されて回動自在に軸支される。第２クランクアーム６３７の第２クランクピン６３７Ｐは、レバー６３８のピン挿通部６３８Ｅに後側から挿入されて回動自在に軸支される。レバー６３８の支軸６３８Ｆは、背面板４０Ｒの軸挿通スリット６０５に前側から挿通され、該軸挿通スリット６０５内にスライド自在にかつ回動自在に軸支される。レバー６３８の軸挿通部６３８Ｌは、懸架部材４６８の軸挿通片４６８Ｔにピン軸により回動自在に軸支される。
【０１５９】
昇降機構は、左右対称となるように２組構成され、左右の側方基板４０Ｓと、背面板４０Ｒの右側部４６Ｒおよび左側部４６Ｌとにそれぞれ装架される。
【０１６０】
開閉機構のスライダ４７０は、スライド突起４７０Ｐが前側から側方基板４０Ｓのガイドレール４７２に挿入され、前側から被覆板４０Ｐによりカバーされるようにして配置される。これにより、被覆板４０Ｐの突条６１３に前側から当接されながら、スライダ４７０が側方基板４０Ｓのガイドレール４７２に上下にスライド自在に保持される。開閉駆動アーム４７１の第１嵌合突起４７１Ｅは、前述の通りスライダ４７０の長孔４７０Ｌに前側から挿入されて嵌合しており、開閉駆動アーム４７１の軸支部４７１Ｇは、図１０および図１１に示すコイルバネ４７１Ｓとともに、側方基板４０Ｓの支軸４７８に前側から外嵌され、支軸４７８の先端に図１０および図１１に示すＥ型止め輪４７８Ｅ（参照）が嵌着されて固定される。コイルバネ４７１Ｓの一方端は、リング状に成形されていて側方基板４０Ｓの係止突起４９０に外嵌されて係止され、コイルバネ４７１Ｓの他方端は、鉤形状に成形されていて開閉駆動アーム４７１の係止部４７１Ｐに係止されて該係止部４７１Ｐを押し下げる方向に付勢するようになっている。開閉駆動アーム４７１の第２嵌合突起４７１Ｆには、シャッタ４０Ｅのカム溝６３３が前側から外嵌される。
【０１６１】
シャッタ４０Ｅは、後側レール６３２に被覆板４０Ｐの第１摺動突起６１５を後側から嵌入し、下レール６３０に被覆板４０Ｐの第２摺動突起６１８を後側から挿入して該第２摺動突起６１８の先端に第１摺動子部材６１８Ｓをネジ固定し、第３摺動突起６３１を基板カバー４０Ｃの上レール６２１に後側から挿入して該第３摺動突起６３１の先端に第２摺動子部材６３１Ｓをネジ固定することにより、被覆板４０Ｐと基板カバー４０Ｃとの間に挟まれるようにして、左右にスライド自在に保持される。第１摺動子部材６１８Ｓおよび第２摺動子部材６３１Ｓはそれぞれ、図１０および図１１に示すように、下レール６３０および上レール６２１の幅より大きい外径を有する円板状のフランジの後側に、下レール６３０および上レール６２１の幅より小さい外径を有して後方へ概略円柱状に短く突出する摺動突起が一体的に形成された構成を有し、該摺動突起を下レール６３０および上レール６２１に遊動自在に嵌入して、第２摺動突起６１８の先端および第３摺動突起６３１の先端にそれぞれ固定されるようになっている。
【０１６２】
開閉機構は、左右対称となるように２組構成され、左右の側方基板４０Ｓおよび基板カバー４０Ｃにそれぞれ装架される。
【０１６３】
背面板４０Ｒにおける軸支持部４９６の軸受凹部には、前記左右のスライド軸４６９に外嵌された懸架部材４６８のスライド部４６８Ｓが前側から配置され、軸支持部４９６の螺入部にネジ固定される。これにより、左右のスライド軸４６９が背面板４０Ｒに上下に架設され、花弁動作装置４０Ｆが上下にスライド自在に保持される。
【０１６４】
被覆板４０Ｐは、螺子挿通部６１４、螺子挿通片６１６、支持片６１７および螺子挿通孔６１９Ｍを、側方基板４０Ｓの螺入部４７３Ｔ、４７３Ｎ、４７３Ｂおよび４７３Ｍにそれぞれネジ固定することにより取り付けられる。これと同様にして、基板カバー４０Ｃ、側方基板４０Ｓおよび背面板４０Ｒが、対応する螺子挿通部と螺入部との間のネジ固定といった手段により、前後に重なり合うような体勢で互いに取付固定される。
【０１６５】
上述のようにして構成された演出動作ユニット４０は、基板カバー４０Ｃの螺子挿通片６２８および下側装飾板４９２の取付部４９２Ｆをセンターフレーム４３の上枠部４３Ｔにネジ固定することにより、図４に示すように、花弁動作装置４０Ｆをセンターフレーム４３の上枠部４３Ｔにおける中央部から前面に露出させるようにして配置固定される。
【０１６６】
演出動作ユニット４０においては、上述の構成により、Ａ．花弁動作装置４０Ｆの昇降動作（以下、単に「昇降動作」とも称す）、Ｂ．シャッタ４０Ｅの開閉動作（以下、単に「開閉動作」とも称す）ならびにＣ．花弁動作装置４０Ｆにおける花弁４０２および萼片４０３の集散および回転の動作（以下、単に「集散回転動作」とも称す）という各種の動的な動作と、Ｅ．花弁動作装置４０Ｆの発光動作（以下、単に「発光動作」とも称す）とを行うようにサブ制御基板により制御されるようになっている。以下、演出動作ユニット４０におけるＡ．〜Ｃ．の動的動作およびＥ．の発光動作について順次記述する。
【０１６７】
なお以下、演出動作ユニット４０における正面視左側部、すなわち図３２、図３４および図３６における左側部あるいは図３３、図３５および図３７における右側部に着目して説明するが、正面視右側部については正面視左側部と同様（左右対称）の動作となっているため説明を省略する。
【０１６８】
Ａ．昇降動作
（Ａ１）初期位置
初期位置においては、図３２および図３３に示すように、花弁動作装置４０Ｆが左右の側方基板４０Ｓとほぼ同じ高さ位置にあり、水平に内側を向いたレバー６３８により両側から吊下するようにして支持されている。これにより、花弁動作装置４０Ｆは、図４に示すようにセンターフレーム４３の上枠部４３Ｔにおける中央部に、下端が上枠部４３Ｔの下端とほぼ同じ高さ位置となるようにセットされている。
【０１６９】
また、初期位置においては、図３３に示すように、第１クランクアーム６３５が、前述の通り遮光片６３５Ｂを回転位置検知センサ６３９のゲート部６３９Ｇに挟まれるようにして、第１クランクピン６３５Ｐ形成側端が外側方（図３３では右方）、クランク軸部６３５Ｓ形成側端が内側方（図３３では左方）へそれぞれ向いた体勢となっている。
【０１７０】
（Ａ２）降下開始
ついで、図３５に示すように、側方モータ４９３で第４ギア４９４Ｇを正面視時計回り方向（図３５では反時計回り方向）に回転させる。これにともない、第５ギア４９５Ｇが連動して矢印Ａ１で示すように正面視反時計回り方向（図３５では時計回り方向）に回転して、第１クランクアーム６３５を初期位置から同方向に回転駆動する。図３５においては、第１クランクアーム６３５が初期位置から正面視反時計回り方向（図３５では時計回り方向）Ａ１に角度θ２（本パチンコ機１０では約６０°程度）だけ回転した状況が示されている。
【０１７１】
第１クランクアーム６３５の回転にともない、連接棒６３６が図３５に矢印Ａ２で示すように内側へ押し込まれ、これにともない第２クランクアーム６３７が矢印Ａ３で示すように正面視反時計回り方向（図３５では時計回り方向）に回転する。これにともない、第２クランクアーム６３７がレバー６３８を押し下げるようにして矢印Ａ４で示すように正面視時計回り方向（図３５では反時計回り方向）に回動させる。これにより、図３４および図３５に示すように、花弁動作装置４０Ｆが左右の側方基板４０Ｓよりも下方へ降下していく。
【０１７２】
また、第１クランクアーム６３５がこうして初期位置から正面視反時計回り方向Ａ１に回転を開始するのにともない、遮光片６３５Ｂが回転位置検知センサ６３９のゲート部６３９Ｇの間から脱出し、これにより第１クランクアーム６３５の初期位置からの離脱すなわち降下動作の開始が検知され確認されるとともに、以降はこの降下動作の開始時点を起点として側方モータ４９３の回転量により昇降機構全体の動作状況（体勢）も把握することができる。
【０１７３】
（Ａ３）降下終了（最下位置）
この後、図３７に示すように、第１クランクアーム６３５が矢印Ａ５で示すように引き続き正面視反時計回り方向（図３７では時計回り方向）に回転していき、図３３に示す初期位置から正面視反時計回り方向に角度θ３（本パチンコ機１０では約１３０°程度）の角度位置に到達すると、図３６および図３７に示すように、花弁動作装置４０Ｆが最下端の動作限界位置（本明細書においては「最下位置」とも称す）に到達して、降下動作が終了する。これにより、花弁動作装置４０Ｆの大部分が、センターフレーム４３の上枠部４３Ｔにおける下端から下方へ突出し、装飾図柄表示装置４２の液晶画面における上端部中央の前に吊下された体勢となる。
【０１７４】
以上のようにして、側方モータ４９３の回転動力が昇降機構により伝達されて花弁動作装置４０Ｆが初期位置から最下位置まで降下する。このとき、レバー６３８においては、支軸６３８Ｆが支点として、ピン挿通部６３８Ｅが力点として、軸挿通部６３８Ｌが作用点としてそれぞれ機能し、作用点である軸挿通部６３８Ｌが、力点であるピン挿通部６３８Ｅよりも、支点である支軸６３８Ｆから遠く（２倍程度）離れた位置に配置形成されており、従ってこれに応じ、力点であるピン挿通部６３８Ｅの移動距離に対して作用点である軸挿通部６３８Ｌの移動距離がかなり大きくなるように動力伝達がなされるようになっている。即ち、図３７に示すように、昇降機構が初期位置から最下位置まで動作する範囲において、作用点である軸挿通部６３８Ｌが降下する降下距離Ｄ３は、力点であるピン挿通部６３８Ｅの降下距離Ｄ４の約２倍となっている。従って、花弁動作装置４０Ｆを初期位置から最下位置まで効率よく降下させることができる。
【０１７５】
（Ａ４）上昇動作（初期位置への復帰）
花弁動作装置４０Ｆが最下位置にあるとき、上述の降下動作の場合とは逆に、側方モータ４９３で第４ギア４９４Ｇを、図３７に矢印Ａ６で示すように正面視反時計回り方向（図３７では時計回り方向）に回転させると、昇降機構が上述の降下動作の場合とは逆に動作して初期位置に復帰する。第１クランクアーム６３５が図３３に示す初期位置に復帰すると、これにともない遮光片６３５Ｂが回転位置検知センサ６３９のゲート部６３９Ｇの間に復帰し、これにより第１クランクアーム６３５の初期位置への復帰すなわち上昇動作の終了が検知され確認される。
【０１７６】
この上昇動作の場合にも、レバー６３８において、作用点である軸挿通部６３８Ｌが上昇する上昇距離Ｄ３は、力点であるピン挿通部６３８Ｅの上昇距離Ｄ４の約２倍となるので、花弁動作装置４０Ｆを最下位置から初期位置まで効率よく上昇させて復帰させることができる。
【０１７７】
Ｂ．開閉動作
（Ｂ１）初期位置（開放位置）
上記Ａ．昇降動作において花弁動作装置４０Ｆが初期位置にあるとき、図３９に示すように、スライダ４７０は、係合切欠４７０Ｇの上端で花弁動作装置４０Ｆの支持軸４０６に係合しているので、側方基板４０Ｓのガイドレール４７２内における上下の可動範囲のうち最上端の動作限界位置に保持される。換言すれば、花弁動作装置４０Ｆが初期位置に保持されるのにともなってスライダ４７０も初期位置に保持される。
【０１７８】
この初期位置においては、開閉駆動アーム４７１における第２嵌合突起４７１Ｆ形成側部が、軸支部４７１Ｇから外側上方へ斜めに延出し、第２嵌合突起４７１Ｆが最も外側寄りに位置する。これにともない、図３８に示すように、開閉駆動アーム４７１の第２嵌合突起４７１Ｆにカム溝６３３で外嵌しているシャッタ４０Ｅが最も外側寄りに引き寄せられ、図３２に示すように、内側端縁部を除く大部分が基板カバー４０Ｃの後側に退避し、該基板カバー４０Ｃにより前方から見えないよう隠蔽された状態に保持される。換言すれば、左右のシャッタ４０Ｅが両側へ離隔するように開いた開放位置に保持される。
【０１７９】
（Ｂ２）閉鎖開始
ついで、上記Ａ．昇降動作により花弁動作装置４０Ｆが初期位置から降下を開始すると、これにともない花弁動作装置４０Ｆの支持軸４０６がスライダ４７０における係合切欠４７０Ｇの上端から離脱して降下する。このとき、開閉駆動アーム４７１における第２嵌合突起４７１Ｆ形成側部が前述の通りコイルバネ４７１Ｓにより外側下方へ押し下げるように付勢されているので、花弁動作装置４０Ｆが初期位置から降下を開始しても、当初は、花弁動作装置４０Ｆの支持軸４０６がスライダ４７０の係合切欠４７０Ｇ内で降下するだけであって、スライダ４７０はこれに追随して降下することはなく、コイルバネ４７１Ｓの付勢力により開閉駆動アーム４７１とともに引き続き初期位置に保持される。
【０１８０】
ついで、図４１に示すように、花弁動作装置４０Ｆの支持軸４０６がスライダ４７０における係合切欠４７０Ｇの下端に到達すると、これ以降は、該支持軸４０６が係合切欠４７０Ｇの下端に係合し、コイルバネ４７１Ｓの付勢力に抗してスライダ４７０を下方へ押し下げる。これにともない、開閉駆動アーム４７１が、コイルバネ４７１Ｓの付勢方向と逆方向すなわち正面視左側の開閉駆動アーム４７１の場合には矢印Ａ７で示すように正面視時計回り方向に回動を開始する。開閉駆動アーム４７１は、前記側方基板４０Ｓにおける突壁４８０の延出端面に摺動突起４７１Ｃを当接させ摺動させるようにして、後側から支持されながら該突壁４８０の延出端面に沿って回動する。即ち、開閉駆動アーム４７１の第２嵌合突起４７１Ｆがシャッタ４０Ｅのカム溝６３３から後方へ脱離することなく正しく外嵌した体勢を保持するように、開閉駆動アーム４７１における第２嵌合突起４７１Ｆ形成側部が突壁４８０により後側から案内されながら回動する。
【０１８１】
開閉駆動アーム４７１が上述のように回動するのにともない、図４０に矢印Ａ８で示すように、シャッタ４０Ｅがカム溝６３３で開閉駆動アーム４７１の第２嵌合突起４７１Ｆにより内側へ引き寄せられるようにスライド移動する。
【０１８２】
（Ｂ３）閉鎖終了（閉鎖位置）
この後、図４３に示すように、花弁動作装置４０Ｆとともにスライダ４７０が最下位置に到達すると、これにともない開閉駆動アーム４７１が図３９に示す初期位置（開放位置）から角度θ４（本パチンコ機１０では約８９°程度）の角度位置に到達する。またこれとともに、図４２に示すように左右のシャッタ４０Ｅが演出動作ユニット４０の中央に寄り合い、嵌合ボス６３４Ｂを嵌合孔６３４Ｐにそれぞれ嵌合させながら互いにつき合うようにして閉じる。換言すれば、左右のシャッタ４０Ｅが中央に寄り合うように閉じた閉鎖位置に保持される。この閉鎖位置では、図３６に示すように、左右のシャッタ４０Ｅの外側端縁部を除く大部分が、左右の基板カバー４０Ｃの間を通して前方へ露出した状態に保持される。換言すれば、図３２に示すように、初期位置（開放位置）では左右の基板カバー４０Ｃの間にある中央領域の大部分を花弁動作装置４０Ｆが前側から覆って閉塞するように位置していたのに対し、図３６に示すように閉鎖位置においては、花弁動作装置４０Ｆが最下位置まで降下して上記中央領域の大部分を開放するとともに、この花弁動作装置４０Ｆの降下に連動して左右のシャッタ４０Ｅが閉じることにより、今度はかわって左右のシャッタ４０Ｅが上記中央領域を全面的に覆って閉塞するようになっている。また換言すれば、花弁動作装置４０Ｆが降下することでその後方の状況が前側へ露出するところを、花弁動作装置４０Ｆに入れ替わるようにして左右のシャッタ４０Ｅが遮蔽して前方から見えないよう隠蔽する。さらに、左右のシャッタ４０Ｅは、前述の通り閉じた状態で全体として一連の図案を構成する装飾が施されているので、上述の閉鎖動作の終了とともにこの図案が構成されることとなり、これにより、花弁動作装置４０Ｆの大部分が下方へ退いた後の上記中央領域において、シャッタ４０Ｅの閉鎖動作と装飾とをあわせた動的な演出効果が得られるようになっている。
【０１８３】
（Ｂ４）開放動作（初期位置への復帰）
上記Ａ．昇降動作により昇降機構が最下位置から初期位置への復帰動作を行うと、これに連動して、開閉機構が閉鎖位置から初期位置（開放位置）への復帰動作すなわち開放動作を行う。この開放動作においては、上記閉鎖動作を逆にした動作がなされる。ただし、この開放動作の場合、最下位置から初期位置まで上昇していく花弁動作装置４０Ｆによりスライダ４７０が引き上げられるのではなく、スライダ４７０がコイルバネ４７１Ｓの付勢力により係合切欠４７０Ｇの下端で花弁動作装置４０Ｆの支持軸４０６に下方から上側へ押圧されて当接する体勢に保持され、該支持軸４０６の上昇に追随するようにして上昇していく。この後、スライダ４７０は花弁動作装置４０Ｆよりも先に最上端の動作限界位置（初期位置）に到達して停止し、以降は、スライダ４７０の係合切欠４７０Ｇ内を花弁動作装置４０Ｆの支持軸４０６のみが上昇して最上端の動作限界位置（初期位置）に到達することとなる。
【０１８４】
Ｃ．集散回転動作
花弁動作装置４０Ｆは、上記Ａ．昇降動作により降下して最下位置にあるとき、（Ｃ１）図４４ないし図４７に示す初期位置（集結位置）から、（Ｃ２）図４８ないし図５１に示す拡開中位置を経て、（Ｃ３）図５２ないし図５５に示す全開位置へと拡開動作を行い、さらに全開位置で（Ｃ４）回転動作を行って、この後、（Ｃ５）集結動作を行い初期位置（集結位置）に復帰し得る構成となっている。
【０１８５】
（Ｃ１）初期位置（集結位置）
初期位置（集結位置）においては、図５７に示すように、スライド部材４２３のスライドピン４２５がスリット部材４１５における中央スリット４２１の内側端（円状開口４１６側端）に位置し、これにともない図４４ないし図４７に示すように、５枚の花弁４０２および５個の萼片４０３が、中心部の雌しべ４６４にむけて最も集結した集結位置にあって、全体として開花状態のハイビスカスの花を構成する集結状態にある。
【０１８６】
（Ｃ２）拡開動作の開始
花弁４０２および萼片４０３が上述のように初期位置（集結位置）にあるとき、中央モータ４０４で第１ギア４０４Ｇを図４６に矢印Ａ９で示すように背面視時計回り方向に回転させると、これに第２ギア４２７Ｇが連動することにより回転板４２７が矢印Ａ１０で示すように背面視反時計回り方向に回転駆動される。
【０１８７】
このとき、回転板４２７は前述の通り、枢支開口４２８でスリット部材４１５の周壁部４１７に摩擦抵抗の少ない状態で外嵌しているので、小さいトルクで容易に周壁部４１７の周りを回転することができる。他方、スリット部材４１５は、前述の通り円状開口４１６で中央軸部材４４４の軸部４４５に回転可能に外嵌されているが、その一方で、前述の通り第３ギア４３０Ｇを介してオイルダンパ４０５のギア４０５Ｇに連動して制動されているので、上述の回転板４２７を初動させ得る程度の小さいトルクでは回転し得ないように保持されている。従って、中央モータ４０４で第１ギア４０４Ｇを回転させると、当初は、まず回転板４２７のみが上述のように回転駆動され、スリット部材４１５は停止した状態に保持される。
【０１８８】
回転板４２７が上述のように回転駆動されると、図６１に示すように、その前側面ではガイドレール４２９が矢印Ａ１１で示すように正面視時計回り方向に回転し、これにともない、スライド部材４２３のスライドピン４２５に対し、ガイドレール４２９に案内されるようにして、径方向に沿って外側へ押し出される方向に力が付加される。このとき、スライドピン４２５の移動は図６０に示すようにスリット部材４１５の中央スリット４２１により規制されているので、該スライドピン４２５が中央スリット４２１に沿って内側端から外側へ直線的に案内されて移動する。またこのとき、回転するガイドレール４２９によってスライドピン４２５が案内されることにより、スリット部材４１５に対しても多少ともトルクがかかるが、このトルクよりもオイルダンパ４０５の制動力が上回っており、従ってスリット部材４１５は停止した状態に保持されたまま、回転板４２７の回転とともにスライドピン４２５が中央スリット４２１に沿って外側へ直線的に移動することとなる。これにより、図４８ないし図５１に示すように、５組の花弁４０２および萼片４０３が、集結位置から外側へ放射状に拡開する拡開動作を開始する。
【０１８９】
この拡開動作においては、スリット部材４１５の中央スリット４２１が前述の通り、図５７に示すように円状開口４１６の径方向Ｄ１に対し正面視反時計回り方向に角度θ１だけ傾斜した方向Ｄ２に沿って延びているので、外側へ移動するスライドピン４２５に対して比較的に大きな負荷がかかることとなるが、その一方で、この傾斜があるぶん、スライドピン４２５の移動速度は比較的に速くなる。即ち、このように中央スリット４２１を正面視反時計回り方向に傾斜させることにより、スライドピン４２５に対する負荷は比較的に大きくなる反面、回転板４２７の比較的に少ない回転量（角度）によってスライドピン４２５を所定距離だけ移動させることができ、これにより花弁４０２および萼片４０３の拡開動作をより効率よく行うことができるようになっている。ここで、例えばもし、この傾斜がなく中央スリット４２１が径方向Ｄ１に沿って放射状に延びていたと仮定すると、上述の場合に比して、スライドピン４２５に対する負荷は比較的に小となる一方、スライドピン４２５の移動速度は比較的に遅くなり、さらには、例えばもし、中央スリット４２１が径方向Ｄ１に対し正面視時計回り方向に傾斜していたと仮定すると、スライドピン４２５に対する負荷の減少ならびに移動速度の低下はいずれもいっそう顕著となる。
【０１９０】
またこのとき、ガイドレール４２９が前述の通り、図６１に示すように中心側端部から枢支開口４２８の接線の方向Ｄ５に沿って正面視反時計回り側へ延び出し、この後、この接線方向Ｄ５よりも、さらに正面視反時計回り側へ向けて弧状に湾曲しながら外側へ延び、５本のガイドレール４２９で全体として外側へ渦巻き状に拡がるように延びる形状となっている。ガイドレール４２９がこのように正面視反時計回り側へ傾斜するほど、スライドピン４２５に対する負荷が小さくなるとともに移動速度が遅くなる。さらに、ガイドレール４２９が接線方向Ｄ５よりも正面視反時計回り側へ向けて弧状に湾曲するほど、スライドピン４２５に対する負荷の減少ならびに移動速度の低下がいずれもより顕著となる。
【０１９１】
即ち、上述の中央スリット４２１の場合には、正面視反時計回り方向に傾斜させることにより、スライドピン４２５に対する負荷が比較的に大きくかつ移動速度が比較的に速くなっていたのに対し、ガイドレール４２９の場合には、正面視反時計回り側へ傾斜させさらに弧状に湾曲させることにより、スライドピン４２５に対する負荷が比較的に小さくかつ移動速度が比較的に遅くなっている。
【０１９２】
ガイドレール４２９の場合には、前述の通り回転板４２７の前側面から前方へ延出する周壁により溝状に形成されており、スライドピン４２５の先端が前側から嵌装されるようになっているので、ガイドレール４２９とスライドピン４２５との間に大きな負荷がかかると、スライドピン４２５が移動の際にガイドレール４２９から逸脱する惧れがある。このため、スライドピン４２５の移動速度を犠牲にして低くしつつ、スライドピン４２５に対する負荷を小さくするように構成されている。一方、中央スリット４２１の場合には、スライドピン４２５が貫通するようになっているので、逸脱の惧れも少なく、このため、スライドピン４２５に対する負荷を大きくしながらスライドピン４２５の移動速度を上げるように構成されている。このように、ガイドレール４２９でスライドピン４２５に対する負荷を小さくすることにより逸脱のような不具合を防止して動力伝達の確実性を確保する一方、中央スリット４２１でスライドピン４２５の移動速度を上げるという、役割分担がなされた構成になっている。
【０１９３】
（Ｃ３）拡開終了（全開位置）
この後、図６３に示すように、スライドピン４２５が中央スリット４２１における外側の移動限界である外側端まで到達すると、図５２ないし図５５に示すように、５組の花弁４０２および萼片４０３が全開位置まで放射状に拡開して全開状態となり、拡開動作が終了する。
【０１９４】
この全開状態においては、図５２および図５３に示すように、５枚の花弁４０２が放射状に離散するように移動することにより、中央部が開放され、この開放部を通して、花床４６１の前側面における外周縁部をのぞく大部分が前方へ露出する。
【０１９５】
このようにスライドピン４２５が中央スリット４２１における外側の移動限界である外側端まで到達してこれ以上は外側へ移動できなくなると、この後は、こうしてスライドピン４２５が中央スリット４２の外側端に係止しているため、オイルダンパ４０５の制動力を下回る程度の小トルクによっては、回転板４２７がこれまでと同方向へこれ以上回転できない。そこで、中央モータ４０４の稼動を停止すると、拡開動作を終了した後の全開状態を維持することができる。
【０１９６】
（Ｃ４）回転動作
上記拡開動作の終了後に、中央モータ４０４からそれまでと同方向の回転動力を回転板４２７に伝達するようにし、回転板４２７にかかるトルクがオイルダンパ４０５の制動力よりも上回ると、スリット部材４１５が、オイルダンパ４０５による制動を振り切って回転板４２７とともに図６３に矢印Ａ１２で示す正面視時計回り方向の回転を開始する。こうして、拡開動作の後に、花弁４０２および萼片４０３が、図５３に矢印Ａ１３で示すように全開状態で正面視時計回り方向に回転する。
【０１９７】
このとき、拡開動作の後に中央モータ４０４を停止させずに引き続き回転板４２７に回転動力をかけ続けるようにするようにすれば、拡開動作から回転動作へと間をおかず連続するように直ちに移行させることができる。
【０１９８】
（Ｃ５）集結動作（初期位置への復帰）
上記回転動作を終了し、中央モータ４０４で第１ギア４０４Ｇを、これまでとは逆に、図４６に矢印Ａ１４で示すように背面視反時計回り方向に回転させると、スリット部材４１５がオイルダンパ４０５により制動されて停止した状態に保持されながら、まず回転板４２７のみが図４６に矢印Ａ１５で示すように背面視時計回り方向に回転駆動され、これにより上記拡開動作とは逆方向の集結動作がなされる。即ち、スライドピン４２５が中央スリット４２１における外側の移動限界である外側端から内側の移動限界である内側端まで復帰し、これとともに５組の花弁４０２および萼片４０３が全開位置から中心部の雌しべ４６４にむけて集結して、図４４ないし図４７に示す集結位置（初期位置）に復帰して集結状態に戻り、集結動作が終了する。
【０１９９】
この後は、中央モータ４０４を停止して花弁動作装置４０Ｆの動作を終了するようにしてもよいが、中央モータ４０４を停止させることなく連続して稼動させるか、あるいは中央モータ４０４を停止した後に再度稼動して、さらに中央モータ４０４で第１ギア４０４Ｇを図４６に矢印Ａ１４で示す背面視反時計回り方向に回転させると、花弁４０２および萼片４０３が、図４５に矢印Ａ１６で示すように集結状態で正面視反時計回り方向に回転する。この集結動作から回転動作へも、上述の通り中央モータ４０４を制御することにより、一旦停止して間をおいてから移行するようにすることも、あるいは間をおかず連続するように直ちに移行するようにすることもできる。
【０２００】
Ｄ．動的動作の手順および契機
以上の演出動作ユニット４０におけるＡ．〜Ｃ．の動的動作は、本パチンコ機１０においては基本的に、以下のような手順１〜５で行われる。
１．Ａ．昇降動作による花弁動作装置４０Ｆの降下ならびにＢ．開閉動作によるシャッタ４０Ｅの閉鎖（これら２動作は連動するため同時に行われる）
２．Ｃ．集散回転動作による花弁動作装置４０Ｆの拡開
３．Ｃ．集散回転動作による花弁動作装置４０Ｆの回転
４．Ｃ．集散回転動作による花弁動作装置４０Ｆの集結（および任意で引き続き回転）
５．Ａ．昇降動作による花弁動作装置４０Ｆの上昇ならびにＢ．開閉動作によるシャッタ４０Ｅの開放（これら２動作は連動するため同時に行われる）
【０２０１】
一方、本パチンコ機１０における遊技状態は、遊技が一定時間されていない場合の「デモンストレーション状態」から、遊技領域における入賞口への遊技球の入球に基づいて、数種に異なる状態に変移する。即ち、図柄の変動表示がされている「図柄変動状態」、この図柄変動状態として、図柄の変動表示開始後であってリーチが発生していない「非リーチ変動状態」およびリーチが発生している「リーチ状態」、図柄の変動表示が停止され遊技者に有利な「大当たり状態」、下始動口３３ｂに遊技球が入賞し易い「サポート状態」、大当たり抽選が高確率となる「確変状態（高確率状態）」、又は「サポート状態と確変状態が複合した状態」等に変移するが、本パチンコ機１０は、「デモンストレーション状態」においては集客効果を高めるために表示画面、ＬＥＤランプ等による発光動作や音響などにより各種の演出を行い、リーチ状態となる前の段階にある「非リーチ変動状態」においてはリーチ状態に発展する期待度を示唆するために各種の演出を行い、「リーチ状態」においては大当たりが発生する結果となることの期待度を示唆するために各種の演出を行い、「大当たり後において確変状態か否かを明確に報知しない状態」においては確変状態であることの期待度を示唆するために各種の演出を行う。表示画面においては、これらにそれぞれ対応する表示演出が行われる。
【０２０２】
さらに、図柄の変動表示開始後にリーチが発生して非リーチ変動状態からリーチ状態へ移行すると、これを契機として演出動作ユニット４０が演出の一態様として動的動作を行う。
【０２０３】
［リーチ種別による動作パターン］
本パチンコ機１０においては、大当たり期待度に合わせて４種類のリーチ種別（リーチ変動パターン）が設定され、これら４種類のリーチ種別によって演出動作ユニット４０の動作パターンが制御されるように設定されている。より具体的には、始動入賞装置３３（始動口）への入球タイミングに基づいて大当り乱数の抽選が行われ、この抽選の結果に応じて装飾図柄表示装置４２に表示する図柄の変動表示等といった演出内容が決定される。図柄の変動表示には、リーチを含むものと含まないものとがあり、リーチを含むものとしては例えば、ノーマルリーチ（大当たりとなる確率が低確率であるリーチ状態）、スーパーリーチ（大当たりとなる確率が中確率であるリーチ状態）、スペシャルリーチ（大当たりとなる確率が高確率であるリーチ状態）、プレミアムリーチ（大当たりとなる確率が１００％であるリーチ状態）等のリーチの種別が設定されている。これらのリーチの種別によって、以下のａ）〜ｄ）の４通りの動作パターンのいずれかが選択的に行われるように制御されるようになっている。
ａ）ノーマルリーチの場合、手順１に係る花弁動作装置４０Ｆの降下およびシャッタ４０Ｅの閉鎖を行う
ｂ）スーパーリーチの場合、手順１に加えて手順２に係る花弁動作装置４０Ｆの拡開を行う
ｃ）スペシャルリーチの場合、手順１および２に加えて手順３に係る花弁動作装置４０Ｆの回転を行う
ｄ）プレミアムリーチの場合、手順１〜手順３を行った後、手順４に係る花弁動作装置４０Ｆの集結（および任意で回転）と手順２に係る花弁動作装置４０Ｆの拡開（および任意で手順３の回転）とを交互に繰り返す
【０２０４】
このように、内部抽選の結果、大当たりとなる確率が高いリーチ種別となった場合ほど演出動作ユニット４０の動的動作が多くの段階に及ぶため、大当たり期待度をこの演出動作ユニット４０の動作段階から容易に予測でき、また期待度が高くなるほど演出動作ユニット４０の動的動作が多くの段階に及んで緊張感が高揚するものとなっている。一方で例外的な特殊態様（プレミアムリーチの場合）が存在しているが、法則に従った他の動作態様が互いに区別が容易となっていることでこの特殊態様を判別し易くなっている。即ち、期待度の高さに応じて、花弁動作装置４０Ｆの降下およびシャッタ４０Ｅの閉鎖、花弁動作装置４０Ｆの拡開および花弁動作装置４０Ｆの回転という３通りの動作パターンにより大当たりの期待度が低度であること、中程度であることおよび高度であることを示唆するように、内部抽選の結果に基づいてこれらの動作パターンのいずれかが選択されるほか、例外的に特殊な動作パターンが選択される場合は確実に大当たりとなるように制御される。
【０２０５】
このとき、装飾図柄表示装置４２においても、大当たりとなる確率が高いリーチ種別となった場合ほど盛大な内容の演出パターンとなるような表示演出が行われるようになっているが、このような装飾図柄表示装置４２すなわち液晶表示装置による表示演出だけでなく、上述のように実物の演出動作ユニット４０の動的動作によってもリーチ種別に応じた動作パターンで演出を行うことにより、期待演出の内容、特に期待度の相違が視覚的に一層わかりやすく、興趣もさらに盛り上がって演出効果もより良好となっている。
【０２０６】
本パチンコ機１０における遊技状態は、前述の通り、遊技が一定時間されていない場合の「デモンストレーション状態」から、遊技領域における入賞口への遊技球の入球に基づいて、数種に異なる状態に変移する。即ち、図柄の変動表示がされている「図柄変動状態」、この図柄変動状態として、図柄の変動表示開始後であってリーチが発生していない「非リーチ変動状態」およびリーチが発生している「リーチ状態」、図柄の変動表示が停止され遊技者に有利な「大当たり状態」、始動口に遊技球が入賞し易い「サポート状態」等に変移するが、上述の例のようにリーチ状態の開始および終了にともなって演出動作ユニット４０が動作するパターンを開始および終了するように制御する以外にも、遊技状態が変化する幾度かのタイミングのうちのいずれかのタイミングを任意に選択し、この選択したタイミングに応じて動作パターンを制御するようにすることができる。例えば、デモンストレーション状態または非リーチ変動状態で演出動作ユニット４０の動作を開始して花弁動作装置４０Ｆを降下させるとともにシャッタ４０Ｅを閉鎖しておき、リーチ状態の開始にともなって花弁動作装置４０Ｆを拡開および回転させ、リーチ状態の終了にともなって花弁動作装置４０Ｆを集結（回転）させて初期位置（集結位置）に復帰させるように制御するようにしてもよい。あるいは、リーチ状態の終了にともなって花弁動作装置４０Ｆを集結（回転）させて花弁動作装置４０Ｆを単に初期位置（集結位置）に復帰させる以外にも、例えば、最終の図柄が停止して大当りとなった瞬間や大当たり状態中に花弁動作装置４０Ｆに拡開（回転）と集結（回転）とを繰り返す動作をさせたりするようにし、これにより興趣がさらに盛り上がるようにしてもよい。
【０２０７】
Ｅ．発光動作
花弁動作装置４０Ｆは、前述の通りＬＥＤ基板４５３を備えるものとなっているので、演出の一態様として発光動作も行うことができるようになっている。演出動作ユニット４０の動的動作の場合には、例えば、Ａ．昇降動作とＢ．開閉動作とが連動（リンク）している、Ｃ．集散回転動作を行うには花弁動作装置４０Ｆを拡開させ得るスペースを要する、Ｃ．集散回転動作においてはオイルダンパ４０５による制動のため拡開ないし集結してからでないと回転できない、等といった構造的な要因があり、これらの構造的要因に応じて動作の手順や契機が必然的に制約されざるを得ない。これに対し、花弁動作装置４０Ｆにおける発光動作の場合には、動的動作の場合のような構造的な制約はあまり受けないので、任意のタイミングないし契機で、任意の態様で発光動作を行うことができる。
【０２０８】
例えば、最もシンプルな動作パターンとして、遊技機が稼動している間ずっと継続的にＬＥＤ基板４５３で所定の態様で発光動作を行い、これにより花弁動作装置４０Ｆの装飾効果を向上させるといったパターンも可能である。あるいは例えば、態様の異なる発光動作のパターンを複数通り設定しておき、これら複数の発光動作パターンを所定の順序で周期的に繰り返す、といったパターンも可能である。
【０２０９】
一方、演出動作ユニット４０におけるＡ．〜Ｃ．の動的動作について上述した通り、本パチンコ機１０には遊技状態の変移やリーチ種別があるので、これに応じて発光動作の動作パターンが制御されるように設定すると、遊技を盛り上げる演出効果の観点から有効である。この場合、例えば以下に示すように、演出動作ユニット４０の動的動作の進行に合わせて発光動作の動作パターンを制御するようにすると、演出動作ユニット４０による演出を特に効果的に行うことができる。
【０２１０】
［動的動作に応じた発光動作パターン］
本パチンコ機１０においては、前述の通り、ａ）〜ｄ）の４通りの動作パターンが、大当たりとなる確率が高確率であるリーチ状態となるほど、演出動作ユニット４０による動的動作が手順１から１つずつ段階的に多くなっていくように相違する４パターンとなっており、これら４パターンａ）〜ｄ）のうちのいずれかが選択的に行われるように制御されるようになっている。そこで、発光動作の動作パターンもこれらａ）〜ｄ）の４通りの動作パターンに応じて、以下のように制御されるようになっている。
ａ）動的動作における手順１（降下・閉鎖）のみの場合、前向ＬＥＤ４５７（図２４参照）のみを点灯させる
ｂ）動的動作における手順１（降下・閉鎖）から手順２（拡開）までの場合、前向ＬＥＤ４５７および第１横向きＬＥＤ４５８（図２４参照）を点灯させる
ｃ）動的動作における手順１（降下・閉鎖）から手順３（回転）までの場合、前向ＬＥＤ４５７、第１横向きＬＥＤ４５８および第２横向きＬＥＤ４５９（図２５参照）を点灯させる
ｄ）動的動作における手順１（降下・閉鎖）から、手順４（集結）と手順２（拡開）との繰り返しまでの場合、前向ＬＥＤ４５７、第１横向きＬＥＤ４５８および第２横向きＬＥＤ４５９を点滅させる
【０２１１】
上記発光動作パターンａ）の場合、図６５に示すように、前向ＬＥＤ４５７からの発光Ｌ１が、中心部の透明樹脂よりなる雌しべ４６４を透過して前方に照射されていくか、あるいは、透明樹脂よりなる花床４６１と、その前方の薄く赤色を帯びた透明に近い花弁４０２の中央部とを順次透過して、前方に照射されていく。なお、図６５および図６６においては、ＬＥＤ４５７、４５８、４５９の各々からの発光を、代表的に軸上に延びる一本の直線状の破線ないし鎖線を用いた矢印Ｌ１、Ｌ２、Ｌ３で模式的に表しているが、実際には、各ＬＥＤ４５７、４５８、４５９は例えば１０〜１２０°（あるいは６０〜１１０°）程度の指向角を有しているため、この指向角によっては、例えば最も外側に配置された前向ＬＥＤ４５７から、やや中心側へ傾斜した方向へ射出され、花床４６１、花弁４０２および雌しべ４６４をこの順に透過して前方に照射されていく発光もあり得る。また、前向ＬＥＤ４５７からの発光Ｌ１は、雌しべ４６４、花床４６１ないし花弁４０２の曲面形状により多少とも屈折したり、花床４６１および花弁４０２の表面の凹凸により拡散したりしながら、これらの部材を透過していく。
【０２１２】
これにより、図３６に示すように装飾図柄表示装置４２の液晶画面の前に吊下された体勢で集結状態にある花弁動作装置４０Ｆが、前向ＬＥＤ４５７からの発光により内部から照らされて点灯する。このとき、上述の拡散効果により、花弁動作装置４０Ｆが全体的にやや朦朧と光るような様態となる。また、花弁動作装置４０Ｆの周囲では装飾図柄表示装置４２の液晶画面で表示演出がなされているので、この液晶画面からの発光を背景とした様態となる。このため、装飾図柄表示装置４２による表示演出においては、花弁動作装置４０Ｆを避けるとともに、花弁動作装置４０Ｆを図柄の一部として組み込んだような内容の演出がなされるようになっている。
【０２１３】
上記発光動作パターンｂ）の場合、手順２（拡開）へ移行するまでは、図６５に示すように、上述の前向ＬＥＤ４５７からの発光Ｌ１に加えて、第１横向きＬＥＤ４５８からの発光Ｌ２が、ＬＥＤ基板４５３の径方向に沿って外側へ向けて照射され、ＬＥＤ基板４５３の外側で萼片４０３の前側面（内側面）に突き当たる。萼片４０３の前側面（内側面）は前述の通り凹面状に湾曲する鏡面状となっているので、これにより発光Ｌ２が図６５に示すように前方へ反射する。この後、発光Ｌ２は、花床４６１および花弁４０２のうち少なくとも花弁４０２を透過して前方に照射されていく。このとき、第１横向きＬＥＤ４５８からの発光Ｌ２は、上述の前向ＬＥＤ４５７からの発光Ｌ１の場合と同様に、花床４６１ないし花弁４０２を透過することにより屈折および拡散するが、これに加え、特に萼片４０３の赤色の鏡面で反射することと、花弁４０２における濃い赤色の外周縁部を透過することによって、赤色を帯びた発光となる。
【０２１４】
上記発光動作パターンｂ）において、手順２（拡開）へ移行すると、図６６に示すように、前述の通り花弁４０２が放射状に離散するように外側へ移動して中央部が開放される。この拡開状態の場合、雌しべ４６４においては上述の集結状態の場合と同様にして前向ＬＥＤ４５７からの発光Ｌ１が透過していくが、雌しべ４６４の周囲においては花弁４０２が開放されているため、前向ＬＥＤ４５７からの発光Ｌ１が花床４６１のみを透過して前方に照射されていく。一方、萼片４０３が花弁４０２とともに外側へ移動しているため、第１横向きＬＥＤ４５８からの発光Ｌ２は、ＬＥＤ基板４５３の径方向に沿って、上述の集結状態の場合よりも大きく外側へ拡がるように照射されて萼片４０３の前側面（内側面）で前方へ反射することとなる。このとき、花弁４０２および萼片４０３が花床４６１から外側へ離れているため、萼片４０３で反射した発光Ｌ２は花床４６１を透過することなく花弁４０２のみを透過して前方に照射されていく。
【０２１５】
このように、花床４６１および花弁４０２が互いに重ならない状態でそれぞれ単独で前向ＬＥＤ４５７からの発光Ｌ１および第１横向きＬＥＤ４５８からの発光Ｌ２を透過させることとなるので、それぞれより明確な点灯の様態となる。また、拡開状態においては、図５５に示すように５個の萼片４０３が互いに間隔をあけて離散するため、反射も部分的になされるとともに、間隔部分を通して装飾図柄表示装置４２の液晶画面からの発光が前方に照射されることとなり、従ってこのことも相俟って、全体としてみれば中央部と外周縁部とで点灯の様態がより大きく相違することとなる。さらにまた、放射状に離散するように外側へ移動した萼片４０３で第１横向きＬＥＤ４５８からの発光Ｌ２を前方へ反射させるので、前方へ光を照射する領域が、ＬＥＤ基板４５３の前側面領域よりも径方向に外側へ大きく拡大することとなる。換言すれば、萼片４０３を拡開状態としてこれに第１横向きＬＥＤ４５８からの発光Ｌ２を反射させる構成により、ＬＥＤ基板４５３による前方への光照射領域が効果的に拡大されている。
【０２１６】
上記発光動作パターンｃ）の場合、図６５および図６６に示すように、上述の前向ＬＥＤ４５７からの発光Ｌ１および第１横向きＬＥＤ４５８からの発光Ｌ２に加えて、第２横向きＬＥＤ４５９から発光Ｌ３が照射される。この第２横向きＬＥＤ４５９からの発光Ｌ３は、基本的に上述の第１横向きＬＥＤ４５８からの発光Ｌ２の場合と同様にして、ＬＥＤ基板４５３の径方向に沿って外側へ向けて照射され、萼片４０３の前側面（内側面）で前方へ反射して照射されていく。ただし、第２横向きＬＥＤ４５９からの発光Ｌ３の場合、第１横向きＬＥＤ４５８からの発光Ｌ２の場合に比して、萼片４０３の前側面（内側面）における内側寄り（中心寄り）の位置で多く反射することとなるため、そのぶん、図６５に示す集結位置においては、花床４６１より外側を通過して花弁４０２のみを透過するよりも、花床４６１および花弁４０２の両者を透過して前方に照射されていく割合が多くなる。
【０２１７】
このように、第２横向きＬＥＤ４５９から発光Ｌ３をさらに照射することにより、特に萼片４０３による反射がより強調される。このとき、第１横向きＬＥＤ４５８と第２横向きＬＥＤ４５９との発光色を相違させることにより、外周縁部における点灯を上記発光動作パターンｂ）の場合とは異なる発光色によって行うことができる。
【０２１８】
上記発光動作パターンｃ）において、手順３（回転）へ移行すると、外周縁部においては発光動作に回転動作が加わることによりさらに効果的に演出がなされる。特に、前向ＬＥＤ４５７、第１横向きＬＥＤ４５８および第２横向きＬＥＤ４５９が固定されているのに対し、５個の萼片４０３が上述の通り互いに間隔をあけて離散した体勢で回転するため、間欠的に反射部分が回転する様態となり、これによりミラーボールのようなきらびやかな反射効果が得られる。
【０２１９】
上記発光動作パターンｄ）の場合、前向ＬＥＤ４５７、第１横向きＬＥＤ４５８および第２横向きＬＥＤ４５９を点滅させることにより、演出効果をさらに盛り上げることができる。この場合、特に、手順４（集結）と手順２（拡開）との繰り返しへ移行した後は、集結動作と拡開動作との繰り返しすなわち集散動作が繰り返されている状態にあるので、例えば集結状態で消灯し拡開状態で点灯するといったように集散動作と同期させて点滅動作を行うようにしてもよい。あるいは逆に、集散動作の周期と点滅動作の周期とを敢えてずらすようにしてもよい。
【０２２０】
（作用）
上述の通り、パチンコ機１０は、
所定条件に基づいて動力を発生させる駆動手段として中央モータ４０４および第１ギア４０４Ｇと、
上記中央モータ４０４の動力により互いに異なる第１動作すなわち集散動作および第２動作すなわち回転動作を行い得る動作手段として、回転板４２７、スリット部材４１５、スライド部材４２３、萼片４０３および花弁４０２と、
上記第１動作である集散動作が行われている間は第２動作である回転動作を制動し、集散動作が終了すると回転動作を許可する制動手段としてオイルダンパ４０５、ギア４０５Ｇおよび第３ギア４３０Ｇと、を有する構成において、
上記動作手段が、内部に可動体であるスライド部材４２３のスライドピン４２５を移動可能に保持した状態で移動することによって、上記中央モータ４０４の動力を上記スライドピン４２５に伝達する駆動溝としてガイドレール４２９と、上記スライドピン４２５の移動方向を所定の方向である長さ方向Ｄ２に規制する規制溝として中央スリット４２１とを備える構成となっている。
【０２２１】
上記パチンコ機１０の構成によれば、互いに異な第１動作すなわち集散動作と第２動作すなわち回転動作とが制動手段であるオイルダンパ４０５の制動によって順次行われ、これにより、変化のある動作演出がなされるようになっている。このとき、動作手段が駆動溝であるガイドレール４２９と規制溝である中央スリット４２１とを備えて構成されているので、機構が複雑化することなく簡略な構成となっているとともに、大型化することなくコンパクトに構成されている。
【０２２２】
また、動作手段として駆動溝であるガイドレール４２９と規制溝である中央スリット４２１とを備える構成とすることにより、構成が簡潔化されて部品点数も少なくなっているだけでなく、溝のデザインおよびレイアウトによって、動作手段がコンパクトに成形されている。さらに、可動体であるスライドピン４２５を案内する経路を自由に変更することができ、従って、駆動手段における動力発生の態様によることなく、溝という簡潔な動力伝達の構成により、動作の速度その他の様態を容易に設定ないし変更することができ、また動力伝達にともなって発生する負荷も増減させることが可能である。即ち、例えばモータの速度を変更したり制御したりすることなく、溝のデザインおよびレイアウトによって、集散動作を高速または低速に設定することができる他、例えば後述する変更態様のような各種の動作態様も可能となっている。また、ガイドレール４２９ないし中央スリット４２１とスライドピン４２５との間に発生する負荷も増減させることが可能となっている。
【０２２３】
特に、動作手段のうち主要な機構要素であって花弁動作装置４０Ｆの後側部の構成要素である回転板４２７およびスリット部材４１５がコンパクトに成形されており、前方からみてなるべく目立たないようになっている。一方、動作手段のうち主要な装飾的要素であって花弁動作装置４０Ｆの前側部の構成要素である花弁４０２および萼片４０３が、比較的に大きめに構成されるとともに比較的に大きく拡開し得るように構成されており、前方からみてなるべく目立つようになっている。これにより、より効果的に視覚的演出がなされるとともに、花弁動作装置４０Ｆの後側部において周囲に多くのスペースが確保されることともなっている。
【０２２４】
また、上記パチンコ機１０は、上記駆動溝であるガイドレール４２９が、回転体である回転板４２７に、中心部から外側へ径方向に対し一方側である正面視反時計回り方向側へ傾斜する方向に沿って延出するように配設された有底の溝であり、上記規制溝である中央スリット４２１が、上記回転板４２７に軸方向に即ち前方に重なるように配置形成され、上記回転板４２７の中心部に対応する位置すなわち円状開口４１６よりやや外側の位置から外側へ延出するように配設されたスリットであって、上記可動体であるスライド部材４２３のスライドピン４２５が、上記中央スリット４２１を貫通させて上記ガイドレール４２９に嵌入された構成となっている。
【０２２５】
上記パチンコ機１０の構成によれば、回転板４２７を回転させることにより、ガイドレール４２９からスライドピン４２５に外側へ押し出す方向にまたは中心側へ押し戻す方向に動力が伝達され、この動力により、スライドピン４２５が中央スリット４２１に沿って中心側部から外側へまたは外側から中心側へ移動する。これにより、簡略な構成によって容易にスライドピン４２５を内外に移動させる動作を行うことができるようになっている。このとき、スライドピン４２５が、中央スリット４２１を貫通させてガイドレール４２９に嵌入される構成となっているため組立も容易となっている。この構成では、ガイドレール４２９からスライドピン４２５が逸脱する惧れもあるが、ガイドレール４２９を径方向に対し正面視反時計回り方向側へ大きく傾斜する方向に延出するものとすることで、スライドピン４２５に対する負荷を小さくし、これにより逸脱が効果的に防止されるようになっている。一方、中央スリット４２１においてはスライドピン４２５が貫通しているので逸脱の惧れは少なく、このためスライドピン４２５に対する負荷の如何に関わらず中央スリット４２１の形状や配置が設定されている。
【０２２６】
また、上記パチンコ機１０は、上記中央スリット４２１が、上記回転板４２７の径方向に対し、上記ガイドレール４２９の場合と同一側すなわち正面視反時計回り方向側へ傾斜する方向Ｄ２に沿って延出するように配設された構成となっている。
【０２２７】
上記パチンコ機１０の構成によれば、スライドピン４２５が中央スリット４２１に沿って移動する速度が上がって、中心側部から外側へまたは外側から中心側部へより速く移動することができるようになっている。このとき、中央スリット４２１を回転板４２７の径方向（あるいはスリット部材４１５における円状開口４１６の径方向Ｄ１）に対してより大きく傾斜させるほど、移動速度が速くなるかわりにスライドピン４２５に対する負荷が大きくなるが、中央スリット４２１の場合にはスライドピン４２５が貫通しているので逸脱の惧れは少なくなっている。一方、ガイドレール４２９の場合にはスライドピン４２５に対する負荷が大きくなるとスライドピン４２５が逸脱する惧れがあるため、移動速度は犠牲にされている。このため、中央スリット４２１を上記パチンコ機１０の構成のように傾斜させる構成とすることによって、移動速度が補われるようになっている。また、このように傾斜させることにより、中央スリット４２１がよりコンパクトに配置形成されている。
【０２２８】
また、上記パチンコ機１０は、上記中央スリット４２１に対し両側に並行するように補助溝として両側スリット４２２が配設され、スライドピン４２５が、上記両側スリット４２２にもスライド可能に保持された構成となっている。
【０２２９】
上記パチンコ機１０の構成によれば、スライドピン４２５を有するスライド部材４２３が回動することなく一定の体勢を維持した状態で中央スリット４２１に沿って移動することができる。このとき、例えば仮に、中央スリット４２１に対してその長さ方向Ｄ２に沿ってある程度の幅を有するスライド片を挿入してスライド自在に保持する構成とすることによっても、回ることなく一定の体勢を維持した状態で中央スリット４２１に沿って移動させることが可能となり、両側スリット４２２も不要となるが、これによれば、スライド片の幅のぶんだけ、スライド方向に占有するスペースが大となり、可動範囲も小さくなる。そこで、上記パチンコ機１０の構成のようにスライド部材４２３を両側スリット４２２にもスライド可能に保持されるようにすることで、そのぶんスライド方向に占有するスペースの増大が抑えられている一方、スライド方向の可動範囲も大きく確保されている。
【０２３０】
また、上記パチンコ機１０は、上記回転板４２７の中心部に対応する位置に、外側へ向けて光を照射し得る発光手段としてＬＥＤ基板４５３の第１横向きＬＥＤ４５８および第２横向きＬＥＤ４５９が配設され、上記可動体に、上記第１横向きＬＥＤ４５８および第２横向きＬＥＤ４５９から外側へ照射された光を上記回転板４２７の軸方向である前方に向かうように反射させる反射面すなわち萼片４０３における鏡面状の前側面（内側面）が配設された構成となっている。
【０２３１】
上記パチンコ機１０の構成によれば、可動体に反射面を配設するという簡略な構成により、効果的な発光演出を行うことができるようになっている。特に、可動体すなわちスライド部材４２３が外側へ移動した状態においては、これにともなって反射面すなわち萼片４０３の前側面（内側面）が外側へ移動することにより、発光効果の得られる領域が外側へ拡大することとなる。従って、同一の発光手段であるＬＥＤ基板４５３によってより効果的な発光効果を得ることができるようになっている。
【０２３２】
また、上記パチンコ機１０は、上記可動体に、上記回転板４２７の中心部から外側へ延びる装飾部として花弁４０２および萼片４０３が配設され、該花弁４０２および萼片４０３の中心側端部が上記ガイドレール４２９および上記中央スリット４２１に移動可能に保持された構成となっている。
【０２３３】
上記パチンコ機１０の構成によれば、花弁４０２および萼片４０３が最も中心寄りに移動した集結状態では、該花弁４０２および萼片４０３をコンパクトな体勢とすることができるとともに、ガイドレール４２９および中央スリット４２１も外側へ大きくする必要がないため回転板４２７が前方からみて目立たないようにコンパクトに成形されている。一方、花弁４０２および萼片４０３が最も外側へ移動した状態では、花弁４０２および萼片４０３を外側へ大きく拡開させることができるようになっている。
【０２３４】
また、上記パチンコ機１０は、始動口すなわち始動入賞装置３３への入球を契機として内部抽選が行われ、この抽選の結果に応じて複数の異なる演出パターンを含んで構成される演出すなわち４種類のリーチ種別（リーチ変動パターン）によるリーチ演出がなされ、
上記複数の演出パターンのうちのいずれの演出パターンがなされるかに応じて選択的に上記第１動作すなわち集散動作および第２動作すなわち回転動作のうちの少なくとも一部の動作（例えば拡開動作）が行われるように制御される構成となっている。
【０２３５】
上記パチンコ機１０の構成によれば、第１動作すなわち集散動作および第２動作すなわち回転動作のうちの少なくとも一部の動作が、抽選の結果に基づく演出パターンの相違に応じて行われるようになっており、したがって演出が視覚的にさらにわかりやすく、演出効果もより良好となっている。
【０２３６】
（変更態様）
上記パチンコ機１０には、例えば以下に列挙するように様々な変更を加えることが可能である。
【０２３７】
（１）前記実施形態においては、図５８に示すように回転板４２７のガイドレール４２９が全体として外側へ渦巻き状に拡がるように延びる形状となるように、５本のガイドレール４２９がすべて同寸同形に成形され、これにより、５組の花弁４０２および萼片４０３がすべて、放射状に集散する動作を一斉に、即ち同期して同速度で行うようになっていたが、例えば図６７に示すように、複数のガイドレール６４１〜６４５を、寸法ないし形状に相違を設けるようにして成形し、これにより集散動作にズレを設けるようにしてもよい。図６７に示す回転板６４０は、前記実施形態の場合と同様に、全体として外側へ渦巻き状に拡がるように延びる５本のガイドレール６４１〜６４５が一体的に形成されているが、これら５本のガイドレール６４１〜６４５がすべて同寸同形ではなく、いずれも寸法形状に少しずつ相違を有している点で前記実施形態の場合とは異なるものとなっている。具体的には、以下のような構成となっている。
【０２３８】
５本のガイドレール６４１〜６４５のうち、１本のガイドレール６４５は、前記実施形態における回転板４２７のガイドレール４２９と同寸同形（合同）に成形されている。従って、前記実施形態の場合と同様に、中心側端部から枢支開口６４６の接線の方向Ｄ６に沿って正面視反時計回り側へ延び出し、この後、この接線方向Ｄ６よりも、さらに正面視反時計回り側へ向けて弧状に湾曲しながら外側へ延びる正面形状となっている。以下、このガイドレール６４５を第５ガイドレール６４５とも称す。
【０２３９】
第５ガイドレール６４５に対し正面視時計回り方向に隣接するガイドレール６４４は、第５ガイドレール６４５の場合とは異なって、中心側端部から枢支開口６４６の接線の方向Ｄ７に沿って正面視反時計回り側へ向かう方向よりも、やや正面視時計回り方向に傾斜した方向に沿って延び出し、この後、この延出方向よりも正面視反時計回り側へ向けて弧状に湾曲しながら外側へ延びる正面形状となっている。このとき、弧状に湾曲する湾曲度は第５ガイドレール６４５の場合と同等となっているので、第５ガイドレール６４５の場合に比して、外側へやや起立するように延びており、従ってやや短距離で回転板６４０の外周縁部に到達する。これにより、中心側端部から回転板６４０の外周縁部まで弧状に湾曲しながら外側へ延びる湾曲部６４４Ｒが形成されている。この湾曲部６４４Ｒの外周側端部からは、回転板６４０の周方向に沿って弧状に湾曲しながら正面視反時計回り側へやや延び出しており、これにより逃げ溝部６４４Ｄが形成されている。逃げ溝部６４４Ｄの先端部すなわちこのガイドレール６４４の外周側端部と中心側端部との位置関係は、第５ガイドレール６４５の外周側端部と中心側端部との位置関係と同様となっている。即ち、中心側端部（始点）および外周側端部（終点）の位置に限っては第５ガイドレール６４５と同様とされており、一方、これら両端部の間では第５ガイドレール６４５の場合とは異なって、湾曲部６４４Ｒから逃げ溝部６４４Ｄへと屈曲して全体として略「へ」字形状をなすように形成されている。以下、このガイドレール６４４を第４ガイドレール６４４とも称す。
【０２４０】
第４ガイドレール６４４に対し正面視時計回り方向に隣接するガイドレール６４３は、第４ガイドレール６４４の場合と同様に、中心側端部（始点）および外周側端部（終点）の位置は第５ガイドレール６４５と同様とされ、一方、これら両端部の間では湾曲部６４３Ｒから逃げ溝部６４３Ｄへと屈曲して全体として略「へ」字形状をなすように形成されている。ただし、湾曲部６４３Ｒは、第４ガイドレール６４４の湾曲部６４４Ｒの場合よりもさらにやや正面視時計回り方向に傾斜した方向に沿って延び出している。即ち、第４ガイドレール６４４の湾曲部６４４Ｒの場合よりもさらにやや起立するように延びており、従ってより短距離で回転板６４０の外周縁部に到達する形状となっている。一方、そのぶん、逃げ溝部６４３Ｄの長さが第４ガイドレール６４４の逃げ溝部６４４Ｄよりも長くなっている。以下、このガイドレール６４３を第３ガイドレール６４３とも称す。
【０２４１】
第３ガイドレール６４３に対し正面視時計回り方向に順次隣接するガイドレール６４２、６４１は、第４ガイドレール６４４と第３ガイドレール６４３との差異が次第に大きくなっていくような形状となっている。即ち、これら残り２本のガイドレール６４２、６４１の湾曲部６４２Ｒ、６４１Ｒはそれぞれ、第３ガイドレール６４３の湾曲部６４３Ｒの場合よりも、正面視時計回り方向への傾斜が順次しだいに大きく、従って回転板６４０の外周縁部までの距離が順次しだいに短くなるように延び出している。一方、逃げ溝部６４２Ｄ、６４１Ｄの長さはそれぞれ、第３ガイドレール６４３の逃げ溝部６４３Ｄよりも順次しだいに長くなっている。以下、これら残り２本のガイドレール６４２、６４１を正面視時計回り方向の順に第２ガイドレール６４２および第１ガイドレール６４１とも称す。
【０２４２】
本変更態様に係る回転板６４０は、前記実施形態の場合と同様に、図６７に矢印Ａ１７で示すように正面視時計回り方向に回転駆動され、これにともない、スライド部材４２３のスライドピン４２５に対し、ガイドレール６４１〜６４５に案内されるようにして、径方向に沿って外側へ押し出される。ただしこのとき、第１ガイドレール６４１ないし第５ガイドレール６４５のいずれにおいても、始点である中心側端部は、前記実施形態の場合と同様に枢支開口６４６の周縁の外側に接する位置に配置形成されているので、回転板６４０の回転とともにスライドピン４２５が一斉に移動を開始するが、上述の傾斜および外周縁部までの距離の相違により、第１ガイドレール６４１が最も速くスライドピン４２５を案内するようになっており、これに比して、第２ガイドレール６４２から第５ガイドレール６４５までにおいてはスライドピン４２５の案内速度が順次遅くなっていく。従って、回転板６４０の回転の途上で、まず最初に第１ガイドレール６４１内のスライドピン４２５が回転板６４０の外周縁部に到達する。回転板６４０がさらに回転すると、第１ガイドレール６４１内で回転板６４０の外周縁部に到達したスライドピン４２５は、逃げ溝部６４１Ｄにより、これ以降は回転板６４０の回転が伝達されず、回転板６４０の外周縁部に留まる。ついで、回転板６４０の回転にともない、第２ガイドレール６４２内のスライドピン４２５ないし第４ガイドレール６４４内のスライドピン４２５が順次、第１ガイドレール６４１と同様に、回転板６４０の外周縁部に到達して逃げ溝部６４２Ｄ〜６４４Ｄにより回転板６４０の外周縁部に留まる。最終的に第５ガイドレール６４５内のスライドピン４２５が回転板６４０の外周縁部に到達すると、５個のスライドピン４２５がそれぞれ第１ガイドレール６４１ないし第５ガイドレール６４５の終点に到達し、これ以降は、前記実施形態の花弁動作装置４０ＦにおけるＣ．集散回転動作の場合と同様にして、動作を終了するか、あるいは間欠的ないし連続的に回転動作へと移行する。
【０２４３】
一方、集結動作においては、回転板６４０を上記拡開動作の場合とは逆に正面視反時計回り方向に回転駆動すると、回転板６４０の回転とともに、まず最初に第５ガイドレール６４５内のスライドピン４２５が回転板６４０の外周縁部から中心側端部へ向けて移動を開始し、これ以外の第１ガイドレール６４１ないし第４ガイドレール６４４内のスライドピン４２５は、いずれも逃げ溝部６４２Ｄ〜６４４Ｄにより回転板６４０の外周縁部に留まる。回転板６４０がさらに回転すると、第４ガイドレール６４４内のスライドピン４２５から第１ガイドレール６４１内のスライドピン４２５まで、この順に段階的に遅れながら、かつ、この順に段階的に速くなる速度で、それぞれ回転板６４０の外周縁部から中心側端部へ向けて移動を開始する。この速度差により、回転板６４０の回転とともに５個のスライドピン４２５の遅れが次第に縮小していき、最終的には５個のスライドピン４２５が一斉に始点である中心側端部に到達する。
【０２４４】
本変更態様の構成によれば、拡開動作においては、５組の花弁４０２および萼片４０３が一斉に拡開を開始し、この後、第１ガイドレール６４１により案内される花弁４０２および萼片４０３の組を先頭とし、これに続いて、第２ガイドレール６４２により案内される組から第５ガイドレール６４５により案内される組まで、正面視反時計回り方向に１組ずつ順次、集結位置から拡開位置まで速く到達するようにして拡開動作が行われる。一方、集結動作においては、第５ガイドレール６４５により案内される花弁４０２および萼片４０３の組が先頭として最も低速で集結を開始し、これに続いて、第４ガイドレール６４４により案内される組から第１ガイドレール６４１により案内される組まで、正面視時計回り方向に１組ずつ順次、時機的に遅れながらかつ段階的に速くなる速度で集結を開始していき、最終的に全５組の花弁４０２および萼片４０３が集結位置に同時に揃って到達するようにして集結動作が行われる。これにより、前記実施形態の場合に比して拡開動作および集結動作に変化が付与されて演出効果がさらに良好となる。
【０２４５】
ただし、本変更態様の場合、第５ガイドレール６４５に限っては前記実施形態のガイドレール４２９と合同に成形されているが、これ以外の第４ガイドレール６４４の湾曲部６４４Ｒから第１ガイドレール６４１の湾曲部６４１Ｒまでが、この順に段階的に、正面視時計回り方向への傾斜が次第に大きくなっていく形状となっているので、これにともない、スライドピン４２５との間にかかる負荷が次第に大きくなっており、これにより、スライドピン４２５が移動時に逸脱する惧れも次第に大きくなっている。このため、例えば、ガイドレールを厚さ方向に貫通するスリット状に形成し、スライドピンを貫通させるように挿通して先端部にＥ型止め輪等の抜け止め防止手段を設けるようにしてもよい。これによれば、組立の手間が増えるものの、ガイドレールからスライドピンが逸脱する不具合を確実に防止することができる。
【０２４６】
（２）前記実施形態においては、図５８に示すようにそれぞれ単線の曲線状に延びるガイドレール４２９が回転板４２７に形成されていたが、例えば図６８に示すように、少なくとも１つのガイドレール６４８を二又またはそれ以上に分岐する形状とし、これにより複数の案内経路から選択してスライドピンを案内し得る構成としてもよい。図６８に示す回転板６４７は、前記実施形態の場合と同様に、全体として外側へ渦巻き状に拡がるように延びる同寸同形の５本のガイドレール６４８が一体的に形成されているが、各ガイドレール６４８が二又状に形成されている点で前記実施形態の場合とは異なるものとなっている。具体的には、以下のような構成となっている。
【０２４７】
本変更態様に係るガイドレール６４８は、前記実施形態における回転板４２７のガイドレール４２９と同一寸法で同一形状となるように中心側端部から外周側端部まで延びる本体部６４８Ｍを有し、この本体部６４８Ｍのほぼ中央部から、正面視時計回り方向側へ分岐するように支流部６４８Ｂが延出する形状となっている。支流部６４８Ｂは、本体部６４８Ｍの外周側端部と同一円周上の位置まで、本体部６４８Ｍと同方向にやや弧状に湾曲しながら延びている。従って支流部６４８Ｂの長さ即ち分岐点からの延出距離は、当該分岐点から本体部６４８Ｍの外周側端部までの距離よりも短くなっている。即ち、本変更態様に係るガイドレール６４８は、前記実施形態に係るガイドレール４２９と同寸同形（合同）の本体部６４８Ｍの延出途上から、正面視時計回り方向側へ傾斜しながら起立するように延出して回転板６４７の外周縁部まで比較的に短く延びる支流部６４８Ｂが一体的に形成され、これにより全体として概略ｙ字形状をなすガイドレールとなっている。
【０２４８】
上記ガイドレール６４８の分岐点部には、切替片６４８Ｅが配設されている。切替片６４８Ｅは、本体部６４８Ｍの側部において支流部６４８Ｂへの分岐にともない形成されている開放部を閉塞し得るように延びる片となっており、一方端部に後方へ延びる回動軸が設けられている。切替片６４８Ｅの回動軸は、本体部６４８Ｍの側部における上記開放部の下流側端の位置で、回転板６４７を貫通して後側まで挿通され、先端に後側から小径の第６ギア６４８Ｇが固定されている。回転板６４７の後側には、該回転板６４７の外径よりやや小径の円環状であって内側縁に歯を有する第７ギア６４９が、該回転板６４７に対して回転可能に同心となるように配設されている。第７ギア６４９には、内側から第６ギア６４８Ｇが噛み合うとともに、これとは別の小径の第８ギア６５０が内側から噛み合うように配設され、該第８ギア６５０はモータの駆動軸（図示省略）の先端に固定されている。これにより、モータから第８ギア６５０、第７ギア６４９および第６ギア６４８Ｇへとこの順に回転動力が伝達されるようになっている。
【０２４９】
上記モータにより第８ギア６５０を正面視時計回り方向に回動させると、これに連動して第７ギア６４９および全ての第６ギア６４８Ｇが正面視時計回り方向に回動し、これにより切替片６４８Ｅが一斉に正面視時計回り方向に回動して、図６８に実線で示すように本体部６４８Ｍ側を閉塞し支流部６４８Ｂ側を開放する位置（以下、「分流位置」とも称す）に移動する。一方、上記モータにより第８ギア６５０を正面視反時計回り方向に回動させると、上述とは逆に、切替片６４８Ｅが一斉に図６８に鎖線で示すように本体部６４８Ｍ側を開放し支流部６４８Ｂ側を閉塞する位置（以下、「本流位置」とも称す）に移動する。
【０２５０】
本変更態様の構成によれば、上述のように切替片６４８Ｅを分流位置と本流位置とに切り替えることにより、スライドピン４２５を分岐点で支流部６４８Ｂの方へ案内するか、それとも引き続き本体部６４８Ｍを移動するように案内するかを選択することができる。切替片６４８Ｅを本流位置とした場合には、前記実施形態の場合と同様の拡開動作および集結動作となる。一方、切替片６４８Ｅを分流位置とした場合には、拡開動作の前半には前記実施形態の場合と同様に拡開動作が進行し、スライドピン４２５が分岐点を通過すると、本体部６４８Ｍに対し正面視時計回り方向側へ傾斜しながら起立するように延出する比較的に短い支流部６４８Ｂに案内されることにより、移動速度を上げて回転板６４７の外周縁部まで速く達する。これにともない、５組の花弁４０２および萼片４０３が、前半は前記実施形態の場合と同じ速度で同様に拡開し、後半になると一気に速度を上げて拡開する動作となる。一方、集結動作においては逆に、前半は比較的に高速で集結し、後半になると前記実施形態の場合と同じ速度に鈍化して集結する動作となる。これにより、前記実施形態の場合と同様の拡開動作および集結動作と、前記実施形態の場合に変化が付与された拡開動作および集結動作とを切り換えることができる。
【０２５１】
本変更態様の構成によれば、例えば、内部抽選の結果、大当たりとなる確率が比較的に低いリーチ種別（例えばノーマルリーチ）となった場合には、切替片６４８Ｅを本流位置として前記実施形態の場合と同様の拡開動作および集結動作を行い、一方、大当たりとなる確率が比較的に高いリーチ種別（例えばスーパーリーチ、スペシャルリーチ、プレミアムリーチ等）となった場合には、切替片６４８Ｅを分流位置として前記実施形態の場合に変化が付与された拡開動作および集結動作を行うといったように、大当たりとなる確率に応じて拡開動作および集結動作の態様を切り替えるように制御することができる。
【０２５２】
なお、本変更態様の場合も、支流部６４８Ｂが本体部６４８Ｍに対し正面視時計回り方向側へ傾斜しながら起立するように延出する形状となっていることにより、スライドピン４２５との間にかかる負荷が大きくなるため、ガイドレールをスリット状としスライドピンを貫通させて抜け止め防止手段を設け、これによりスライドピンの逸脱を防止するようにしてもよい。
【０２５３】
また、本変更態様においてはガイドレール６４８が二又に分岐する形状となっているが、回転板のスペースによっては、三又以上に分岐する形状のガイドレールとしてもよい。これによれば、３段階以上の切替が可能となり、従って３通り以上のリーチ種別に応じて動作の態様を切り替えるように制御することもできる。
【０２５４】
また、本変更態様においては５本のガイドレール６４８がすべて同寸同形に成形されているが、複数のガイドレールのうちの一部のガイドレールのみを上述のような分岐形状のガイドレールとし、残りのガイドレールは前記実施形態の場合と同様の分岐しない形状のガイドレールとして、これによりさらに変化を付与するようにしてもよい。
【０２５５】
（３）上述の変更態様（１）と変更態様（２）とを組み合わせて、複数のガイドレールをそれぞれ二又またはそれ以上に分岐する形状とし、さらに、複数のガイドレールの寸法ないし形状に相違を設けるようにし、これによりさらに変化を付与するようにしてもよい。例えば、複数のガイドレールにそれぞれ、上述の変更態様（２）の場合と同様の本体部を形成するとともに、上述の変更態様（１）の場合と同様に寸法形状に少しずつ相違を有する支流部を形成するようにしてもよい。これによれば、上述の変更態様（２）の場合と同様に分流位置と本流位置とに切り替えることにより動作態様を切り替えることができるとともに、分流位置とした場合には上述の変更態様（１）の場合と同様に集散動作にズレを設けることができる。
【０２５６】
さらには、例えば、同一のガイドレールであっても、その傾斜が次第に（連続的または段階的に）増大ないし減少する形状とすることによって、次第に動作速度を上昇または低下させたり、あるいはガイドレールの中間部に逃げ溝部を設けることによって、途中でいったん動作を停止させたり、といったように各種の動作態様が可能である。
【０２５７】
さらにまた、例えば、ガイドレールの態様が異なる複数種類の回転板ないしスリット部材を調製しておき、遊技機の使用段階でこれらを交換可能とするようにしてもよい。また、前記実施形態においては、花弁４０２、萼片４０３、花床４６１および雌しべ４６４により全体として開花状態のハイビスカスの花が構成されるようになっていたが、これらに対応させて、例えば太陽、月、硬貨、顔面等といった各種の意匠の部材を調製しておき、遊技機の使用段階でこれらを交換可能とするようにしてもよい。さらにまた、例えば、各部材だけでなく、前記実施形態に係る花弁動作装置４０Ｆないし演出動作ユニット４０と態様が異なる動作装置ないし演出動作ユニットを作製しておき、遊技機の使用段階でこれらを交換可能とするようにしてもよい。
【０２５８】
（４）前記実施形態においては、Ａ．昇降動作とＢ．開閉動作とが連動（リンク）して行われる構成となっていたが、これらの動作のための駆動機構をそれぞれ配設して、それぞれ独立して動作が行われる構成としてもよい。これによれば、そのぶん、機構は複雑化するものの、動的動作のバリエーションを増加させることができる。例えば、初期位置にある花弁動作装置４０Ｆの後側に、可動または不動の装飾部材や液晶表示装置等による演出部を配設しておき、Ａ．昇降動作により花弁動作装置４０Ｆを最下位置とした状態で、左右両側からシャッタが寄り合うように移動してきて上記演出部を覆う閉鎖動作と、左右両側へ退避して演出部を露出する開放動作とをそれぞれ単独で行ったり、あるいは閉鎖動作と開放動作とを繰り返し行ったりといった動作態様が可能である。
【０２５９】
（５）前記実施形態においては、Ａ．昇降動作により花弁動作装置４０Ｆを最下位置とした状態でＣ．集散回転動作が行われる構成となっていたが、初期位置においても花弁動作装置４０Ｆの周囲に必要な動作スペースが確保されるようなレイアウトであれば、Ａ．昇降動作を経ずに花弁動作装置４０Ｆを初期位置とした状態でもＣ．集散回転動作を行うようにすることができる。さらに、例えば、Ｃ．集散回転動作により拡開動作中、回転動作中、集結動作中ないしこれらの繰り返し動作中の花弁動作装置４０Ｆを、Ａ．昇降動作により降下動作、上昇動作ないしこれらの繰り返し動作を行わせる、といった動作態様も可能である。
【０２６０】
（６）前記実施形態においては、発光手段として前向ＬＥＤ４５７、第１横向きＬＥＤ４５８および第２横向きＬＥＤ４５９がそれぞれ多数のＬＥＤで構成されていたが、それぞれを単一のＬＥＤにより構成するようにしてもよい。また、ＬＥＤ以外にも、蛍光ランプ等の任意の光源を用いてもよい。
【０２６１】
（７）前記実施形態においては、第１動作すなわち集散動作と第２動作すなわち回転動作とが、中央モータ４０４を共通の駆動手段としてその動力により順次行われ、これにより、同一の駆動手段によって変化のある動作演出がなされる構成となっていたが、これら第１および第２動作を別々の駆動手段により互いに独立して行う構成とし、両動作を相互に関連させて、あるいは無関係に、任意のタイミングで行うように制御する構成としてもよい。
【０２６２】
（８）前記実施形態においては、制動手段としてオイルダンパ４０５が用いられていたが、制動手段としてはこれ以外にも、例えば回転板に制動片（ブレーキ・シュー）を圧接して制動する制動機構等を設けるようにしてもよい。
【０２６３】
（９）前記実施形態においては、動的動作および発光動作の制御を同一の基板（サブ制御基板）で行うようになっていたが、動的動作および発光動作の制御は同一基板で同じ制御を行うようにしても、あるいは個別の制御を行うようにしてもよい。あるいはまた、動的動作および発光動作の制御を個別の基板で個別に行うようにしてもよい。
【０２６４】
（１０）前記実施形態においては、花弁動作装置４０Ｆの集散回転動作が回転板４２７の回転駆動により行われるように構成されていたが、例えば、直線方向等に動作し得る部材により行われる構成としてもよい。
【０２６５】
（１１）前記実施形態においては、パチンコ機１０が例示されていたが、遊技機としては、パチンコ機以外にも、スロット機、パチンコ機とスロット機を融合させた遊技機も例示される。
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【０２６６】
なお本明細書は、次に掲げる発明をいずれも開示している。
【０２６７】
本発明にかかる遊技機は、上記目的を達成するために、手段Ａ１として、
所定条件に基づいて動力を発生させる駆動手段と、
前記駆動手段の動力により互いに異なる第１動作および第２動作を行い得る動作手段と、
前記第１動作および第２動作のうちの一方の動作が行われている間は他方の動作を制動し、一方の動作が終了すると他方の動作を許可する制動手段と、を有する遊技機であって、
前記動作手段が、内部に可動体を移動可能に保持した状態で移動することによって前記駆動手段の動力を前記可動体に伝達する駆動溝と、前記可動体の移動方向を所定の方向に規制する規制溝とを備えることを特徴とする。
【０２６８】
上記手段Ａ１の構成によれば、互いに異なる第１動作と第２動作とが制動手段の制動によって順次行われ、これにより変化のある動作演出がなされる。このとき、動作手段が駆動溝と規制溝とを備えて構成されるものとなっているので、機構を複雑化させることなく簡略な構成とすることができるとともに、大型化させることなくコンパクトに構成することができる。
【０２６９】
また、動作手段として駆動溝と規制溝とを備える構成とすることにより、構成が簡潔化されて部品点数も少なくて済むだけでなく、溝のデザインおよびレイアウトによって、動作手段をコンパクトに成形することができる。さらに、可動体を案内する経路を自由に変更することができ、従って、駆動手段における動力発生の態様によることなく、溝という簡潔な動力伝達の構成により、動作の速度その他の様態を容易に設定ないし変更することができ、また動力伝達にともなって発生する負荷も増減させることが可能である。
【０２７０】
また、本発明にかかる遊技機は、手段Ａ２として、手段Ａ１の遊技機において、
前記駆動溝が、回転体に、中心部から外側へ径方向に対し一方側へ傾斜する方向に沿って延出するように配設された有底の溝であり、前記規制溝が、前記回転体に軸方向に重なるように配置形成され、前記回転体の中心部に対応する位置から外側へ延出するように配設されたスリットであって、前記可動体が、前記規制溝を貫通させて前記駆動溝に嵌入されていることを特徴とする。
【０２７１】
上記手段Ａ２の構成によれば、回転体を回転させることにより、駆動溝から可動体に外側へ押し出す方向にまたはこの逆方向に動力が伝達され、この動力により、可動体が規制溝に沿って中心側部から外側へまたはこの逆方向に移動する。これにより、簡略な構成によって容易に可動体を内外に移動させる動作を行うことができる。このとき、可動体が、規制溝を貫通させて駆動溝に嵌入される構成となっているため組立も容易である。この構成では、駆動溝から可動体が逸脱する惧れもあるが、駆動溝を径方向に対し大きく傾斜する方向に延出するものとすることで、可動体に対する負荷を小さくし、これにより逸脱を効果的に防止することができる。一方、規制溝においては可動体が貫通しているので逸脱の惧れは少なく、このため可動体に対する負荷の如何に関わらず規制溝の形状や配置を設定することができる。
【０２７２】
また、本発明にかかる遊技機は、手段Ａ３として、手段Ａ２の遊技機において、
前記規制溝が、前記回転体の径方向に対し、前記駆動溝の場合と同一側へ傾斜する方向に沿って延出するように配設されていることを特徴とする。
【０２７３】
上記手段Ａ３の構成によれば、可動体が規制溝に沿って移動する速度が上がって、中心側部から外側へまたはこの逆方向により速く移動することができる。このとき、規制溝を回転体の径方向に対してより大きく傾斜させるほど、移動速度が速くなるかわりに可動体に対する負荷が大きくなるが、前述の通り、規制溝の場合には可動体が貫通しているので逸脱の惧れは少ない。一方、前述の通り、駆動溝の場合には可動体に対する負荷が大きくなると可動体が逸脱する惧れがあるため、移動速度は犠牲にせざるを得ない。従って、規制溝を上記手段Ａ３の構成のように傾斜させる構成とすることによって、移動速度を補うことができる。また、このように傾斜させることにより、規制溝をよりコンパクトに配置形成することができる。
【０２７４】
また、本発明にかかる遊技機は、手段Ａ４として、手段Ａ１から手段Ａ３のいずれかの遊技機において、
前記規制溝に対し両側に並行するように補助溝が配設され、前記可動体が、前記両側の補助溝にもスライド可能に保持されていることを特徴とする。
【０２７５】
上記手段Ａ４の構成によれば、可動体が回動することなく一定の体勢を維持した状態で規制溝に沿って移動することができる。このとき、例えば仮に、規制溝に対してその長さ方向に沿ってある程度の幅を有するスライド片を挿入してスライド自在に保持する構成とすることによっても、回ることなく一定の体勢を維持した状態で規制溝に沿って移動させることが可能となり、補助溝も不要となるが、これによれば、スライド片の幅のぶんだけ、スライド方向に占有するスペースが大となり、可動範囲も小さくなる。そこで、上記手段Ａ４の構成のように可動体を両側の補助溝にもスライド可能に保持されるようにすると、そのぶんスライド方向に占有するスペースの増大を抑えることができる一方、スライド方向の可動範囲も大きく確保することができる。
【０２７６】
また、本発明にかかる遊技機は、手段Ａ５として、手段Ａ２から手段Ａ４のいずれかの遊技機において、
前記回転体の中心部に対応する位置に、外側へ向けて光を照射し得る発光手段が配設され、前記可動体に、前記発光手段から外側へ照射された光を前記回転体の軸方向に向かうように反射させる反射面が配設されていることを特徴とする。
【０２７７】
上記手段Ａ５の構成によれば、可動体に反射面を配設するという簡略な構成により、効果的な発光演出を行うことができる。特に、可動体が外側へ移動した状態においては、これにともなって反射面が外側へ移動することにより、発光効果の得られる領域が外側へ拡大することとなる。従って、同一の発光手段によってより効果的な発光効果を得ることができる。
【０２７８】
また、本発明にかかる遊技機は、手段Ａ６として、手段Ａ２から手段Ａ５のいずれかの遊技機において、
前記可動体に、前記回転体の中心部から外側へ延びる装飾部が配設され、該装飾部の中心側端部が前記駆動溝および前記規制溝に移動可能に保持されていることを特徴とする。
【０２７９】
上記手段Ａ６の構成によれば、装飾部が最も中心寄りに移動した状態では、該装飾部をコンパクトな体勢とすることができるとともに、駆動溝および規制溝も外側へ大きくする必要がないため回転体を前方からみて目立たないようにコンパクトに成形できる。一方、装飾部が最も外側へ移動した状態では、装飾部を外側へ大きく拡開させることができる。
【０２８０】
また、本発明にかかる遊技機は、手段Ａ７として、手段Ａ１から手段Ａ６のいずれかの遊技機において、
前記駆動溝が、寸法ないし形状の異なる複数の駆動溝から構成されていることを特徴とする。
【０２８１】
上記手段Ａ７の構成によれば、複数の駆動溝により駆動される可動体のそれぞれの速度等に差異が生じ、これにより動作にズレを設けることができる。従って、動作態様に変化を付与して演出効果をさらに良好とすることができる。
【０２８２】
また、本発明にかかる遊技機は、手段Ａ８として、手段Ａ１から手段Ａ７のいずれかの遊技機において、
前記駆動溝が、二又またはそれ以上に分岐する形状を有することにより複数の案内経路を構成していることを特徴とする。
【０２８３】
上記手段Ａ８の構成によれば、複数の案内経路から選択して可動体を案内することができ、これにより動作態様を切り替えるようにすることができる。
【０２８４】
また、本発明にかかる遊技機は、手段Ａ９として、手段Ａ１から手段Ａ８のいずれかの遊技機において、
始動口への入球を契機として内部抽選が行われ、この抽選の結果に応じて複数の異なる演出パターンを含んで構成される演出がなされ、
前記複数の演出パターンのうちのいずれの演出パターンがなされるかに応じて選択的に前記第１動作および第２動作のうちの少なくとも一方が行われるように制御されることを特徴とする。
【０２８５】
上記手段Ａ９の構成によれば、第１動作および第２動作のうちの少なくとも一方が、抽選の結果に基づく演出パターンの相違に応じて行われることになり、したがって演出が視覚的にさらにわかりやすくなり、演出効果もより良好となる。
【０２８６】
また、本発明にかかる遊技機は、手段Ａ１０として、手段Ａ８の遊技機において、
始動口への入球を契機として内部抽選が行われ、この抽選の結果に応じて複数の異なる演出パターンを含んで構成される演出がなされ、
前記複数の演出パターンのうちのいずれの演出パターンがなされるかに応じて前記複数の案内経路から選択して可動体が案内されることを特徴とする。
【０２８７】
上記手段Ａ１０の構成によれば、案内経路の選択による動作態様の切替が、抽選の結果に基づく演出パターンの相違に応じて行われることになり、したがって演出が視覚的にさらにわかりやすくなり、演出効果もより良好となる。
【０２８８】
また、本発明にかかる遊技機は、手段Ｂ１として、手段Ａ１から手段Ａ１０のいずれかの遊技機において、
遊技機がパチンコ機であることを特徴とする。
【０２８９】
パチンコ機の基本構成としては、操作ハンドルを備え、その操作ハンドルの操作に応じて有価物体の一例である球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カード書き込まれるデータ等も含む）が付与されるものが挙げられる。
【０２９０】
パチンコ機にあっては、動作手段が駆動溝と規制溝とを備えて構成されることにより、動作機構を簡略でコンパクトに構成することが可能なパチンコ機が得られる。
【０２９１】
また、本発明にかかる遊技機は、手段Ｂ２として、手段Ａ１から手段Ａ１０のいずれかの遊技機において、
遊技機がスロット機であることを特徴とする。
【０２９２】
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
【０２９３】
スロット機にあっては、動作手段が駆動溝と規制溝とを備えて構成されることにより、動作機構を簡略でコンパクトに構成することが可能なロット機が得られる。
【０２９４】
また、本発明にかかる遊技機は、手段Ｂ３として、手段Ａ１から手段Ａ１０のいずれかの遊技機において、
遊技機がパチンコ機とスロット機を融合させた遊技機であることを特徴とする。
【０２９５】
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【０２９６】
パチンコ機とスロット機を融合させた遊技機にあっては、動作手段が駆動溝と規制溝とを備えて構成されることにより、動作機構を簡略でコンパクトに構成することが可能な、パチンコ機とスロット機を融合させた遊技機が得られる。
【産業上の利用可能性】
【０２９７】
本発明は、パチンコ機やスロットマシン等の遊技機であれば広汎に実施することが可能である。
【符号の説明】
【０２９８】
４０４Ｇ：第１ギア（駆動手段）
４１５：スリット部材（動作手段）
４２７：回転板（動作手段）
４２５：スライドピン（可動体）
４２９：ガイドレール（駆動溝）
４２１：中央スリット（規制溝）
Ｄ２：規制溝の長さ方向（所定方向）
【図１】
2014221166.tif 000003
【図２】
2014221166.tif 000004
【図３】
2014221166.tif 000005
【図４】
2014221166.tif 000006
【図５】
2014221166.tif 000007
【図６】
2014221166.tif 000008
【図７】
2014221166.tif 000009
【図８】
2014221166.tif 000010
【図９】
2014221166.tif 000011
【図１０】
2014221166.tif 000012
【図１１】
2014221166.tif 000013
【図１２】
2014221166.tif 000014
【図１３】
2014221166.tif 000015
【図１４】
2014221166.tif 000016
【図１５】
2014221166.tif 000017
【図１６】
2014221166.tif 000018
【図１７】
2014221166.tif 000019
【図１８】
2014221166.tif 000020
【図１９】
2014221166.tif 000021
【図２０】
2014221166.tif 000022
【図２１】
2014221166.tif 000023
【図２２】
2014221166.tif 000024
【図２３】
2014221166.tif 000025
【図２４】
2014221166.tif 000026
【図２５】
2014221166.tif 000027
【図２６】
2014221166.tif 000028
【図２７】
2014221166.tif 000029
【図２８】
2014221166.tif 000030
【図２９】
2014221166.tif 000031
【図３０】
2014221166.tif 000032
【図３１】
2014221166.tif 000033
【図３２】
2014221166.tif 000034
【図３３】
2014221166.tif 000035
【図３４】
2014221166.tif 000036
【図３５】
2014221166.tif 000037
【図３６】
2014221166.tif 000038
【図３７】
2014221166.tif 000039
【図３８】
2014221166.tif 000040
【図３９】
2014221166.tif 000041
【図４０】
2014221166.tif 000042
【図４１】
2014221166.tif 000043
【図４２】
2014221166.tif 000044
【図４３】
2014221166.tif 000045
【図４４】
2014221166.tif 000046
【図４５】
2014221166.tif 000047
【図４６】
2014221166.tif 000048
【図４７】
2014221166.tif 000049
【図４８】
2014221166.tif 000050
【図４９】
2014221166.tif 000051
【図５０】
2014221166.tif 000052
【図５１】
2014221166.tif 000053
【図５２】
2014221166.tif 000054
【図５３】
2014221166.tif 000055
【図５４】
2014221166.tif 000056
【図５５】
2014221166.tif 000057
【図５６】
2014221166.tif 000058
【図５７】
2014221166.tif 000059
【図５８】
2014221166.tif 000060
【図５９】
2014221166.tif 000061
【図６０】
2014221166.tif 000062
【図６１】
2014221166.tif 000063
【図６２】
2014221166.tif 000064
【図６３】
2014221166.tif 000065
【図６４】
2014221166.tif 000066
【図６５】
2014221166.tif 000067
【図６６】
2014221166.tif 000068
【図６７】
2014221166.tif 000069
【図６８】
2014221166.tif 000070